(57)【特許請求の範囲】
【請求項１】
複数の利用者により共用される車両の予約を行う車両予約システムにおいて、
車両内に配設されるとともに、接触または非接触で前記車両の外部の第１の検知対象を検知する第１の検知手段を備え、前記第１の検知手段が前記第１の検知対象を検知したときに起動されるものであって、
複数の時間の表示とともに前記複数の時間が選択可能か否かを表示する表示手段と、
前記起動されたときから連続して前記車両を利用することが可能な時間に基づいて、前記表示手段における前記選択可能か否かの表示を制御する制御手段と、
前記表示手段に表示された前記時間の表示に対応して配設され、接触または非接触で前記車両の外部の第２の検知対象を検知する第２の検知手段と
を有する即時利用予約装置と、
ＩＣカードに内蔵されたＩＣチップに記憶されたカード情報と、ＩＣ運転免許証に内蔵されたＩＣチップに記憶され、暗証番号を利用することなく取得することが可能な第１の免許証情報とを記憶する記憶手段と、
前記表示手段が前記選択可能と表示している前記時間の表示に対応した前記第２の検知手段により、前記第２の検知対象が検知されると、前記ＩＣカードから前記カード情報を取得し、前記ＩＣ運転免許証から前記第１の免許証情報を取得する取得手段と、
前記取得手段により取得した前記カード情報および前記第１の免許証情報が、前記記憶手段に記憶された前記カード情報および前記第１の免許証情報と一致するか否かを判断する判断手段と、
前記判断手段により、前記取得手段により取得した前記カード情報および前記第１の免許証情報が、前記記憶手段に記憶された前記カード情報および前記第１の免許証情報と一致すると判断されると、少なくとも前記第２の検知対象を検知した前記第２の検知手段に対応して表示されている前記時間だけ前記車両を利用するための予約を行う予約手段と
を有し、
前記予約手段が予約を行うと前記即時利用予約装置を停止する
ことを特徴とする車両予約システム。
【請求項２】
複数の利用者により共用される車両の予約を行う車両予約システムにおいて、
車両内に配設されるとともに、接触または非接触で前記車両の外部の第１の検知対象を検知する第１の検知手段を備え、前記第１の検知手段が前記第１の検知対象を検知したときに起動されるものであって、
複数の時間の表示とともに前記複数の時間が選択可能か否かを表示する表示手段と、
前記起動されたときから連続して前記車両を利用することが可能な時間に基づいて、前記表示手段における前記選択可能か否かの表示を制御する制御手段と、
前記表示手段に表示された前記時間の表示に対応して配設され、接触または非接触で前記車両の外部の第２の検知対象を検知する第２の検知手段と
を有する即時利用予約装置と、
ＩＣカードに内蔵されたＩＣチップに記憶されたカード情報と、ＩＣ運転免許証に内蔵されたＩＣチップに記憶され、暗証番号を利用することなく取得することが可能な第１の免許証情報とを記憶する記憶手段と、
前記表示手段が前記選択可能と表示している前記時間の表示に対応した前記第２の検知手段により、前記第２の検知対象が検知されると、前記ＩＣカードから前記カード情報を取得し、前記ＩＣ運転免許証から前記第１の免許証情報を取得する取得手段と、
前記取得手段により取得した前記カード情報および前記第１の免許証情報が、前記記憶手段に記憶された前記カード情報および前記第１の免許証情報と一致するか否かを判断する判断手段と、
前記表示手段が前記選択可能と表示している前記時間の表示に対応した前記第２の検知手段により、前記第２の検知対象が検知されると、少なくとも前記第２の検知対象を検知した前記第２の検知手段に対応して表示されている前記時間だけ、前記車両の予約を不可能な状態とする仮予約を行い、前記判断手段により、前記取得手段により取得した前記カード情報および前記第１の免許証情報が、前記記憶手段に記憶された前記カード情報および前記第１の免許証情報と一致すると判断されたとき、前記仮予約に基づいて前記車両を利用するための予約を行う予約手段と
を有し、
前記予約手段が予約を行うと前記即時利用予約装置を停止する
ことを特徴とする車両予約システム。
【請求項３】
複数の利用者により共用される車両の予約を行う車両予約システムにおいて、
ＩＣカードに内蔵されたＩＣチップに記憶されたカード情報と、ＩＣ運転免許証に内蔵されたＩＣチップに記憶され、暗証番号を利用することなく取得することが可能な第１の免許証情報とを記憶する記憶手段と、
前記ＩＣカードから前記カード情報を取得し、前記ＩＣ運転免許証から前記第１の免許証情報を取得する取得手段と、
前記取得手段により取得した前記カード情報および前記第１の免許証情報が、前記記憶手段に記憶された前記カード情報および前記第１の免許証情報と一致するか否かを判断する判断手段と、
前記判断手段により、前記取得手段により取得した前記カード情報および前記第１の免許証情報が、前記記憶手段に記憶された前記カード情報および前記第１の免許証情報と一致すると判断されると、前記車両の予約状況を確認し、前記カード情報および前記第１の免許証情報に基づいて、連続して前記車両を利用することが可能な時間を算出する算出手段と、
複数の時間の表示とともに前記複数の時間が選択可能か否かを表示する表示手段と、
前記算出手段により算出された前記車両を利用することが可能な時間に基づいて、前記表示手段における前記選択可能か否かの表示を制御する制御手段と、
前記表示手段に表示された前記時間の表示に対応して配設され、接触または非接触で前記車両の外部の検知対象を検知する検知手段と、
前記表示手段が前記選択可能と表示している前記時間の表示に対応した前記検知手段により、前記検知対象が検知されると、少なくとも前記検知対象を検知した前記検知手段に対応して表示されている前記時間だけ前記車両を利用するための予約を行う予約手段と
を有することを特徴とする車両予約システム。
【請求項４】
複数の利用者により共用される車両の予約を行う車両予約システムにおいて、
車両内に配設されるとともに、接触または非接触で前記車両の外部の第１の検知対象を検知する第１の検知手段を備え、前記第１の検知手段が前記第１の検知対象を検知したときに起動されるものであって、
複数の時間の表示とともに前記複数の時間が選択可能か否かを表示する表示手段と、
前記起動されたときから連続して前記車両を利用することが可能な時間に基づいて、前記表示手段における前記選択可能か否かの表示を制御する制御手段と、
前記表示手段に表示された前記時間の表示に対応して配設され、接触または非接触で前記車両の外部の第２の検知対象を検知する第２の検知手段と
を有する即時利用予約装置と、
ＩＣカードに内蔵されたＩＣチップに記憶されたカード情報と、ＩＣ運転免許証作成時に設定された暗証番号と、前記ＩＣ運転免許証に内蔵されたＩＣチップに記憶され、前記暗証番号を利用することなく取得することが可能な第１の免許証情報と、前記ＩＣ運転免許証に内蔵されたＩＣチップに記憶され、前記暗証番号を利用して取得することが可能な第２の免許証情報とを記憶する記憶手段と、
前記表示手段が前記選択可能と表示している前記時間の表示に対応した前記第２の検知手段により、前記第２の検知対象が検知されると、前記ＩＣカードから前記カード情報を取得し、前記ＩＣ運転免許証から前記第１の免許証情報を取得し、前記ＩＣ運転免許証から前記暗証番号を利用して前記第２の免許証情報を取得する取得手段と、
前記取得手段により取得した前記カード情報、前記第１の免許証情報および前記第２の免許証情報が、前記記憶手段に記憶された前記カード情報、前記第１の免許証情報および前記第２の免許証情報と一致するか否かを判断する判断手段と、
前記判断手段により、前記取得手段により取得した前記カード情報、前記第１の免許証情報および前記第２の免許証情報が、前記記憶手段に記憶された前記カード情報、前記第１の免許証情報および前記第２の免許証情報と一致すると判断されると、少なくとも前記第２の検知対象を検知した前記第２の検知手段に対応して表示されている前記時間だけ前記車両を利用するための予約を行う予約手段と
を有し、
前記取得手段は、前記ＩＣカードから前記カード情報を取得し、前記判断手段において、前記取得した前記カード情報が前記記憶手段に記憶された前記カード情報と一致すると判断されると、前記ＩＣ運転免許証から前記第１の免許証情報を取得し、前記判断手段において、前記取得した前記第１の免許証情報が前記記憶手段に記憶された前記第１の免許証情報と一致すると判断されると、前記ＩＣ運転免許証から前記第２の免許証情報を取得し、
前記予約手段が予約を行うと前記即時利用予約装置を停止する
ことを特徴とする車両予約システム。
【請求項５】
複数の利用者により共用される車両の予約を行う車両予約システムにおいて、
車両内に配設されるとともに、接触または非接触で前記車両の外部の第１の検知対象を検知する第１の検知手段を備え、前記第１の検知手段が前記第１の検知対象を検知したときに起動されるものであって、
複数の時間の表示とともに前記複数の時間が選択可能か否かを表示する表示手段と、
前記起動されたときから連続して前記車両を利用することが可能な時間に基づいて、前記表示手段における前記選択可能か否かの表示を制御する制御手段と、
前記表示手段に表示された前記時間の表示に対応して配設され、接触または非接触で前記車両の外部の第２の検知対象を検知する第２の検知手段と
を有する即時利用予約装置と、
ＩＣカードに内蔵されたＩＣチップに記憶されたカード情報と、ＩＣ運転免許証作成時に設定された暗証番号と、前記ＩＣ運転免許証に内蔵されたＩＣチップに記憶され、前記暗証番号を利用することなく取得することが可能な第１の免許証情報と、前記ＩＣ運転免許証に内蔵されたＩＣチップに記憶され、前記暗証番号を利用して取得することが可能な第２の免許証情報とを記憶する記憶手段と、
前記表示手段が前記選択可能と表示している前記時間の表示に対応した前記第２の検知手段により、前記第２の検知対象が検知されると、前記ＩＣカードから前記カード情報を取得し、前記ＩＣ運転免許証から前記第１の免許証情報を取得し、前記ＩＣ運転免許証から前記暗証番号を利用して前記第２の免許証情報を取得する取得手段と、
前記取得手段により取得した前記カード情報、前記第１の免許証情報および前記第２の免許証情報が、前記記憶手段に記憶された前記カード情報、前記第１の免許証情報および前記第２の免許証情報と一致するか否かを判断する判断手段と、
前記表示手段が前記選択可能と表示している前記時間の表示に対応した前記第２の検知手段により、前記第２の検知対象が検知されると、少なくとも前記第２の検知対象を検知した前記第２の検知手段に対応して表示されている前記時間だけ、前記車両の予約を不可能な状態とする仮予約を行い、前記取得手段により取得した前記カード情報、前記第１の免許証情報および前記第２の免許証情報が、前記記憶手段に記憶された前記カード情報、前記第１の免許証情報および前記第２の免許証情報と一致すると判断されたとき、前記仮予約に基づいて前記車両を利用するための予約を行う予約手段と
を有し、
前記取得手段は、前記ＩＣカードから前記カード情報を取得し、前記判断手段において、前記取得した前記カード情報が前記記憶手段に記憶された前記カード情報と一致すると判断されると、前記ＩＣ運転免許証から前記第１の免許証情報を取得し、前記判断手段において、前記取得した前記第１の免許証情報が前記記憶手段に記憶された前記第１の免許証情報と一致すると判断されると、前記ＩＣ運転免許証から前記第２の免許証情報を取得し、
前記予約手段が予約を行うと前記即時利用予約装置を停止する
ことを特徴とする車両予約システム。
【請求項６】
複数の利用者により共用される車両の予約を行う車両予約システムにおいて、
ＩＣカードに内蔵されたＩＣチップに記憶されたカード情報と、ＩＣ運転免許証作成時に設定された暗証番号と、前記ＩＣ運転免許証に内蔵されたＩＣチップに記憶され、前記暗証番号を利用することなく取得することが可能な第１の免許証情報と、前記ＩＣ運転免許証に内蔵されたＩＣチップに記憶され、前記暗証番号を利用して取得することが可能な第２の免許証情報とを記憶する記憶手段と、
前記ＩＣカードから前記カード情報を取得し、前記ＩＣ運転免許証から前記第１の免許証情報を取得し、前記ＩＣ運転免許証から前記暗証番号を利用して前記第２の免許証情報を取得する取得手段と、
前記取得手段により取得した前記カード情報、前記第１の免許証情報および前記第２の免許証情報が、前記記憶手段に記憶された前記カード情報、前記第１の免許証情報および前記第２の免許証情報と一致するか否かを判断する判断手段と、
前記判断手段により、前記取得手段により取得した前記カード情報、前記第１の免許証情報および前記第２の免許証情報が、前記記憶手段に記憶された前記カード情報、前記第１の免許証情報および前記第２の免許証情報と一致すると判断されると、前記車両の予約状況を確認し、前記カード情報、前記第１の免許証情報および前記第２の免許証情報に基づいて、連続して前記車両を利用することが可能な時間を算出する算出手段と、
複数の時間の表示とともに前記複数の時間が選択可能か否かを表示する表示手段と、
前記算出手段により算出された前記車両を利用することが可能な時間に基づいて、前記表示手段における前記選択可能か否かの表示を制御する制御手段と、
前記表示手段に表示された前記時間の表示に対応して配設され、接触または非接触で前記車両の外部の検知対象を検知する検知手段と、
前記表示手段が前記選択可能と表示している前記時間の表示に対応した前記検知手段により、前記検知対象が検知されると、少なくとも前記検知対象を検知した前記検知手段に対応して表示されている前記時間だけ前記車両を利用するための予約を行う予約手段と
を有することを特徴とする車両予約システム。
【請求項７】
請求項１、２、３、４、５または６のいずれか１項に記載の車両予約システムにおいて、
前記第１の免許証情報は、免許交付年月日および免許の有効期限の末日である
ことを特徴とする車両予約システム。
【請求項８】
複数の利用者により共用される車両の予約を行う車両予約方法において、
車両内に配設されるとともに、接触または非接触で前記車両の外部の第１の検知対象を検知する第１の検知手段と、複数の時間の表示とともに前記複数の時間が選択可能か否かを表示する表示手段と、前記表示手段に表示された前記時間の表示に対応して配設され、接触または非接触で前記車両の外部の第２の検知対象を検知する第２の検知手段とを有する即時利用予約装置と、
ＩＣカードに内蔵されたＩＣチップに記憶されたカード情報と、ＩＣ運転免許証に内蔵されたＩＣチップに記憶され、暗証番号を利用することなく取得することが可能な第１の免許証情報とを記憶する記憶手段と
を有する車両予約システムによって、複数の利用者により共用される車両の予約を行う車両予約方法であって、
前記第１の検知手段が前記第１の検知対象を検知したときに前記即時利用予約装置を起動する起動工程と、
前記第１の検知手段により前記第１の検知対象が検知されると、前記車両の予約状況を確認し、連続して前記車両を利用することが可能な時間を算出する算出工程と、
前記算出工程で算出された前記車両を利用することが可能な時間に基づいて、前記表示手段における前記選択可能か否かの表示を制御する制御工程と、
前記表示手段が前記選択可能と表示している前記時間の表示に対応した前記第２の検知手段により、前記第２の検知対象が検知されると、前記ＩＣカードから前記カード情報を取得し、前記ＩＣ運転免許証から前記第１の免許証情報を取得する取得工程と、
前記取得工程で取得した前記カード情報および前記第１の免許証情報が、前記記憶手段に記憶された前記カード情報および前記第１の免許証情報と一致するか否かを判断する判断工程と、
前記判断工程において、前記取得工程で取得した前記カード情報および前記第１の免許証情報が、前記記憶手段に記憶された前記カード情報および前記第１の免許証情報と一致すると判断されると、少なくとも前記第２の検知対象を検知した前記第２の検知手段に対応して表示されている前記時間だけ前記車両を利用するための予約を行う予約工程と、
前記予約工程で予約を行うと前記即時利用予約装置を停止する停止工程と
を前記車両予約システムが実行する
ことを特徴とする車両予約方法。
【請求項９】
複数の利用者により共用される車両の予約を行う車両予約方法において、
車両内に配設されるとともに、接触または非接触で前記車両の外部の第１の検知対象を検知する第１の検知手段と、複数の時間の表示とともに前記複数の時間が選択可能か否かを表示する表示手段と、前記表示手段に表示された前記時間の表示に対応して配設され、接触または非接触で前記車両の外部の第２の検知対象を検知する第２の検知手段とを有する即時利用予約装置と、
ＩＣカードに内蔵されたＩＣチップに記憶されたカード情報と、ＩＣ運転免許証に内蔵されたＩＣチップに記憶され、暗証番号を利用することなく取得することが可能な第１の免許証情報とを記憶する記憶手段と
を有する車両予約システムによって、複数の利用者により共用される車両の予約を行う車両予約方法であって、
前記第１の検知手段が前記第１の検知対象を検知したときに前記即時利用予約装置を起動する起動工程と、
前記第１の検知手段により前記第１の検知対象が検知されると、前記車両の予約状況を確認し、連続して前記車両を利用することが可能な時間を算出する算出工程と、
前記算出工程で算出された前記車両を利用することが可能な時間に基づいて、前記表示手段における前記選択可能か否かの表示を制御する制御工程と、
前記表示手段が前記選択可能と表示している前記時間の表示に対応した前記第２の検知手段により、前記第２の検知対象が検知されると、前記ＩＣカードから前記カード情報を取得し、前記ＩＣ運転免許証から前記第１の免許証情報を取得する取得工程と、
前記取得工程で取得した前記カード情報および前記第１の免許証情報が、前記記憶手段に記憶された前記カード情報および前記第１の免許証情報と一致するか否かを判断する判断工程と、
前記表示手段が前記選択可能と表示している前記時間の表示に対応した前記第２の検知手段により、前記第２の検知対象が検知されると、少なくとも前記第２の検知対象を検知した前記第２の検知手段に対応して表示されている前記時間だけ、前記車両の予約を不可能な状態とする仮予約を行い、前記判断工程により、前記取得工程により取得した前記カード情報および前記第１の免許証情報が、前記記憶手段に記憶された前記カード情報および前記第１の免許証情報と一致すると判断されたとき、前記仮予約に基づいて前記車両を利用するための予約を行う予約工程と、
前記予約工程で予約を行うと前記即時利用予約装置を停止する停止工程と
を前記車両予約システムが実行する
ことを特徴とする車両予約方法。
【請求項１０】
複数の利用者により共用される車両の予約を行う車両予約方法において、
複数の時間の表示とともに前記複数の時間が選択可能か否かを表示する表示手段と、
前記表示手段に表示された前記時間の表示に対応して配設され、接触または非接触で前記車両の外部の検知対象を検知する検知手段と、
ＩＣカードに内蔵されたＩＣチップに記憶されたカード情報と、ＩＣ運転免許証に内蔵されたＩＣチップに記憶され、暗証番号を利用することなく取得することが可能な第１の免許証情報とを記憶する記憶手段と
を有する車両予約システムによって、複数の利用者により共用される車両の予約を行う車両予約方法であって、
前記ＩＣカードから前記カード情報を取得し、前記ＩＣ運転免許証から前記第１の免許証情報を取得する取得工程と、
前記取得工程により取得した前記カード情報および前記第１の免許証情報が、前記記憶手段に記憶された前記カード情報および前記第１の免許証情報と一致するか否かを判断する判断工程と、
前記判断工程により、前記取得工程により取得した前記カード情報および前記第１の免許証情報が、前記記憶手段に記憶された前記カード情報および前記第１の免許証情報と一致すると判断されると、前記車両の予約状況を確認し、前記カード情報および前記第１の免許証情報に基づいて、連続して前記車両を利用することが可能な時間を算出する算出工程と、
前記算出工程により算出された前記車両を利用することが可能な時間に基づいて、前記表示手段における前記選択可能か否かの表示を制御する制御工程と、
前記表示手段が前記選択可能と表示している前記時間の表示に対応した前記検知手段により、前記検知対象が検知されると、少なくとも前記検知対象を検知した前記検知手段に対応して表示されている前記時間だけ前記車両を利用するための予約を行う予約工程と
を有することを特徴とする車両予約方法。
【請求項１１】
複数の利用者により共用される車両の予約を行う車両予約方法において、
車両内に配設されるとともに、接触または非接触で前記車両の外部の第１の検知対象を検知する第１の検知手段と、複数の時間の表示とともに前記複数の時間が選択可能か否かを表示する表示手段と、前記表示手段に表示された前記時間の表示に対応して配設され、接触または非接触で前記車両の外部の第２の検知対象を検知する第２の検知手段とを有する即時利用予約装置と、
ＩＣカードに内蔵されたＩＣチップに記憶されたカード情報と、ＩＣ運転免許証作成時に設定された暗証番号と、前記ＩＣ運転免許証に内蔵されたＩＣチップに記憶され、前記暗証番号を利用することなく取得することが可能な第１の免許証情報と、前記ＩＣ運転免許証に内蔵されたＩＣチップに記憶され、前記暗証番号を利用して取得することが可能な第２の免許証情報とを記憶する記憶手段と
を有する車両予約システムによって、複数の利用者により共用される車両の予約を行う車両予約方法であって、
前記第１の検知手段が前記第１の検知対象を検知したときに前記即時利用予約装置を起動する起動工程と、
前記第１の検知手段により前記第１の検知対象が検知されると、前記車両の予約状況を確認し、連続して前記車両を利用することが可能な時間を算出する算出工程と、
前記算出工程で算出された前記車両を利用することが可能な時間に基づいて、前記表示手段における前記選択可能か否かの表示を制御する制御工程と、
前記表示手段が前記選択可能と表示している前記時間の表示に対応した前記第２の検知手段により、前記第２の検知対象が検知されると、前記ＩＣカードから前記カード情報を取得する第１の取得工程と、
前記第１の取得工程で取得した前記カード情報が前記記憶手段に記憶された前記カード情報と一致するか否かの判断を行う第１の判断工程と、
前記第１の判断工程において、前記第１の取得工程で取得した前記カード情報が前記記憶手段に記憶された前記カード情報と一致すると判断されると、前記ＩＣ運転免許証から前記第１の免許証情報を取得する第２の取得工程と、
前記第２の取得工程で取得した前記第１の免許証情報が前記記憶手段に記憶された前記第１の免許証情報と一致するか否かの判断を行う第２の判断工程と、
前記第２の判断工程において、前記第２の取得工程で取得した前記第１の免許証情報が前記記憶手段に記憶された前記第１の免許証情報と一致すると判断されると、前記ＩＣ運転免許証から前記第２の免許証情報を取得する第３の取得工程と、
前記第３の取得工程で取得した前記第２の免許証情報が前記記憶手段に記憶された前記第２の免許証情報と一致するか否かの判断を行う第３の判断工程と、
前記第３の判断工程において、前記第３の取得工程で取得した前記第２の免許証情報が前記記憶手段に記憶された前記第２の免許証情報と一致すると判断されると、少なくとも前記第２の検知対象を検知した前記第２の検知手段に対応して表示されている前記時間だけ前記車両を利用するための予約を行う予約工程と、
前記予約工程で予約を行うと前記即時利用予約装置を停止する停止工程と
を前記車両予約システムが実行する
ことを特徴とする車両予約方法。
【請求項１２】
複数の利用者により共用される車両の予約を行う車両予約方法において、
車両内に配設されるとともに、接触または非接触で前記車両の外部の第１の検知対象を検知する第１の検知手段と、複数の時間の表示とともに前記複数の時間が選択可能か否かを表示する表示手段と、前記表示手段に表示された前記時間の表示に対応して配設され、接触または非接触で前記車両の外部の第２の検知対象を検知する第２の検知手段とを有する即時利用予約装置と、
ＩＣカードに内蔵されたＩＣチップに記憶されたカード情報と、ＩＣ運転免許証作成時に設定された暗証番号と、前記ＩＣ運転免許証に内蔵されたＩＣチップに記憶され、前記暗証番号を利用することなく取得することが可能な第１の免許証情報と、前記ＩＣ運転免許証に内蔵されたＩＣチップに記憶され、前記暗証番号を利用して取得することが可能な第２の免許証情報とを記憶する記憶手段と
を有する車両予約システムによって、複数の利用者により共用される車両の予約を行う車両予約方法であって、
前記第１の検知手段が前記第１の検知対象を検知したときに前記即時利用予約装置を起動する起動工程と、
前記第１の検知手段により前記第１の検知対象が検知されると、前記車両の予約状況を確認し、連続して前記車両を利用することが可能な時間を算出する算出工程と、
前記算出工程で算出された前記車両を利用することが可能な時間に基づいて、前記表示手段における前記選択可能か否かの表示を制御する制御工程と、
前記表示手段が前記選択可能と表示している前記時間の表示に対応した前記第２の検知手段により、前記第２の検知対象が検知されると、少なくとも前記第２の検知対象を検知した前記第２の検知手段に対応して表示されている前記時間だけ、前記車両の予約を不可能な状態とする仮予約を行う第１の予約工程と、
前記表示手段が前記選択可能と表示している前記時間の表示に対応した前記第２の検知手段により、前記第２の検知対象が検知されると、前記ＩＣカードから前記カード情報を取得する第１の取得工程と、
前記第１の取得工程で取得した前記カード情報が前記記憶手段に記憶された前記カード情報と一致するか否かの判断を行う第１の判断工程と、
前記第１の判断工程において、前記第１の取得工程で取得した前記カード情報が前記記憶手段に記憶された前記カード情報と一致すると判断されると、前記ＩＣ運転免許証から前記第１の免許証情報を取得する第２の取得工程と、
前記第２の取得工程で取得した前記第１の免許証情報が前記記憶手段に記憶された前記第１の免許証情報と一致するか否かの判断を行う第２の判断工程と、
前記第２の判断工程において、前記第２の取得工程で取得した前記第１の免許証情報が前記記憶手段に記憶された前記第２の免許証情報と一致すると判断されると、前記ＩＣ運転免許証から前記第２の免許証情報を取得する第３の取得工程と、
前記第３の取得工程で取得した前記第２の免許証情報が前記記憶手段に記憶された前記第２の免許証情報と一致するか否かの判断を行う第３の判断工程と、
前記第３の判断工程において、前記第３の取得工程で取得した前記第２の免許証情報が前記記憶手段に記憶された前記第２の免許証情報と一致すると判断されると、前記第１の予約工程で行った前記仮予約に基づいて前記車両を利用するための予約を行う第２の予約工程と、
前記予約工程で予約を行うと前記即時利用予約装置を停止する停止工程と
を前記車両予約システムが実行する
ことを特徴とする車両予約方法。
【請求項１３】
複数の利用者により共用される車両の予約を行う車両予約方法において、
複数の時間の表示とともに前記複数の時間が選択可能か否かを表示する表示手段と、
前記表示手段に表示された前記時間の表示に対応して配設され、接触または非接触で前記車両の外部の検知対象を検知する検知手段と、
ＩＣカードに内蔵されたＩＣチップに記憶されたカード情報と、ＩＣ運転免許証作成時に設定された暗証番号と、前記ＩＣ運転免許証に内蔵されたＩＣチップに記憶され、前記暗証番号を利用することなく取得することが可能な第１の免許証情報と、前記ＩＣ運転免許証に内蔵されたＩＣチップに記憶され、前記暗証番号を利用して取得することが可能な第２の免許証情報とを記憶する記憶手段と、
を有する車両予約システムによって、複数の利用者により共用される車両の予約を行う車両予約方法であって、
前記ＩＣカードから前記カード情報を取得し、前記ＩＣ運転免許証から前記第１の免許証情報を取得し、前記ＩＣ運転免許証から前記暗証番号を利用して前記第２の免許証情報を取得する取得工程と、
前記取得工程により取得した前記カード情報、前記第１の免許証情報および前記第２の免許証情報が、前記記憶手段に記憶された前記カード情報、前記第１の免許証情報および前記第２の免許証情報と一致するか否かを判断する判断工程と、
前記判断工程により、前記取得工程により取得した前記カード情報、前記第１の免許証情報および前記第２の免許証情報が、前記記憶手段に記憶された前記カード情報、前記第１の免許証情報および前記第２の免許証情報と一致すると判断されると、前記車両の予約状況を確認し、前記カード情報、前記第１の免許証情報および前記第２の免許証情報に基づいて、連続して前記車両を利用することが可能な時間を算出する算出工程と、
前記算出工程により算出された前記車両を利用することが可能な時間に基づいて、前記表示手段における前記選択可能か否かの表示を制御する制御工程と、
前記表示手段が前記選択可能と表示している前記時間の表示に対応した前記検知手段により、前記検知対象が検知されると、少なくとも前記検知対象を検知した前記検知手段に対応して表示されている前記時間だけ前記車両を利用するための予約を行う予約工程と
を有することを特徴とする車両予約方法。
【請求項１４】
請求項８、９、１０、１１、１２または１３のいずれか１項に記載の車両予約方法において、
前記第１の免許証情報は、免許交付年月日および免許の有効期限の末日である
ことを特徴とする車両予約方法。
【請求項１５】
請求項１、２、３、４、５、６または７のいずれか１項に記載の車両予約システムとしてコンピューターを機能させるためのプログラム。
【請求項１６】
請求項８、９、１０、１１、１２、１３または１４のいずれか１項に記載の車両予約方法をコンピューターに実行させるためのプログラム。
【請求項１７】
請求項１５または１６のいずれか１項に記載のプログラムを記録したコンピューター読み取り可能な記録媒体。
【発明の詳細な説明】
【技術分野】
【０００１】
本発明は、車両予約システム、車両予約方法、プログラムおよびコンピューター読み取り可能な記録媒体に関し、さらに詳細には、複数の利用者により共用される車両を予約する車両予約システム、車両予約方法、プログラムおよびコンピューター読み取り可能な記録媒体に関する。
【背景技術】
【０００２】
複数の利用者が車両を共用する利用形態の一例として、一台の自動車を複数の会員が共同で利用する、所謂、カーシェアリングが知られている。
【０００３】
ここで、カーシェアリングとは、利用者は自ら自動車を所有せず、カーシェアリング事業者（以下、単に「事業者」と適宜に称する。）の会員となり、必要に応じてその事業者から提供された自動車を借りるというものである。
【０００４】
また、カーシェアリングは、ある地域に限定したコミュニティーの中で会員同士で自動車を共有し、インターネットなどを通じて車両の利用状態の確認や利用予約を行うようにしているため、貸し出し手続に時間を必要とせず、貸し出し・返却場所は、居住しているマンションの駐車場であったり、あるいは、通勤駅の近くであったりと、会員が利用するにあたって便利な場所に設定されていることが多い。
【０００５】
こうしたカーシェアリングにより、利用者は、自動車を所有する場合に比べて、自動車取得費用、維持経費ならびに駐車料金といった費用を削減することができるようになる。
【０００６】
さらに、カーシェアリングが広く普及されることにより、自動車の総台数の低減が見込まれ、都市の交通渋滞の緩和やエネルギー消費量の低減により、二酸化炭素による地球温暖化を抑止する効果が期待されている。
【０００７】
なお、以下の説明においては、「自動車」を「車両」と称することとする。
【０００８】
ところで、上記したようなカーシェアリングを可能とするシステム（以下、「カーシェアリングを可能とするシステム」を、「カーシェアリングシステム」と称する。）では、事業者が事業目的で車載器を搭載した車両を準備し、事業者は当該車両を会員登録済みの複数の利用者に提供するものであった。
【０００９】
なお、車載器とは、カーシェリングシステムにより車両を管理するための装置である。
【００１０】
そして、利用者は当該車両を共用し、当該車両の利用に伴って生じた料金を事業者に対して支払うものであった。
【００１１】
即ち、こうしたカーシェアリングシステムにおいては、事業者がカーシェアリングシステムの管理を行うとともに、当該カーシェアリングシステムによる管理を行うための車載器を搭載した車両の維持、管理を行う。
【００１２】
また、事業者は、車両を共用する利用者を募集し、募集に応じた複数の利用者と事業者との間で車両の利用に関する契約を交わし、車載器が搭載された車両を当該複数の利用者に提供する。
【００１３】
そして、利用者はそれぞれ、事業者から提供された車両（つまり、車載器が搭載された車両である。）の利用予約を行って当該車両を共用することとなる。
【００１４】
なお、こうした予約および予約を行うための予約サイトの管理についても、事業者が行うこととなる。
【００１５】
そして、利用者は、車両の利用により生じた料金を事業者に支払うものである。
【００１６】
上記したようなカーシェアリングシステムにおいては、例えば、図１のブロック構成図に示すようなシステムを構築し、このシステムにより車両の予約や運行の管理が行われている。
【００１７】
即ち、従来の技術によるカーシェアリングシステム１００は、カーシェアリングシステム１００の事業者のパーソナルコンピューター１０２や事業者の会員となった利用者のパーソナルコンピューター１０４や当該利用者の携帯端末１０６とネットワークを介して接続されるサーバー１０８と、車両１１０に設けられて携帯電話網でサーバー１０８と接続される車載器１１２と、車両１１０の所定の位置に取り付けられるとともに車載器１１２に接続されるカードリーダー１１４と、車両１１０のダッシュボード内などに設けられるとともに車載器１１２に接続されるキーボックス１１６とを有して構成されている。
【００１８】
以上の構成において、カーシェアリングシステム１００を利用して車両１１０の予約や利用を行うには、まず、利用者が事業者に対して会員登録を行う。このとき、事業者は、各利用者に対して利用者固有の登録コードを作成するとともに、当該登録コードを認証用コードとして記憶したＩＣカードを発行し、各利用者に提供する。
【００１９】
そして、利用者が予約を行う場合には、利用者がパーソナルコンピューター１０４あるいは携帯端末１０６を利用してサーバー１０８に管理された予約サイトにアクセスし、車両１１０の予約状況を確認し、利用者の要望にあった車両１１０の予約を行う。
【００２０】
その後、予約した利用開始時間になると、携帯電話網を利用して予約情報がサーバー１０８から車載器１１２に送られて、カードリーダー１１４が起動される。
【００２１】
一方、利用者は、予約した利用開始時間に車両１１０が駐車された駐車場まで行き、カードリーダー１１４に会員登録時に取得したＩＣカードを読み取らせて認証を受ける。これにより、車両１１０では、ドアのロックが解除されるとともに、キーボックス１１６からキーが取り出せる状態となり、利用者による利用が可能な状態となる。
【００２２】
そして、利用者は、予約した利用終了時間まで車両１１０を利用することが可能であるが、利用者は、予約した利用終了時間までに車両１１０の返却を完了しなければならない。
【００２３】
即ち、利用者は、予約した利用終了時間までに、車両１１０を決められた駐車場に駐車させて、キーをキーボックス１１６に返却するとともに全てのドアを閉め、カードリーダー１１４にＩＣカードを読み取らせて認証を受けて、車両１１０の返却を完了しなければならない。
【００２４】
こうして、車両１１０の返却が完了することにより、利用者による車両１１０の利用が終了することとなる。
【００２５】
その後、車載器１１２において走行距離、利用時間ならびに車両１１０の状態などが確認され、確認された利用時間に応じた時間料金に、走行距離に応じた距離料金を加算して、車両１１０の利用により生じる料金を算出し、算出した料金を利用者のパーソナルコンピューター１０４もしくは携帯端末１０６に通知する。
【００２６】
なお、事業者は、こうした利用者による利用状況をパーソナルコンピューター１０２で確認することができ、さらに、パーソナルコンピューター１０２において、システム上のトラブルについても確認することができる。
【００２７】
ここで、こうした従来の技術によるカーシェアリングシステム１００においては、車両１１０を事前に予約しなければならず、例えば、車両１１０が駐車する駐車場にいる利用者が、当該車両１１０を今すぐ利用したい場合であっても、携帯端末１０６などを介して、利用する車両１１０の予約の手続を予約サイトにおいて行わなければならなかった。
【００２８】
即ち、車両１１０が駐車された駐車場にいる利用者が、車両１１０を直ちに利用したい場合には、携帯端末１０６から予約サイトにアクセスし、事業者から取得したＩＤやパスワードを入力して予約サイトにログインした後、予約サイトに表示された表示内容を利用者が検討して、車両１１０の予約を行うものであった。
【００２９】
なお、以下の説明においては、「携帯端末１０６などを介して、利用する車両１１０を予約すること」を、「事前予約」と称することとする。
【００３０】
しかしながら、こうした事前予約は、例えば、ＩＤやパスワードを入力したり、予約サイトに表示された表示内容を利用者が検討しなければならず、直ちに車両１１０を利用したい利用者にとっては、極めて煩わしい作業となっていた。
【００３１】
このため、容易に、車両１１０を直ちに利用可能な予約（以下、「利用する車両１１０を直ちに利用可能な予約」を、「即時利用予約」と称する。）を行うことができ、利用者が直ちに車両１１０を利用することができるようにした車両予約システムの提案が望まれていた。
【００３２】
なお、本願出願人が特許出願のときに知っている先行技術は、文献公知発明に係る発明ではないため、本願明細書に記載すべき先行技術文献情報はない。
【発明の概要】
【発明が解決しようとする課題】
【００３３】
本発明は、従来の技術の有する上記したような要望に鑑みてなされたものであり、その目的とするところは、容易に、即時利用予約を行うことができる車両予約システム、車両予約方法、プログラムおよびコンピューター読み取り可能な記録媒体を提供しようとするものである。
【課題を解決するための手段】
【００３４】
上記目的を達成するために、本発明による車両予約システムは、複数の利用者により共用される車両の予約を行う車両予約システムにおいて、車両の予約状況を確認し、所定の時点から連続して上記車両を利用することが可能な時間を算出する算出手段と、時間を表示する表示手段と、上記算出手段により算出された上記車両を利用することが可能な時間に基づいて、上記表示手段に表示される時間が選択可能か否かの表示を制御する制御手段と、上記表示手段に表示された時間に対応して配設され、接触または非接触で上記車両の外部からの検知対象を検知する検知手段と、ＩＣカードに内蔵されたＩＣチップに記憶されたカード情報と、ＩＣ運転免許証に内蔵されたＩＣチップに記憶され、暗証番号を利用することなく取得することが可能な第１の免許証情報とを記憶する記憶手段と、上記表示手段に表示された時間が選択可能である上記検知手段により検知対象が検知されると、上記ＩＣカードから上記カード情報を取得するとともに、上記ＩＣ運転免許証から上記第１の免許証情報を取得する取得手段と、上記取得手段により取得した上記カード情報および上記第１の免許証情報が、上記記憶手段に記憶された上記カード情報および上記第１の免許証情報と一致するか否かを判断する判断手段と、上記判断手段により、上記取得手段により取得した上記カード情報および上記免許証情報が、上記記憶手段に記憶された上記カード情報および上記第１の免許証情報と一致すると判断されると、上記所定の時点から、選択された上記検知手段に対応した時間だけ、上記車両を利用するための予約を行う予約手段とを有するようにした。
【００３５】
また、本発明による車両予約システムは、複数の利用者により共用される車両の予約を行う車両予約システムにおいて、車両の予約状況を確認し、所定の時点から連続して上記車両を利用することが可能な時間を算出する算出手段と、時間を表示する表示手段と、上記算出手段により算出された上記車両を利用することが可能な時間に基づいて、上記表示手段に表示される時間が選択可能か否かの表示を制御する制御手段と、上記表示手段に表示された時間に対応して配設され、接触または非接触で上記車両の外部からの検知対象を検知する検知手段と、ＩＣカードに内蔵されたＩＣチップに記憶されたカード情報と、ＩＣ運転免許証に内蔵されたＩＣチップに記憶され、暗証番号を利用することなく取得することが可能な第１の免許証情報とを記憶する記憶手段と、上記ＩＣカードから上記カード情報を取得するとともに、上記ＩＣ運転免許証から上記第１の免許証情報を取得する取得手段と、上記取得手段により取得した上記カード情報および上記第１の免許証情報が、上記記憶手段に記憶された上記カード情報および上記第１の免許証情報と一致するか否かを判断する判断手段と、上記表示手段に表示された時間が選択可能である上記検知手段により検知対象が検知されると、上記所定の時点から、選択された上記検知手段に対応した時間だけ、上記車両の予約を不可能な状態とする仮予約を行うとともに、上記判断手段により、上記取得手段により取得した上記カード情報および上記第１の免許証情報が、上記記憶手段に記憶された上記カード情報および上記免許証情報と一致すると判断されると、なされた仮予約に基づいて上記車両を利用するための予約を行うようにした。
【００３６】
また、本発明による車両予約システムは、上記した車両予約システムにおいて、さらに、上記予約手段により予約された時間は、上記車両を予約することができない状態とする予約管理手段とを有するようにしたものである。
【００３７】
また、本発明による車両予約システムは、複数の利用者により共用される車両の予約を行う車両予約システムにおいて、車両の予約状況を確認し、所定の時点から連続して上記車両を利用することが可能な時間を算出する算出手段と、時間を表示する表示手段と、上記算出手段により算出された上記車両を利用することが可能な時間に基づいて、上記表示手段に表示される時間が選択可能か否かの表示を制御する制御手段と、上記表示手段に表示された時間に対応して配設され、接触または非接触で上記車両の外部からの検知対象を検知する検知手段と、ＩＣカードに内蔵されたＩＣチップに記憶されたカード情報と、ＩＣ運転免許証作成時に設定された暗証番号と、上記ＩＣ運転免許証に内蔵されたＩＣチップに記憶され、上記暗証番号を利用することなく取得することが可能な第１の免許証情報と、ＩＣ運転免許証に内蔵されたＩＣチップに記憶され、上記暗証番号を利用して取得することが可能な第２の免許証情報とを記憶する記憶手段と、上記表示手段に表示された時間が選択可能である上記検知手段により検知対象が検知されると、上記ＩＣカードからカード情報を取得するとともに、上記ＩＣ運転免許証から上記第１の免許証情報を取得し、上記ＩＣ運転免許証から上記暗証番号を利用して上記第２の免許証情報を取得する取得手段と、上記取得手段により取得した上記カード情報、上記第１の免許証情報および上記第２の免許証情報が、上記記憶手段に記憶された上記カード情報、上記第１の免許証情報および上記第２の免許証情報と一致するか否かを判断する判断手段と、上記判断手段により、上記取得手段により取得した上記カード情報、上記第１の免許証情報および上記第２の免許証情報が、上記記憶手段に記憶された上記カード情報、上記第１の免許証情報および上記第２の免許証情報と一致すると判断されると、上記所定の時点から、選択された上記検知手段に対応した時間だけ、上記車両を利用するための予約を行う予約手段とを有し、上記取得手段は、上記ＩＣカードから上記カード情報を取得し、上記判断手段において、取得した上記カード情報が上記記憶手段に記憶された上記カード情報と一致すると判断されると、上記ＩＣ運転免許証から上記第１の免許証情報を取得し、上記判断手段において、上記判断手段において、取得した上記第１の免許証情報が上記記憶手段に記憶された上記第１の免許証情報と一致すると判断されると、上記ＩＣ運転免許証から上記第２の免許証情報を取得するようにしたものである。
【００３８】
また、本発明による車両予約システムは、複数の利用者により共用される車両の予約を行う車両予約システムにおいて、車両の予約状況を確認し、所定の時点から連続して上記車両を利用することが可能な時間を算出する算出手段と、時間を表示する表示手段と、上記算出手段により算出された上記車両を利用することが可能な時間に基づいて、上記表示手段に表示される時間が選択可能か否かの表示を制御する制御手段と、上記表示手段に表示された時間に対応して配設され、接触または非接触で上記車両の外部からの検知対象を検知する検知手段と、ＩＣカードに内蔵されたＩＣチップに記憶されたカード情報と、ＩＣ運転免許証作成時に設定された暗証番号と、上記ＩＣ運転免許証に内蔵されたＩＣチップに記憶され、上記暗証番号を利用することなく取得することが可能な第１の免許証情報と、ＩＣ運転免許証に内蔵されたＩＣチップに記憶され、上記暗証番号を利用して取得することが可能な第２の免許証情報とを記憶する記憶手段と、上記ＩＣカードからカード情報を取得するとともに、上記ＩＣ運転免許証から上記第１の免許証情報を取得し、上記ＩＣ運転免許証から上記暗証番号を利用して上記第２の免許証情報を取得する取得手段と、上記取得手段により取得した上記カード情報、上記第１の免許証情報および上記第２の免許証情報が、上記記憶手段に記憶された上記カード情報、上記第１の免許証情報および上記第２の免許証情報と一致するか否かを判断する判断手段と、上記表示手段に表示された時間が選択可能である上記検知手段により検知対象が検知されると、上記所定の時点から、選択された上記検知手段に対応した時間だけ、上記車両の予約を不可能な状態とする仮予約を行い、上記取得手段により取得した上記カード情報、上記第１の免許証情報および上記第２の免許証情報が、上記記憶手段に記憶された上記カード情報、上記第１の免許証情報および上記第２の免許証情報と一致すると判断されると、なされた仮予約に基づいて上記車両を利用するための予約を行う予約手段とを有し、上記取得手段は、上記ＩＣカードから上記カード情報を取得し、上記判断手段において、取得した上記カード情報が上記記憶手段に記憶された上記カード情報と一致すると判断されると、上記ＩＣ運転免許証から上記第１の免許証情報を取得し、上記判断手段において、上記判断手段において、取得した上記第１の免許証情報が上記記憶手段に記憶された上記第１の免許証情報と一致すると判断されると、上記ＩＣ運転免許証から上記第２の免許証情報を取得するようにしたものである。
【００３９】
また、本発明による車両予約システムは、上記した車両予約システムにおいて、上記第１の免許証情報は、免許交付年月日および免許の有効期限の末日であるようにしたものである。
【００４０】
また、本発明による車両予約システムは、上記した車両予約システムにおいて、上記第１の免許証情報は、免許交付年月日および免許の有効期限の末日であり、上記第２の免許証情報は、免許証番号であるようにしたものである。
【００４１】
また、本発明による車両予約方法は、時間を表示する表示手段と、上記表示手段に表示された時間に対応して配設され、接触または非接触で車両の外部からの検知対象を検知する検知手段と、ＩＣカードに内蔵されたＩＣチップに記憶されたカード情報と、ＩＣ運転免許証に内蔵されたＩＣチップに記憶され、暗証番号を利用することなく取得することが可能な第１の免許証情報とを記憶する記憶手段とを有する車両予約システムによって、複数の利用者により共用される車両の予約を行う車両予約方法であって、上記車両の予約状況を確認し、所定の時点から連続して上記車両を利用することが可能な時間を算出する算出工程と、上記算出工程で算出された上記車両を利用することが可能な時間に基づいて、上記表示手段に表示される時間が選択可能か否かの表示を制御する制御工程と、上記表示手段に表示された時間が選択可能である上記検知手段により検知対象が検知されると、上記ＩＣカードから上記カード情報を取得するとともに、上記ＩＣ運転免許証から上記第１の免許証情報を取得する取得工程と、上記取得工程で取得した上記カード情報および上記第１の免許証情報が、上記記憶手段に記憶された上記カード情報および上記第１の免許証情報と一致するか否かを判断する判断工程と、上記判断工程において、上記取得工程で取得した上記カード情報および上記第１の免許証情報が、上記記憶手段に記憶された上記カード情報および第１の免許証情報と一致すると判断されると、上記所定の時点から、選択された上記検知手段に対応した時間だけ、上記車両を利用するための予約を行う予約工程とを上記車両予約システムが実行するようにしたものである。
【００４２】
また、本発明による車両予約方法は、時間を表示する表示手段と、上記表示手段に表示された時間に対応して配設され、接触または非接触で車両の外部からの検知対象を検知する検知手段と、ＩＣカードに内蔵されたＩＣチップに記憶されたカード情報と、ＩＣ運転免許証に内蔵されたＩＣチップに記憶され、暗証番号を利用することなく取得することが可能な第１の免許証情報とを記憶する記憶手段とを有する車両予約システムによって、複数の利用者により共用される車両の予約を行う車両予約方法であって、上記車両の予約状況を確認し、所定の時点から連続して上記車両を利用することが可能な時間を算出する算出工程と、上記算出工程で算出された上記車両を利用することが可能な時間に基づいて、上記表示手段に表示される時間が選択可能か否かの表示を制御する制御工程と、上記ＩＣカードから上記カード情報を取得するとともに、上記ＩＣ運転免許証から上記第１の免許証情報を取得する取得工程と、上記判断工程において、上記取得工程で取得した上記カード情報および上記第１の免許証情報が、上記記憶手段に記憶された上記カード情報および上記第１の免許証情報と一致するか否かを判断する判断工程と、上記表示手段に表示された時間が選択可能である上記検知手段により検知対象が検知されると、上記所定の時点から選択された上記検知手段に対応した時間だけ、上記車両の予約を不可能な状態とする仮予約を行うとともに、上記判断工程において、上記取得工程で取得した上記カード情報および上記第１の免許証情報が、上記記憶手段に記憶された上記カード情報および上記第１の免許証情報と一致すると判断されると、なされた仮予約に基づいて上記車両を利用するための予約を行う予約工程とを上記車両予約システムが実行するようにしたものである。
【００４３】
また、本発明による車両予約方法は、上記した車両予約方法において、さらに、上記予約手段により予約された時間は、上記車両を予約することができない状態とする予約管理手段とを有するようにしたものである。
【００４４】
また、本発明による車両予約方法は、時間を表示する表示手段と、上記表示手段に表示された時間に対応して配設され、接触または非接触で車両の外部からの検知対象を検知する検知手段と、ＩＣカードに内蔵されたＩＣチップに記憶されたカード情報と、ＩＣ運転免許証作成時に設定された暗証番号と、上記ＩＣ運転免許証に内蔵されたＩＣチップに記憶され、上記暗証番号を利用することなく取得することが可能な第１の免許証情報と、上記ＩＣ運転免許証に内蔵されたＩＣチップに記憶され、上記暗証番号を利用して取得することが可能な第２の免許証情報とを記憶する記憶手段とを有する車両予約システムによって、複数の利用者により共用される車両の予約を行う車両予約方法であって、上記車両の予約状況を確認し、所定の時点から連続して上記車両を利用することが可能な時間を算出する算出工程と、上記算出工程で算出された上記車両を利用することが可能な時間に基づいて、上記表示手段に表示される時間が選択可能か否かの表示を制御する制御工程と、上記表示手段に表示された時間が選択可能である上記検知手段により検知対象が検知されると、上記ＩＣカードから上記カード情報を取得する第１の取得工程と、上記第１の取得工程で取得した上記カード情報が上記記憶手段に記憶された上記カード情報と一致するか否かの判断を行う第１の判断工程と、上記第１の判断工程において、上記第１の取得工程で取得した上記カード情報が上記記憶手段に記憶された上記カード情報と一致すると判断されると、上記ＩＣ運転免許証から上記第１の免許証情報を取得する第２の取得工程と、上記第２の取得工程で取得した上記ＩＣ運転免許証から取得した上記第１の免許証情報が上記記憶手段に記憶された上記第１の免許証情報と一致するか否かの判断を行う第２の判断工程と、上記第２の判断工程において、上記第２の取得工程で取得した上記ＩＣ運転免許証から取得した上記第１の免許証情報が上記記憶手段に記憶された上記第２の免許証情報と一致すると判断されると、上記ＩＣ運転免許証から上記第２の免許証情報を取得する第３の取得工程と、上記第３の取得工程で取得した上記ＩＣ運転免許証から取得した上記第２の免許証情報が上記記憶手段に記憶された上記第２の免許証情報と一致するか否かの判断を行う第３の判断工程と、上記第３の判断工程において、上記第３の取得工程で取得した上記ＩＣ運転免許証から取得した上記第２の免許証情報が上記記憶手段に記憶された上記第２の免許証情報と一致すると判断されると、上記所定の時点から、選択された上記検知手段に対応した時間だけ、上記車両を利用するための予約を行う予約工程とを上記車両予約システムが実行するようにしたものである。
【００４５】
また、本発明による車両予約方法は、時間を表示する表示手段と、上記表示手段に表示された時間に対応して配設され、接触または非接触で車両の外部からの検知対象を検知する検知手段と、ＩＣカードに内蔵されたＩＣチップに記憶されたカード情報と、ＩＣ運転免許証作成時に設定された暗証番号と、上記ＩＣ運転免許証に内蔵されたＩＣチップに記憶され、上記暗証番号を利用することなく取得することが可能な第１の免許証情報と、上記ＩＣ運転免許証に内蔵されたＩＣチップに記憶され、上記暗証番号を利用して取得することが可能な第２の免許証情報とを記憶する記憶手段とを有する車両予約システムによって、複数の利用者により共用される車両の予約を行う車両予約方法であって、上記車両の予約状況を確認し、所定の時点から連続して上記車両を利用することが可能な時間を算出する算出工程と、上記算出工程で算出された上記車両を利用することが可能な時間に基づいて、上記表示手段に表示される時間が選択可能か否かの表示を制御する制御工程と、上記表示手段に表示された時間が選択可能である上記検知手段により検知対象が検知されると、上記所定の時点から、選択された上記検知手段に対応した時間だけ、上記車両の予約を不可能な状態とする仮予約を行う第１の予約工程と、上記ＩＣカードから上記カード情報を取得する第１の取得工程と、上記第１の取得工程で取得した上記カード情報が上記記憶手段に記憶された上記カード情報と一致するか否かの判断を行う第１の判断工程と、上記第１の判断工程において、上記第１の取得工程で取得した上記カード情報が上記記憶手段に記憶された上記カード情報と一致すると判断されると、上記ＩＣ運転免許証から上記第１の免許証情報を取得する第２の取得工程と、上記第２の取得工程で取得した上記ＩＣ運転免許証から取得した上記第１の免許証情報が上記記憶手段に記憶された上記第１の免許証情報と一致するか否かの判断を行う第２の判断工程と、上記第２の判断工程において、上記第２の取得工程で取得した上記ＩＣ運転免許証から取得した上記第１の免許証情報が上記記憶手段に記憶された上記第２の免許証情報と一致すると判断されると、上記ＩＣ運転免許証から上記第２の免許証情報を取得する第３の取得工程と、上記第３の取得工程で取得した上記ＩＣ運転免許証から取得した上記第２の免許証情報が上記記憶手段に記憶された上記第２の免許証情報と一致するか否かの判断を行う第３の判断工程と、上記第３の判断工程において、上記第３の取得工程で取得した上記ＩＣ運転免許証から取得した上記第２の免許証情報が上記記憶手段に記憶された上記第２の免許証情報と一致すると判断されると、上記第１の予約工程でなされた仮予約に基づいて上記車両を利用するための予約を行う第２の予約工程とを上記車両予約システムが実行するようにしたものである。
【００４６】
また、本発明による車両予約方法は、上記した車両予約方法において、上記第１の免許証情報は、免許交付年月日および免許の有効期限の末日であるようにしたものである。
【００４７】
また、本発明による車両予約方法は、上記した車両予約方法において、上記第１の免許証情報は、免許交付年月日および免許の有効期限の末日であり、上記第２の免許証情報は、免許証番号であるようにしたものである。
【００４８】
また、本発明によるプログラムは、上記した車両予約システムとしてコンピューターを機能させるためのプログラムである。
【００４９】
また、本発明によるプログラムは、上記した車両予約方法をコンピューターに実行させるためのプログラムである。
【００５０】
また、本発明によるコンピューター読み取り可能な記録媒体は、上記したプログラムを記録するようにしたものである。
【図面の簡単な説明】
【００５１】
【図１】図１は、従来の技術によるカーシェアリングシステムの概要を示すブロック構成説明図である。
【図２】図２は、本発明の第１の実施の形態による車両予約システムを備えたカーシェアリングシステムの概要を示すブロック構成説明図である。
【図３】図３は、即時利用予約装置の概略構成説明図である。
【図４】図４は、本発明の第１の実施の形態による車両予約システムを備えたカーシェアリングシステムの利用手順を示すフローチャートである。
【図５】図５は、本発明の第１の実施の形態による車両予約システムを備えたカーシェアリングシステムにおける即時利用予約処理（第１の即時利用予約処理）の処理ルーチンを示すフローチャートである。
【図６】図６は、第１の即時利用予約処理における第１の予約処理の処理ルーチンを示すフローチャートである。
【図７】図７は、第１の即時利用予約処理における第２の予約処理の処理ルーチンを示すフローチャートである。
【図８】図８は、第１の即時利用予約処理における第３の予約処理の処理ルーチンを示すフローチャートである。
【図９】図９は、第１の即時利用予約処理における第４の予約処理の処理ルーチンを示すフローチャートである。
【図１０】図１０は、第１の認証処理の処理ルーチンを示すフローチャートである。
【図１１】図１１は、第２の認証処理の処理ルーチンを示すフローチャートである。
【図１２】図１２は、第３の認証処理の処理ルーチンを示すフローチャートである。
【図１３】図１３は、第４の認証処理の処理ルーチンを示すフローチャートである。
【図１４】図１４は、第５の認証処理の処理ルーチンを示すフローチャートである。
【図１５】図１５は、第６の認証処理の処理ルーチンを示すフローチャートである。
【図１６】図１６は、本発明の第１の実施の形態による車両予約システムを備えたカーシェアリングシステムにおける車両利用前の認証処理の処理ルーチンを示すフローチャートである。
【図１７】図１７は、本発明の第１の実施の形態による車両予約システムを備えたカーシェアリングシステムにおける車両利用後の認証処理の処理ルーチンを示すフローチャートである。
【図１８】図１８は、本発明の第１の実施の形態による車両予約システムを備えたカーシェアリングシステムに用いるカードリーダーを示す説明図である。
【図１９】図１９は、本発明の第２の実施の形態による車両予約システムを備えたカーシェアリングシステムの概要を示すブロック構成説明図である。
【図２０】図２０は、本発明の第２の実施の形態による車両予約システムを備えたカーシェアリングシステムの利用手順を示すフローチャートである。
【図２１】図２１は、本発明の第２の実施の形態による車両予約システムを備えたカーシェアリングシステムにおける即時利用予約処理（第２の即時利用予約処理）の処理ルーチンを示すフローチャートである。
【図２２】図２２は、第２の即時利用予約処理における第１の予約処理の処理ルーチンを示すフローチャートである。
【図２３】図２３は、第２の即時利用予約処理における第２の予約処理の処理ルーチンを示すフローチャートである。
【図２４】図２４は、第２の即時利用予約処理における第３の予約処理の処理ルーチンを示すフローチャートである。
【図２５】図２５は、第２の即時利用予約処理における第４の予約処理の処理ルーチンを示すフローチャートである。
【図２６】図２６は、第１の認証処理の処理ルーチンを示すフローチャートである。
【図２７】図２７は、第２の認証処理の処理ルーチンを示すフローチャートである。
【図２８】図２８は、第３の認証処理の処理ルーチンを示すフローチャートである。
【図２９】図２９は、第４の認証処理の処理ルーチンを示すフローチャートである。
【図３０】図３０は、第５の認証処理の処理ルーチンを示すフローチャートである。
【図３１】図３１は、第６の認証処理の処理ルーチンを示すフローチャートである。
【図３２】図３２は、本発明の第１の実施の形態による車両予約システムを備えたカーシェアリングシステムにおける車両利用前の認証処理の処理ルーチンを示すフローチャートである。
【図３３】図３３は、本発明の第１の実施の形態による車両予約システムを備えたカーシェアリングシステムにおける車両利用後の認証処理の処理ルーチンを示すフローチャートである。
【図３４】図３４は、図３３に示すフローチャートの続きである。
【図３５】図３５は、カードリーダーの変形例を示す説明図である。
【発明を実施するための形態】
【００５２】
以下、添付の図面を参照しながら、本発明による車両予約システム、車両予約方法、プログラムおよびコンピューター読み取り可能な記録媒体の実施の形態の一例を詳細に説明するものとする。
【００５３】
なお、以下の説明においては、図１を参照しながら説明した従来の技術によるカーシェアリングシステムと同一または相当する構成については、上記において用いた符号と同一の符号を用いて示すことにより、その詳細な構成ならびに作用の説明は適宜に省略することとする。
【００５４】
まず、図２乃至図１８を参照しながら、本発明による車両予約システムの第１の実施の形態について説明する。
【００５５】
ここで、図２には、本発明の第１の実施の形態による車両予約システムを備えたカーシェアリングシステムの概要を示すブロック構成説明図が示されている。
【００５６】
この図２に示す本発明の第１の実施の形態による車両予約システムを備えたカーシェアリングシステム１０は、カーシェアリングシステム１０の事業者のパーソナルコンピューター１０２と接続されるとともに事業者の会員となった利用者のパーソナルコンピューター１０４や当該利用者の携帯端末１０６とネットワークなどを介して接続されるサーバー１０８と、車両１１０内に配設されるとともにサーバー１０８と携帯電話網を利用して接続される車載器１２と、車載器１２と接続され、利用者により翳されたＩＣカードおよびＩＣ運転免許証に記憶された情報を読み込むカードリーダー４０と、車両１１０内に配設されるとともに車載器１２と接続され、車両１１０のキーが収納されたキーボックス１１６と、車載器１２と接続され、人の指を検知する近接センサ１４が設けられた即時利用予約装置１６とを有して構成されている。
【００５７】
より詳細には、車載器１２は、車両１１０に備えられた装置や機能に対する監視や当該監視に基づく制御を行うものである。
【００５８】
そして、車載器１２は、ＧＰＳ衛星１８と通信するＧＰＳモジュール１２ａと、携帯電話網と接続する通信モジュール１２ｂと、ＧＰＳモジュール１２ａ、通信モジュール１２ｂ、監視装置１２ｅ（後述する。）、カードリーダー４０からの各種情報を処理するとともに、カードリーダー４０、キーボックス１１６、即時利用予約装置１６ならびに車載器１２の全体の動きを制御するメインコントローラー１２ｃと、メインコントローラー１２ｃからの情報により車両１１０に設けられたエンジンスタータ１１０ａおよびドアロックアンロックシステム１１０ｂを操作する操作部１２ｄと、車両１１０に設けられたドアスイッチ１１０ｃ、イグニッション１１０ｄ、バッテリ電圧検出器１１０ｅ、燃料残量検出器１１０ｆ、車速検出器１１０ｇおよび即時利用予約装置１６の近接センサ１４を監視する監視部１２ｅと、メインコントローラー１２ｃからの情報によりキーボックス１１６に設けられたスピーカー（図示せず。）から音声ガイダンスなどを出力する音声モジュール１２ｆとを有して構成されている。
【００５９】
ＧＰＳモジュール１２ａは、アンテナ１２ａａを備えており、このアンテナ１２ａａを介してＧＰＳ衛星１８からのＧＰＳ信号を取得し、取得したＧＰＳ信号をメインコントローラー１２ｃに出力する。これにより、メインコントローラー１２ｃにおいて、取得したＧＰＳ信号に基づいて車両１１０の位置情報を取得することとなる。
【００６０】
また、通信モジュール１２ｂは、アンテナ１２ｂａを備えており、このアンテナ１２ｂａを介してメインコントローラー１２ｃにおける各種情報を携帯電話網を利用してサーバー１０８に出力するとともに、サーバー１０８から携帯電話網を利用して出力された各種情報をメインコントローラー１２ｃに入力する。
【００６１】
メインコントローラー１２ｃは、ＧＰＳ衛星１８、サーバー１０８、カードリーダー４０、監視部１２ｅからの各種情報が入力され、入力した情報を記憶するとともに、サーバー１０８に対して各種情報を出力する。
【００６２】
また、メインコントローラー１２ｃは、操作部１２ｄ、監視部１２ｅ、音声モジュール１２ｆ、カードリーダー４０、キーボックス１１６および即時利用予約装置１６といった構成要素に対してそれらを制御する出力を行う。
【００６３】
操作部１２ｄは、メインコントローラー１２ｃにおいて、認証処理（後述する各種の認証処理である。）による認証なしにエンジンがかけられたと判断された場合には、メインコントローラー１２ｃの制御によりエンジンスタータ１１０ａを駆動しないように制御することで、車両１１０においてエンジンが始動しないように制御する。
【００６４】
また、操作部１２ｄは、メインコントローラー１２ｃから認証処理（後述する各種の認証処理である。）による認証が完了したとの情報が入力されると、ドアロックアンロックシステム１１０ｂを制御して、車両１１０のドアのロックならびにロックの解除を行う。
【００６５】
監視部１２ｅは、ドアスイッチ１１０ｃから開閉信号を取得することにより、ドアの開閉状態の監視を行い、イグニッション１１０ｄからＩＧ信号を取得することにより、エンジンが始動して車両１１０が動作状態であるか否かの監視を行う。
【００６６】
また、監視部１２ｅは、燃料残量検出器１１０ｆから燃料の残量信号を取得することにより、車両１１０の燃料の残量の監視を行い、車速検出器１１０ｇから車速信号を取得することにより、車両１１０の走行距離の監視を行う。
【００６７】
さらに、監視部１２ｅは、キーボックス１１６から所定の信号を検出することにより、キーの有無などの監視を行い、近接センサ１４から所定の信号を検出することにより、近接センサ１４が選択されたか否かを監視する。
【００６８】
なお、キーボックス１１６から取得する所定の情報とは、例えば、キーボックス１１６内の重さにより判断した情報であってもよいし、キーボックス１１６内に設けられたキー収納部分にキーが収納されたか否かの情報であってもよい。
【００６９】
また、近接センサ１４から取得する所定の信号とは、近接センサ１４の種類に応じるものであり、近接センサ１４として、静電容量方式のものを採用すると、静電容量の変化を表す信号となる。
【００７０】
そして、監視部１２ｅは、各構成部材における監視結果をメインコントローラー１２ｃに出力する。
【００７１】
また、音声モジュール１２ｆは、キーボックス１１６に設けられたスピーカー（図示せず。）に接続され、メインコントローラー１２ｃの制御により、当該スピーカーから音声ガイダンスを流すこととなる。
【００７２】
カードリーダー４０は、メインコントローラー１２ｃによりその起動が制御される。
【００７３】
また、カードリーダー４０は、車両１１０内に配設されるとともに、車両１１０の外部から利用者がＩＣカードおよびＩＣ運転免許証を翳すことにより、当該ＩＣカードおよびＩＣ運転免許証における情報を読み取ることが可能な位置に配置される。
【００７４】
なお、ＩＣ運転免許証とは、記憶手段および通信手段を備えたＩＣチップが内蔵された運転免許証である。そして、このＩＣチップには、ＩＣ運転免許証を所有する人物の各種の情報が記憶されている。
【００７５】
ＩＣチップに記憶された情報（以下、「ＩＣ運転免許証に内蔵されたＩＣチップに記憶された情報」を、「免許証情報」と適宜に称する。）としては、ＩＣ運転免許証を作成する際に設定した第１の暗証番号と第２の暗証番号とを利用して取得することのできる情報たる「詳細情報」と、暗証番号を利用することなく取得することのできる情報たる「簡易情報」とがある。
【００７６】
詳細情報には、第１の暗証番号を利用して取得することのできる「氏名」、「生年月日」、「免許証交付年月日」、「免許証の有効期限」、「免許の種類」および「免許証番号」の情報があり、また、第１の暗証番号と第２の暗証番号とを利用して取得することのできる「本籍」および「顔写真」の情報がある。
【００７７】
また、簡易情報には、「カード発行者データ」および「発行前データ」があり、「カード発行者データ」とは、「仕様書バージョン番号」、「免許交付年月日」および「免許証の有効期限の末日」であり、「発行前データ」とは、「カード製造者識別子」および「暗号関数識別子」である。
【００７８】
カードリーダー４０には、ＩＣカードに内蔵されたＩＣチップに記憶された情報（以下、「ＩＣカードのＩＣチップに記憶された情報」を、「カード情報」と適宜に称し、ガード情報とは、より詳細には、認証用コードである。）を読み取ることが可能なセンサ（図示せず。）と、ＩＣ運転免許証に内蔵されたＩＣチップ内の情報（免許証情報であり、より詳細には、簡易情報である。）を読み取ることが可能なセンサ（図示せず。）とが配設されている。
【００７９】
これによりカードリーダー４０では、読み取り部４２（後述する。）にＩＣカードまたはＩＣ運転免許証を翳すことにより、内蔵されたＩＣチップ内の情報を読み取ることができる。
【００８０】
そして、カードリーダー４０は、読み取り部４２（後述する。）にＩＣ運転免許証が翳されると、ＩＣ運転免許証のＩＣチップに記憶された簡易情報を読み取り、読み取った簡易情報をメインコントローラー１２ｃに出力する。さらに、読み取り部４２（後述する。）にＩＣカードが翳されると、ＩＣカードのＩＣチップに記憶された認証用コードを読み取り、読み取った認証用コードをメインコントローラー１２ｃに出力する。
【００８１】
なお、読み取る簡易情報としては、「仕様書バージョン番号」、「免許交付年月日」、「免許証の有効期限の末日」、「カード製造者識別子」および「暗号関数識別子」のうちの少なくともいずれか１つの情報が設定され、設定された１つまたは複数の情報が簡易情報としてカードリーダー４０で読み取られる。
【００８２】
さらに、カードリーダー４０には、翳されたＩＣカードおよびＩＣ運転免許証に内蔵されたＩＣチップに記憶された情報を読み取る読み取り部４２と、点灯することにより車両１１０のドアが施錠および開錠したことを示すＬＥＤランプ４４と、点灯することにより認証がなされなかったことを示すＬＥＤランプ４６と、点灯パターンにより電波が届かないエリアに車両１１０が位置することを示すＬＥＤランプ４８と、点灯パターンにより事業者への連絡を促すＬＥＤランプ５０と、点灯パターンにより車両１１０のドアが閉められていないことを示すＬＥＤランプ５２と、点灯することによりＩＣカードのＩＣチップに記憶されたカード情報を読み取ったことを示すＬＥＤランプ５４と、点灯することによりＩＣ運転免許証のＩＣチップに記憶された免許証情報を読み取ったことを示すＬＥＤランプ５６とが設けられている（図１８を参照する。）。なお、こうしたカードリーダー４０に設けられたＬＥＤランプについては、メインコントローラー１２ｃにより、点灯パターンが制御される。
【００８３】
こうしたカードリーダー４０には、カードリーダー４０の起動を利用者に視認させるためのＬＥＤランプ（図示せず。）が設けるようにしてもよく、カードリーダー４０が起動すると、当該ＬＥＤランプが点灯あるいは点滅するなどして、利用者に対してカードリーダー４０の起動を知らせる。
【００８４】
キーボックス１１６は、認証処理（後述する各種の認証処理である。）が完了した後に、メインコントローラー１２ｃによって、収納されたキーの取り出しを可能または不可能な状態に制御される。
【００８５】
そして、キーボックス１１６には、スピーカー（図示せず。）が配設されており、このスピーカーから、メインコントローラー１２ｃによる制御によって音声モジュール１２ｆを介して音声ガイダンスが流れる。
【００８６】
即時利用予約装置１６は、車両１１０内に配設され、人の指などの検知対象が近づけられると、検知対象を検知する近接センサ１４を備えている。
【００８７】
そして、即時利用予約装置１６は、車両１１０内において、車両１１０の外から利用者が視認することが可能な位置であって、かつ、車両１１０の外から利用者が近接センサ１４に指を近づけると、近接センサ１４が選択されたことを検知することが可能な位置に配置される。
【００８８】
なお、車両１１０の外から利用者が視認することが可能な位置とは、車両１１０の外から、車両１１０の窓などを介して、近接センサ１４、ＬＥＤランプ２０−１、２０−２、２０−３（後述する。）およびＬＥＤランプ２０−１、２０−２、２０−３の近傍に記載された文字（後述する。）が利用者に視認することができる位置を意味する。
【００８９】
この近接センサ１４は、即時利用予約装置１６を起動するための近接センサ１４−１と、車両１１０を３０分間利用することを選択する近接センサ１４−２と、車両１１０を３時間利用することを選択する近接センサ１４−３と、車両１１０を１２時間利用することを選択する近接センサ１４−４とにより構成されている（図３を参照する。）。
【００９０】
また、近接センサ１４−２の近傍（図３では右方側）には、メインコントローラー１２ｃの制御により緑色および赤色で点灯することが可能なＬＥＤランプ２０−１が配設されるとともに、ＬＥＤランプ２０−１の近傍（図３では右方側）には、「３０分間」の文字が記載されている。なお、近接センサ１４−２とＬＥＤランプ２０−１とは、メインコントローラー１２ｃにおいて対応付けられている。
【００９１】
さらに、近接センサ１４−３の近傍（図３では右方側）には、メインコントローラー１２ｃの制御により緑色および赤色で点灯することが可能なＬＥＤランプ２０−２が配設されるとともに、ＬＥＤランプ２０−２の近傍（図３では右方側）には、「３時間」の文字が記載されている。なお、近接センサ１４−３とＬＥＤランプ２０−２とは、メインコントローラー１２ｃにおいて対応付けられている。
【００９２】
さらにまた、近接センサ１４−４の近傍（図３では右方側）には、メインコントローラー１２ｃの制御により緑色および赤色で点灯することが可能なＬＥＤランプ２０−３が配設されるとともに、ＬＥＤランプ２０−３の近傍（図３では右方側）には、「１２時間」の文字が記載されている。なお、近接センサ１４−４とＬＥＤランプ２０−３とは、メインコントローラー１２ｃにおいて対応付けられている。
【００９３】
このＬＥＤランプ２０−１は、緑色で点灯することにより、近接センサ１４−２が選択可能であることを示し、赤色で点灯することにより、近接センサ１４−２が選択不可能であることを示す。
【００９４】
そして、即時利用予約装置１６においては、ＬＥＤランプ２０−１が緑色で点灯する場合には、車両１１０を今から３０分間利用することができることを示し、ＬＥＤランプ２０−１が赤色で点灯する場合には、車両１１０を３０分間すら利用できないことを示すものである。
【００９５】
また、ＬＥＤランプ２０−２は、緑色で点灯することにより、近接センサ１４−３が選択可能であることを示し、赤色で点灯することにより、近接センサ１４−３が選択不可能であることを示す。
【００９６】
そして、即時利用予約装置１６においては、ＬＥＤランプ２０−２が緑色で点灯する場合には、車両１１０を今から３時間利用することが可能であることを示し、ＬＥＤランプ２０−２が赤色で点灯する場合には、車両１１０を３時間利用することができないことを示すものである。
【００９７】
さらに、ＬＥＤランプ２０−３は、緑色で点灯することにより、近接センサ１４−４が選択可能であることを示し、赤色で点灯することにより、近接センサ１４−４が選択不可能であることを示す。
【００９８】
そして、即時利用予約装置１６においては、ＬＥＤランプ２０−３が緑色で点灯する場合には、車両１１０を今から１２時間利用することができることを示し、ＬＥＤランプ２０−３が赤色で点灯する場合には、車両１１０を１２時間利用することができないことを示すものである。
【００９９】
従って、即時利用予約装置１６において、ＬＥＤランプ２０−１、２０−２、２０−３の全てが赤色で点灯している場合には、利用者は、近接センサ１４−２、１４−３、１４−４を選択することができず、車両１１０を今から利用することができないことを認識することができる。
【０１００】
また、即時利用予約装置１６において、ＬＥＤランプ２０−１のみが緑色で点灯し、ＬＥＤランプ２０−２、２０−３が赤色で点灯している場合には、利用者は、近接センサ１４−２のみ選択可能であり、車両１１０が今から３０分間だけ利用可能であることを認識することができる。
【０１０１】
さらに、即時利用予約装置１６において、ＬＥＤランプ２０−１、２０−２が緑色で点灯し、ＬＥＤランプ２０−３のみが赤色で点灯している場合には、利用者は、近接センサ１４−２、１４−３を選択可能であり、車両１１０が今から最大３時間利用することができ、車両１１０の利用時間を３０分間または３時間から選択することができることを認識することができる。
【０１０２】
さらにまた、即時利用予約装置１６において、ＬＥＤランプ２０−１、２０−２、２０−３の全てが緑色で点灯している場合には、利用者は、近接センサ１４−２、１４−３、１４−４を選択することが可能であり、車両１１０を今から最大１２時間利用することができ、車両１１０の利用時間を３０分間、３時間あるいは１２時間から選択することができることを認識することができる。
【０１０３】
また、即時利用予約装置１６が停止した状態のときに近接センサ１４−１が選択されると、近接センサ１４−１が選択されたことが監視部１２ｅによって監視される。そして、この監視結果に基づいて、メインコントローラー１２ｃにおいては、車両１１０において即時利用予約がなされるとの情報を携帯電話網を介してサーバー１０８に出力するとともに、即時利用予約装置１６を起動する。
【０１０４】
そして、サーバー１０８において、車両１１０の予約状況を確認し、確認した予約状況から、車両１１０の利用することが可能な時間を算出する。
【０１０５】
即ち、このとき、サーバー１０８では、車両１１０の予約状況を確認し、車両１１０が今から３０分間利用することができるか、車両１１０が今から３時間利用することができるか、車両１１０が今から１２時間利用することができるのかを判断し、判断した判断結果をサーバー１０８から携帯電話網を利用してメインコントローラー１２ｃに出力する。
【０１０６】
メインコントローラー１２ｃでは、サーバー１０８から出力された判断結果に基づいて、ＬＥＤランプ２０−１、２０−２、２０−３を所定の色で点灯するよう制御して、利用者に対して車両１１０の即時利用が可能な時間を表示する。
【０１０７】
一方、即時利用予約装置１６が起動した状態のときに近接センサ１４−１が選択されると、近接センサ１４−１が選択されたことが監視部１２ｅによって監視される。そして、この監視結果に基づいて、メインコントローラー１２ｃにおいては、車両１１０において即時利用予約を終了するとの情報を携帯電話網を介してサーバー１０８に出力するとともに、即時利用予約装置１６を停止する。
【０１０８】
なお、メインコントローラー１２ｃでは、近接センサ１４−２、１４−３、１４−４のうちの選択不可能な近接センサが選択されたときには、当該近接センサに対応するＬＥＤランプが赤色で点滅して、選択できない旨を利用者に示す。
【０１０９】
次に、図４を参照しながら、本発明の第１の実施の形態による車両予約システムを備えたカーシェアリングシステム１０における車両の利用手順について説明する。
【０１１０】
まず、カーシェアリングシステム１０を利用するに際して、利用者が事業者に対して会員登録を申請すると、事業者は、利用者の登録処理を行う（ステップＳ４０２）。
【０１１１】
即ち、こうした登録処理では、事業者が利用者に対して、ＩＣカード、ＩＤおよびパスワードの配布を行うとともに、利用者の免許証情報の登録を行うこととなる。
【０１１２】
具体的には、事業者は、登録を行う利用者に対して、利用者がサーバー１０８で管理された予約サイトにログインする際に必要よとなるＩＤおよびパスワードを設定して配布する。
【０１１３】
また、事業者は、登録を行う利用者に対して、当該利用者固有の登録コードを作成し、当該登録コードをサーバー１０８内に設けられた記憶手段（図示せず。）に当該利用者の利用者情報として記憶するとともに、当該登録コードを認証用コードとして記憶したＩＣカードを作成し、当該ＩＣカードを利用者に配布する。なお、利用者情報とは、各利用者それぞれ個別に設定された情報である。
【０１１４】
また、事業者は、登録を行う利用者のＩＣ運転免許証に内蔵されたＩＣチップから、当該ＩＣチップに記憶された情報を免許証情報として取得し、取得した免許証情報を当該利用者の利用者情報の１つとしてサーバー１０８に記憶する。
【０１１５】
従って、この登録処理により、利用者情報として、認証用コードと免許証情報とが記憶されることとなる。
【０１１６】
そして、登録処理を完了した利用者は、事業者が管理する車両１１０を利用しようとする場合には、まず、利用する車両１１０を予約する（ステップＳ４０４）。
【０１１７】
なお、本発明の第１の実施の形態による車両予約システムを備えたカーシェアリングシステム１０においては、車両１１０を携帯端末１０６やパーソナルコンピューター１０４により予約する事前予約処理と、車両１１０を即時利用予約装置１６により予約する即時利用予約処理とを行うことができる。
【０１１８】
即ち、事前予約処理は、パーソナルコンピューター１０４や携帯端末１０６を介して、利用する車両１１０の予約を行うものである。
【０１１９】
なお、こうした事前予約処理は、従来より公知の技術を用いることができるものであるため、その詳細な説明は省略するが、例えば、パーソナルコンピューター１０４または携帯電話１０６を利用してサーバー１０８に管理された予約サイトにアクセスして、登録処理の際に取得したＩＤおよびパスワードを入力して予約サイトにログインし、ログインした予約サイトにおいて車両１１０の状態や車両１１０の予約状況といった情報を閲覧し、利用者の要望にあった車両１１０の予約を行うものである。
【０１２０】
また、即時利用予約処理は、車両１１０に設けられた即時利用予約装置１６を利用して車両１１０の予約を行うものである。
【０１２１】
以下、本発明の第１の実施の形態による車両予約システムを備えたカーシェアリングシステムにおける即時利用予約処理について、図５を参照しながら、詳細に説明する。
【０１２２】
図５には、本発明の第１の実施の形態による車両予約システムを備えたカーシェアリングシステムにおける即時利用予約処理たる第１の即時利用予約処理の詳細な処理内容を示すフローチャートが示されている。
【０１２３】
この本発明の第１の実施の形態による車両予約システムを備えたカーシェアリングシステム１０における即時利用予約処理たる第１の即時利用予約処理は、即時利用予約装置１６において、利用者により近接センサ１４−１が選択される（つまり、利用者が車両１１０の外から近接センサ１４−１に指を近づけることである。）と、開始されることとなる。
【０１２４】
第１の即時利用予約処理が開始されると、まず、メインコントローラー１２ｃから車両情報をサーバー１０８に出力する（ステップＳ５０２）。
【０１２５】
即ち、このステップＳ５０２の処理では、即時利用予約装置１６が起動した車両１１０を特定することが可能な車両情報を、メインコントローラー１２ｃから携帯電話網を利用してサーバー１０８に出力する。
【０１２６】
次に、サーバー１０８において、メインコントローラー１２ｃより出力された車両情報から特定される車両１１０の予約状況を確認する（ステップＳ５０４）。
【０１２７】
即ち、ステップＳ５０４の処理では、メインコントローラー１２ｃから出力された車両情報により管理されている車両１１０の予約サイトにおける予約状況を確認する。
【０１２８】
その後、確認した車両１１０の予約状況に基づいて、現時点から車両１１０を利用することが可能な時間を算出する（ステップＳ５０６）。
【０１２９】
即ち、ステップＳ５０６の処理では、確認した車両１１０の予約状況から、車両１１０の予約状況を確認した時点（以下、「車両１１０の予約状況を確認した時点」を、「即時利用予約開始時点」と称する。）から、連続して車両１１０を利用することが可能な時間を算出する。
【０１３０】
具体的には、サーバー１０８において、車両１１０の予約状況から、即時利用予約開始時点から次の予約までの時間を算出する。なお、算出する時間単位については、予約サイトにおける車両１１０の予約可能な時間単位であり、例えば、１５分単位で算出される。
【０１３１】
より具体的には、１６時４６分を即時利用予約開始時点とし、車両１１０の次の予約が１８時３０分からなされているとすると、予約可能な時間単位は１５分なので、１６時４６分から１７時までの時間は無視され、１７時から１５分単位で次の予約までの時間が計算され、次の予約が１８時３０分からなので、即時利用予約開始時点から次の予約までの時間は、１７時から１８時３０分までの１時間３０分と算出される。
【０１３２】
そして、ステップＳ５０６の処理で算出した車両１１０を利用することが可能な時間を、サーバー１０８から携帯電話網を介してメインコントローラー１２ｃに出力する（ステップＳ５０８）。
【０１３３】
次に、車両１１０を利用することが可能な時間が出力されたメインコントローラー１２ｃにおいて、出力された車両１１０を利用することが可能な時間が、３０分間以上であるか否かの判断を行う（ステップＳ５１０）。
【０１３４】
このステップＳ５１０の判断処理において、車両１１０を利用することが可能な時間が、３０分間以上でないと判断されると、第１の予約処理が開始される（ステップＳ５１２）。
【０１３５】
ここで、図６のフローチャートには、このステップＳ５１２の処理における第１の予約処理の詳細な処理内容が示されており、この第１の予約処理においては、まず、メインコントローラー１２ｃの制御により、ＬＥＤランプ２０−１、２０−２、２０−３を赤色で点灯する（ステップＳ６０２）。
【０１３６】
その後、近接センサ１４−２が選択されたか否かの判断を行う（ステップＳ６０４）。
【０１３７】
即ち、ステップＳ６０４の判断処理においては、監視部１２ｅの監視に基づいてメインコントローラー１２ｃにより、近接センサ１４−２から所定の信号（例えば、静電容量の変化を表す信号）を取得したか否かを判断するものであり、近接センサ１４−２から所定の信号を取得した場合には、近接センサ１４−２が選択されたと判断され、近接センサ１４−２から所定の信号を取得しなかった場合には、近接センサ１４−２が選択されなかったと判断される。
【０１３８】
このステップＳ６０４の判断処理において、近接センサ１４−２が選択されたと判断されると、近接センサ１４−２は選択不可能であるため、メインコントローラー１２ｃの制御により、ＬＥＤランプ２０−１を赤色で点滅させ（ステップＳ６０６）、後述するステップＳ６０８の処理に進む。
【０１３９】
また、ステップＳ６０４の判断処理において、近接センサ１４−２が選択されなかったと判断されると、近接センサ１４−３が選択されたか否かの判断を行う（ステップＳ６０８）。
【０１４０】
即ち、ステップＳ６０８の判断処理においては、監視部１２ｅの監視により、近接センサ１４−３から所定の信号（例えば、静電容量の変化を表す信号）を取得したか否かを判断するものであり、近接センサ１４−３から所定の信号を取得した場合には、近接センサ１４−３が選択されたと判断され、近接センサ１４−３から所定の信号を取得しなかった場合には、近接センサ１４−３が選択されなかったと判断される。
【０１４１】
このステップＳ６０８の判断処理において、近接センサ１４−３が選択されたと判断されると、近接センサ１４−３は選択不可能であるため、メインコントローラー１２ｃの制御により、ＬＥＤランプ２０−２を赤色で点滅させ（ステップＳ６１０）、後述するステップＳ６１２の処理に進む。
【０１４２】
また、ステップＳ６０８の判断処理において、近接センサ１４−３が選択されなかったと判断されると、近接センサ１４−４が選択されたか否かの判断を行う（ステップＳ６１２）。
【０１４３】
即ち、ステップＳ６１２の判断処理においては、監視部１２ｅの監視により、近接センサ１４−４から所定の信号（例えば、静電容量の変化を表す信号）を取得したか否かを判断するものであり、近接センサ１４−４から所定の信号を取得した場合には、近接センサ１４−４が選択されたと判断され、近接センサ１４−４から所定の信号を取得したかった場合には、近接センサ１４−４が選択されなかったと判断される。
【０１４４】
このステップＳ６１２の判断処理において、近接センサ１４−４が選択されたと判断されると、近接センサ１４−４は選択不可能であるため、メインコントローラー１２ｃの制御により、ＬＥＤランプ２０−３を赤色で点滅させ（ステップＳ６１４）、後述するステップＳ６１６の処理に進む。
【０１４５】
また、ステップＳ６１２の判断処理において、近接センサ１４−４が選択されなかったと判断されると、近接センサ１４−１が選択されたか否かの判断を行う（ステップＳ６１６）。
【０１４６】
即ち、ステップＳ６１６の判断処理においては、監視部１２ｅの監視により、近接センサ１４−１から所定の信号（例えば、静電容量の変化を表す信号）を取得したか否かを判断するものであり、近接センサ１４−１から所定の信号を取得した場合には、近接センサ１４−１が選択されたと判断され、近接センサ１４−１から所定の信号を取得しなかった場合には、近接センサ１４−１が選択されなかったと判断される。
【０１４７】
このステップＳ６１６の判断処理において、近接センサ１４−１が選択されたと判断されると、メインコントローラー１２ｃの制御により、即時利用予約装置１６を停止し（ステップＳ６２０）、第１の予約処理を終了することにより第１の即時利用予約処理を終了する。
【０１４８】
また、ステップＳ６１６の判断処理において、近接センサ１４−１が選択されなかったと判断されると、ステップＳ６０２の処理から所定の時間（例えば、５分間）が経過したか否かの判断を行う（ステップＳ６１８）。
【０１４９】
即ち、このステップＳ６１８の判断処理においては、ＬＥＤランプ２０−１、２０−２、２０−３を赤色で点灯した時点からカウントされた時間が、所定の時間に達したか否かの判断を行うものである。
【０１５０】
このステップＳ６１８の判断処理において、所定の時間が経過したと判断されると、ステップＳ６２０の処理に進み、即時利用予約装置１６を停止して、第１の予約処理を終了することにより第１の即時利用予約処理を終了する。
【０１５１】
また、ステップＳ６１８の判断処理において、所定の時間が経過していないと判断されると、ステップＳ６０４の判断処理に戻って、ステップＳ６０４以降の処理を行う。
【０１５２】
即ち、この第１の予約処理においては、ステップＳ６０２の処理によりＬＥＤランプ２０−１、２０−２、２０−３を赤色で点灯した後には、近接センサ１４−１が利用者により選択されない限り、所定の時間が経過するまでステップＳ６０４〜ステップＳ６１８の処理を繰り返すこととなる。
【０１５３】
一方、ステップＳ５１０の判断処理において、車両１１０の利用することが可能な時間が、３０分以上であると判断されると、車両１１０の利用することが可能な時間が、３時間以上であるか否かの判断を行う（ステップＳ５１４）。
【０１５４】
このステップＳ５１４の判断処理において、車両１１０を利用することが可能な時間が、３時間以上でないと判断されると、第２の予約処理が開始される（ステップＳ５１６）。
【０１５５】
ここで、図７のフローチャートには、このステップＳ５１６の処理における第２の予約処理の詳細な処理内容が示されており、この第２の予約処理においては、まず、メインコントローラー１２ｃの制御により、ＬＥＤランプ２０−１を緑色で点灯するとともに、ＬＥＤランプ２０−２、２０−３を赤色で点灯する（ステップＳ７０２）。
【０１５６】
その後、近接センサ１４−２が選択されたか否かの判断を行う（ステップＳ７０４）。
【０１５７】
なお、ステップＳ７０４の判断処理では、上記したステップＳ６０４の判断処理と同様にして、近接センサ１４−２が選択されたか否かの判断がなされる。
【０１５８】
このステップＳ７０４の判断処理において、近接センサ１４−２が選択されたと判断されると、３０分間だけ車両１１０の即時利用の予約がなされたと判断され、ステップＳ７０６の処理に進み、第１の認証処理を開始する。
【０１５９】
ここで、図１０のフローチャートには、このステップＳ７０６の処理における第１の認証処理の詳細な処理内容が示されており、この第１の認証処理においては、まず、メインコントローラー１２ｃの制御により、カードリーダー４０を起動する（ステップＳ１００２）。
【０１６０】
次に、利用者によりＩＣカードが読み取り部４２に翳されると、読み取り部４２に翳されたＩＣカードからカード情報として認証用コードを読み取る（ステップＳ １００４）。
【０１６１】
そして、ＩＣカードから認証用コードを読み取ると、ＬＥＤランプ５４を点灯してＩＣカードから認証用コードを読み取ったことを示す（ステップＳ１００６）。
【０１６２】
その後、利用者によりＩＣ運転免許証が読み取り部４２に翳されると、読み取り部４２に翳されたＩＣ運転免許証から免許証情報として簡易情報を読み取る（ステップＳ１００８）。
【０１６３】
ここで、このステップＳ１００８の処理において読み取る簡易情報としては、「仕様書バージョン番号」、「免許交付年月日」（以下、「交付年月日」と称する。）、「免許証の有効期限の末日」（以下、「有効期限の末日」と称する。）、「カード製造者識別子」および「暗号関数識別子」のうちの少なくともいずれか１つの情報を取得するようにすればよく、取得する情報は予め設定されている。なお、本実施の形態においては、このステップＳ１００８の処理において、簡易情報のうちの「交付年月日」と「有効期限の末日」とを読み取る場合について説明する。
【０１６４】
そして、ＩＣ運転免許証から簡易情報を読み取ると、ＬＥＤランプ５６を点灯してＩＣ運転免許証から免許証情報を読み取ったことを示す（ステップＳ１０１０）。
【０１６５】
その後、読み取った認証用コードおよび簡易情報（「交付年月日」および「有効期限の末日」）と、ステップＳ７０４の処理においてなされた判断結果（つまり、車両１１０の３０分間の予約がなされたとの判断結果である。）とをメインコントローラー１２ｃから携帯電話網を介してサーバー１０８に出力する（ステップＳ１０１２）。
【０１６６】
こうして、読み取った認証用コードおよび簡易情報と、ステップＳ７０４の処理においてなされた判断結果とがサーバー１０８に出力されると、サーバー１０８において、出力された認証用コードとサーバー１０８に予め記憶されている登録コードとが一致するか否かの判断を行う（ステップＳ１０１４）。
【０１６７】
即ち、このステップＳ１０１４の判断処理においては、サーバー１０８に記憶されている登録コードに、ステップＳ１０１２の処理で出力された認証用コードと一致する登録コードがあるか否かを判断するものである。
【０１６８】
ステップＳ１０１４の判断処理において、認証用コードと登録コードとが一致しない、つまり、サーバー１０８に記憶されている登録コードに、認証用コードと一致する登録コードがないと判断されると、サーバー１０８において「認証不能」と判断され、この判断結果を携帯電話網を介してメインコントローラー１２ｃに出力する（ステップＳ１０１６）。
【０１６９】
その後、メインコントローラー１２ｃの制御により、カードリーダー４０に設けられたＬＥＤランプ４６によって、利用者に対して「認証不能」であることを一定時間だけ示し（ステップＳ１０１８）、ステップＳ１００４の処理に戻り、ステップＳ１００４以降の処理を行う。
【０１７０】
即ち、ステップＳ１０１８の処理では、ＬＥＤランプ４６を点灯することにより、認証不能であることを示すこととなる。
【０１７１】
一方、ステップＳ１０１４の判断処理において、認証用コードと登録コードとが一致する、つまり、サーバー１０８に記憶されている登録コードに、認証用コードと一致する登録コードがあると判断されると、サーバー１０８において、出力された簡易情報とサーバー１０８に予め記憶されている簡易情報とが一致するか否かの判断を行う（ステップＳ１０２０）。
【０１７２】
即ち、このステップＳ１０２０の判断処理においては、サーバー１０８に記憶されている利用者情報のうち、ステップＳ１０１４の判断処理で認証用コードと一致すると判断された登録コードを有する利用者情報における簡易情報（「交付年月日」および「有効期限の末日」）が、ステップＳ１０１２の処理で出力された簡易情報（「交付年月日」および「有効期限の末日」）と一致するか否かを判断するものである。
【０１７３】
ステップＳ１０２０の判断処理において、簡易情報が一致しない、つまり、サーバー１０８に記憶された利用者情報のうち、認証用コードと一致した登録コードを有する利用者情報における簡易情報が、出力された簡易情報と一致しないと判断されると、サーバー１０８において「認証不能」と判断された後、ステップＳ１０１６の処理に進み、「認証不能」との判断結果を携帯電話網を介してメインコントローラー１２ｃに出力する。
【０１７４】
その後、ステップＳ１０１８の処理に進み、メインコントローラー１２ｃの制御により、カードリーダー４０に設けられたＬＥＤランプ４６を点灯することによって、利用者に対して「認証不能」であることを一定時間だけ示し、ステップＳ１００４の処理に戻り、ステップＳ１００４以降の処理を行う。
【０１７５】
一方、ステップＳ１０２０の判断処理において、簡易情報が一致する、つまり、サーバー１０８に記憶された利用者情報のうち、認証用コードと一致した登録コードを有する利用者情報における簡易情報が、出力された簡易情報と一致すると判断されると、サーバー１０８において「認証」と判断され、この判断結果を携帯電話網を介してメインコントローラー１２ｃに出力し（ステップＳ１０２２）、ステップＳ７０８の処理に進む。
【０１７６】
そして、ステップＳ７０８の処理では、「認証」との判断結果およびステップＳ７０４の処理での判断結果に基づいて、サーバー１０８で管理している予約情報において即時利用予約開始時点から３０分間だけ車両１１０の予約を行うとともに、予約サイトにおける車両１１０の予約を即時利用予約開始時点から３０分間だけ不可能な状態とする。
【０１７７】
即ち、サーバー１０８において、車両１１０の利用時間の管理などを行う予約情報で、即時利用予約開始時点から３０分間だけ車両１１０を第１の認証処理により認証された利用者が利用するための予約を行い、さらに、予約サイトにおいて、当該予約情報を反映するようにして、車両１１０の予約を即時利用予約開始時点から３０分間だけ不可能な状態とする。
【０１７８】
例えば、ステップＳ７０８の処理においては、１６時４６分を即時利用予約開始時点とすると、予約可能な時間単位は、１５分であるため、１６時４６分から１７時までの時間は無視され、１７時から３０分間の車両１１０の利用予約がなされることとなる。なお、このとき、無視された時間は、例えば、利用者が無料で利用できる。
【０１７９】
また、ステップＳ７０８の処理においては、メインコントローラー１２ｃの制御により、車両１１０のセキュリティを解除した状態とする。なお、車両１１０のセキュリティを解除した状態とは、具体的には、車両１１０のドアロックを解除するとともに、キーボックス１１６からキーを取り出すことができる状態である。
【０１８０】
そして、ＬＥＤランプ４４を一定時間点灯することにより、利用者に対して車両１１０のドアを開錠したことを示す。
【０１８１】
その後、即時利用予約装置１６を停止して（ステップＳ７１０）、第２の予約処理を終了することにより第１の即時利用予約処理を終了する。
【０１８２】
また、ステップＳ７０４の判断処理において、近接センサ１４−２が選択されなかったと判断されると、近接センサ１４−３が選択されたか否かの判断を行う（ステップＳ７１２）。
【０１８３】
なお、ステップＳ７１２の判断処理では、上記したステップＳ６０８の判断処理と同様にして、近接センサ１４−３が選択されたか否かの判断がなされる。
【０１８４】
このステップＳ７１２の判断処理において、近接センサ１４−３が選択されたと判断されると、近接センサ１４−３は選択不可能であるため、メインコントローラー１２ｃの制御により、ＬＥＤランプ２０−２を赤色で点滅させ（ステップＳ７１４）、後述するステップＳ７１６の処理に進む。
【０１８５】
また、ステップＳ７１２の判断処理において、近接センサ１４−３が選択されなかったと判断されると、近接センサ１４−４が選択されたか否かの判断を行う（ステップＳ７１６）。
【０１８６】
なお、ステップＳ７１６の判断処理では、上記したステップＳ６１２の判断処理と同様にして、近接センサ１４−４が選択されたか否かの判断がなされる。
【０１８７】
このステップＳ７１６の判断処理において、近接センサ１４−４が選択されたと判断されると、近接センサ１４−４は選択不可能であるため、メインコントローラー１２ｃの制御により、ＬＥＤランプ２０−３を赤色で点滅させ（ステップＳ７１８）、後述するステップＳ７２０の処理に進む。
【０１８８】
また、ステップＳ７１６の判断処理において、近接センサ１４−４が選択されなかったと判断されると、近接センサ１４−１が選択されたか否かの判断を行う（ステップＳ７２０）。
【０１８９】
なお、ステップＳ７２０の判断処理では、上記したステップＳ６１６の判断処理と同様にして、近接センサ１４−１が選択されたか否かの判断がなされる。
【０１９０】
このステップＳ７２０の判断処理において、近接センサ１４−１が選択されたと判断されると、ステップＳ７１０の処理に進み、メインコントローラー１２ｃの制御により、即時利用予約装置１６を停止して、第１の即時利用予約処理を終了する。
【０１９１】
また、ステップＳ７２０の判断処理において、近接センサ１４−１が選択されなかったと判断されると、ステップＳ７０２の処理から所定の時間（例えば、５分間）が経過したか否かの判断を行う（ステップＳ７２２）。
【０１９２】
即ち、このステップＳ７２２の判断処理においては、ＬＥＤランプ２０−１を緑色、ＬＥＤランプ２０−２、２０−３を赤色で点灯した時点からカウントされた時間が、所定の時間に達したか否かの判断を行うものである。
【０１９３】
このステップＳ７２２の判断処理において、所定の時間が経過したと判断されると、ステップＳ７１０の処理に進み、即時利用予約装置１６を停止して、第２の予約処理を終了することにより第１の即時利用予約処理を終了する。
【０１９４】
また、ステップＳ７２２の判断処理において、所定の時間が経過していないと判断されると、ステップＳ７０４の判断処理に戻って、ステップＳ７０４以降の処理を行う。
【０１９５】
即ち、この第２の予約処理においては、ステップＳ７０２の処理によりＬＥＤランプ２０−１を緑色、ＬＥＤランプ２０−２、２０−３を赤色で点灯した後には、近接センサ１４−１、１４−２が利用者により選択されない限り、所定の時間が経過するまでステップＳ７０４〜ステップＳ７２２の処理を繰り返すこととなる。
【０１９６】
一方、ステップＳ５１４の判断処理において、車両１１０の利用することが可能な時間が３時間以上であると判断されると、車両１１０の利用することが可能な時間が、１２時間以上であるか否かの判断を行う（ステップＳ５１８）。
【０１９７】
このステップＳ５１８の判断処理において、車両１１０を利用することが可能な時間が１２時間以上でないと判断されると、第３の予約処理が開始される（ステップＳ５２０）。
【０１９８】
ここで、図８のフローチャートには、このステップＳ５２０の処理における第３の予約処理の詳細な処理内容が示されており、この第３の予約処理においては、まず、メインコントローラー１２ｃの制御により、ＬＥＤランプ２０−１、２０−２を緑色で点灯するとともに、ＬＥＤランプ２０−３を赤色で点灯する（ステップＳ８０２）。
【０１９９】
その後、近接センサ１４−２が選択されたか否かの判断を行う（ステップＳ８０４）。
【０２００】
なお、ステップＳ８０４の判断処理では、上記したステップＳ６０４の判断処理と同様にして、近接センサ１４−２が選択されたか否かの判断がなされる。
【０２０１】
このステップＳ８０４の判断処理において、近接センサ１４−２が選択されたと判断されると、３０分間だけ車両１１０の即時利用の予約がなされたと判断され、ステップＳ８０６の処理に進み、第２の認証処理を開始する。
【０２０２】
ここで、図１１のフローチャートには、このステップＳ８０６の処理における第２の認証処理の詳細な処理内容が示されており、この第２の認証処理においては、まず、メインコントローラー１２ｃの制御により、カードリーダー４０を起動する（ステップＳ１１０２）。
【０２０３】
次に、利用者によりＩＣカードが読み取り部４２に翳されると、読み取り部４２に翳されたＩＣカードからカード情報として認証用コードを読み取る（ステップＳ １１０４）。
【０２０４】
そして、ＩＣカードから認証用コードを読み取ると、ＬＥＤランプ５４を点灯してＩＣカードから認証用コードを読み取ったことを示す（ステップＳ１１０６）。
【０２０５】
その後、利用者によりＩＣ運転免許証が読み取り部４２に翳されると、読み取り部４２に翳されたＩＣ運転免許証から免許証情報として簡易情報を読み取る（ステップＳ１１０８）。
【０２０６】
ここで、このステップＳ１１０８の処理において読み取る簡易情報としては、上記した第１の認証処理におけるステップＳ１００８の処理で取得する情報と同じ情報を取得することとなる。つまり、このステップＳ１１０８の処理においては、簡易情報のうちの「交付年月日」と「有効期限の末日」とを読み取ることとなる。
【０２０７】
そして、ＩＣ運転免許証から簡易情報を読み取ると、ＬＥＤランプ５６を点灯してＩＣ運転免許証から免許証情報を読み取ったことを示す（ステップＳ１０１０）。
【０２０８】
その後、読み取った認証用コードおよび簡易情報（「交付年月日」および「有効期限の末日」）と、ステップＳ８０４の処理においてなされた判断結果（つまり、車両１１０の３０分間の予約がなされたとの判断結果である。）とをメインコントローラー１２ｃから携帯電話網を介してサーバー１０８に出力する（ステップＳ１１１２）。
【０２０９】
こうして、読み取った認証用コードおよび簡易情報と、ステップＳ８０４の処理においてなされた判断結果とがサーバー１０８に出力されると、サーバー１０８において、出力された認証用コードとサーバー１０８に予め記憶されている登録コードとが一致するか否かの判断を行う（ステップＳ１１１４）。
【０２１０】
即ち、このステップＳ１１１４の判断処理においては、サーバー１０８に記憶されている登録コードに、ステップＳ１１１２の処理で出力された認証用コードと一致する登録コードがあるか否かを判断するものである。
【０２１１】
ステップＳ１１１４の判断処理において、認証用コードと登録コードとが一致しない、つまり、サーバー１０８に記憶されている登録コードに、認証用コードと一致する登録コードがないと判断されると、サーバー１０８において「認証不能」と判断され、この判断結果を携帯電話網を介してメインコントローラー１２ｃに出力する（ステップＳ１１１６）。
【０２１２】
その後、メインコントローラー１２ｃの制御により、カードリーダー４０に設けられたＬＥＤランプ４６によって、利用者に対して「認証不能」であることを一定時間だけ示し（ステップＳ１１１８）、ステップＳ１１０４の処理に戻り、ステップＳ１１０４以降の処理を行う。
【０２１３】
即ち、ステップＳ１１１８の処理では、ＬＥＤランプ４６を点灯することにより、認証不能であることを示すこととなる。
【０２１４】
一方、ステップＳ１１１４の判断処理において、認証用コードと登録コードとが一致する、つまり、サーバー１０８に記憶されている登録コードに、認証用コードと一致する登録コードがあると判断されると、サーバー１０８において、出力された簡易情報とサーバー１０８に予め記憶されている簡易情報とが一致するか否かの判断を行う（ステップＳ１１２０）。
【０２１５】
即ち、このステップＳ１１２０の判断処理においては、サーバー１０８に記憶されている利用者情報のうち、ステップＳ１１１４の判断処理で認証用コードと一致すると判断された登録コードを有する利用者情報における簡易情報（「交付年月日」および「有効期限の末日」）が、ステップＳ１１１２の処理で出力された簡易情報（「交付年月日」および「有効期限の末日」）と一致するか否かを判断するものである。
【０２１６】
ステップＳ１１２０の判断処理において、簡易情報が一致しない、つまり、サーバー１０８に記憶された利用者情報のうち、認証用コードと一致した登録コードを有する利用者情報における簡易情報が、出力された簡易情報と一致しないと判断されると、サーバー１０８において「認証不能」と判断された後、ステップＳ１１１６の処理に進み、「認証不能」との判断結果を携帯電話網を介してメインコントローラー１２ｃに出力する。
【０２１７】
その後、ステップＳ１１１８の処理に進み、メインコントローラー１２ｃの制御により、カードリーダー４０に設けられたＬＥＤランプ４６を点灯することによって、利用者に対して「認証不能」であることを一定時間だけ示し、ステップＳ１１０４の処理に戻り、ステップＳ１１０４以降の処理を行う。
【０２１８】
一方、ステップＳ１１２０の判断処理において、簡易情報が一致する、つまり、サーバー１０８に記憶された利用者情報のうち、認証用コードと一致した登録コードを有する利用者情報における簡易情報が、出力された簡易情報と一致すると判断されると、サーバー１０８において「認証」と判断され、この判断結果を携帯電話網を介してメインコントローラー１２ｃに出力し（ステップＳ１１２２）、ステップＳ８０８の処理に進む。
【０２１９】
そして、ステップＳ８０８の処理では、「認証」との判断結果およびステップＳ８０４の処理での判断結果に基づいて、サーバー１０８で管理している予約情報において即時利用予約開始時点から３０分間だけ車両１１０の予約を行うとともに、予約サイトにおける車両１１０の予約を即時利用予約開始時点から３０分間だけ不可能な状態とする。
【０２２０】
即ち、サーバー１０８において、車両１１０の利用時間の管理などを行う予約情報において、即時利用予約開始時点から３０分間だけ車両１１０を第２の認証処理により認証された利用者が利用するための予約を行い、さらに、予約サイトにおいて、当該予約情報を反映するようにして、車両１１０の予約を即時利用予約開始時点から３０分間だけ不可能な状態とする。
【０２２１】
例えば、ステップＳ８０８の処理においては、１６時４６分を即時利用予約開始時点とすると、予約可能な時間単位は、１５分であるため、１６時４６分から１７時までの時間は無視され、１７時から３０分間の車両１１０の利用予約がなされることとなる。なお、このとき、無視された時間は、例えば、利用者が無料で利用できる。
【０２２２】
また、ステップＳ８０８の処理においては、メインコントローラー１２ｃの制御により、車両１１０のセキュリティを解除した状態とする。なお、車両１１０のセキュリティを解除した状態とは、具体的には、車両１１０のドアロックを解除するとともに、キーボックス１１６からキーを取り出すことができる状態である。
【０２２３】
そして、ＬＥＤランプ４４を一定時間点灯することにより、利用者に対して車両１１０のドアを開錠したことを示す。
【０２２４】
その後、即時利用予約装置１６を停止して（ステップＳ８１０）、第３の予約処理を終了することにより第１の即時利用予約処理を終了する。
【０２２５】
また、ステップＳ８０４の判断処理において、近接センサ１４−２が選択されなかったと判断されると、近接センサ１４−３が選択されたか否かの判断を行う（ステップＳ８１２）。
【０２２６】
なお、ステップＳ８１２の判断処理では、上記したステップＳ６０８の判断処理と同様にして、近接センサ１４−３が選択されたか否かの判断がなされる。
【０２２７】
このステップＳ８１２の判断処理において、近接センサ１４−３が選択されたと判断されると、３時間だけ車両１１０の即時利用の予約がなされたと判断され、ステップＳ８１４の処理に進み、第３の認証処理を開始する。
【０２２８】
ここで、図１２のフローチャートには、このステップＳ８１４の処理における第３の認証処理の詳細な処理内容が示されており、この第３の認証処理においては、まず、メインコントローラー１２ｃの制御により、カードリーダー４０を起動する（ステップＳ１２０２）。
【０２２９】
次に、利用者によりＩＣカードが読み取り部４２に翳されると、読み取り部４２に翳されたＩＣカードからカード情報として認証用コードを読み取る（ステップＳ １２０４）。
【０２３０】
そして、ＩＣカードから認証用コードを読み取ると、ＬＥＤランプ５４を点灯してＩＣカードから認証用コードを読み取ったことを示す（ステップＳ１２０６）。
【０２３１】
その後、利用者によりＩＣ運転免許証が読み取り部４２に翳されると、読み取り部４２に翳されたＩＣ運転免許証から免許証情報として簡易情報を読み取る（ステップＳ１２０８）。
【０２３２】
ここで、このステップＳ１２０８の処理において読み取る簡易情報としては、上記した第１の認証処理におけるステップＳ１００８の処理で取得する情報と同じ情報を取得することとなる。つまり、このステップＳ１２０８の処理においては、簡易情報のうちの「交付年月日」と「有効期限の末日」とを読み取ることとなる。
【０２３３】
そして、ＩＣ運転免許証から簡易情報を読み取ると、ＬＥＤランプ５６を点灯してＩＣ運転免許証から免許証情報を読み取ったことを示す（ステップＳ１２１０）。
【０２３４】
その後、読み取った認証用コードおよび簡易情報（「交付年月日」および「有効期限の末日」）と、ステップＳ８１２の処理においてなされた判断結果（つまり、車両１１０の３０分間の予約がなされたとの判断結果である。）とをメインコントローラー１２ｃから携帯電話網を介してサーバー１０８に出力する（ステップＳ１２１２）。
【０２３５】
こうして、読み取った認証用コードおよび簡易情報と、ステップＳ８１２の処理においてなされた判断結果とがサーバー１０８に出力されると、サーバー１０８において、出力された認証用コードとサーバー１０８に予め記憶されている登録コードとが一致するか否かの判断を行う（ステップＳ１２１４）。
【０２３６】
即ち、このステップＳ１２１４の判断処理においては、サーバー１０８に記憶されている登録コードに、ステップＳ１２１２の処理で出力された認証用コードと一致する登録コードがあるか否かを判断するものである。
【０２３７】
ステップＳ１２１４の判断処理において、認証用コードと登録コードとが一致しない、つまり、サーバー１０８に記憶されている登録コードに、認証用コードと一致する登録コードがないと判断されると、サーバー１０８において「認証不能」と判断され、この判断結果を携帯電話網を介してメインコントローラー１２ｃに出力する（ステップＳ１２１６）。
【０２３８】
その後、メインコントローラー１２ｃの制御により、カードリーダー４０に設けられたＬＥＤランプ４６によって、利用者に対して「認証不能」であることを一定時間だけ示し（ステップＳ１２１８）、ステップＳ１２０４の処理に戻り、ステップＳ１２０４以降の処理を行う。
【０２３９】
即ち、ステップＳ１２１８の処理では、ＬＥＤランプ４６を点灯することにより、認証不能であることを示すこととなる。
【０２４０】
一方、ステップＳ１２１４の判断処理において、認証用コードと登録コードとが一致する、つまり、サーバー１０８に記憶されている登録コードに、認証用コードと一致する登録コードがあると判断されると、サーバー１０８において、出力された簡易情報とサーバー１０８に予め記憶されている簡易情報とが一致するか否かの判断を行う（ステップＳ１２２０）。
【０２４１】
即ち、このステップＳ１２２０の判断処理においては、サーバー１０８に記憶されている利用者情報のうち、ステップＳ１２１４の判断処理で認証用コードと一致すると判断された登録コードを有する利用者情報における簡易情報（「交付年月日」および「有効期限の末日」）が、ステップＳ１２１２の処理で出力された簡易情報（「交付年月日」および「有効期限の末日」）と一致するか否かを判断するものである。
【０２４２】
ステップＳ１２２０の判断処理において、簡易情報が一致しない、つまり、サーバー１０８に記憶された利用者情報のうち、認証用コードと一致した登録コードを有する利用者情報における簡易情報が、出力された簡易情報と一致しないと判断されると、サーバー１０８において「認証不能」と判断された後、ステップＳ１２１６の処理に進み、「認証不能との判断結果を携帯電話網を介してメインコントローラー１２ｃに出力する。
【０２４３】
その後、ステップＳ１２１８の処理に進み、メインコントローラー１２ｃの制御により、カードリーダー４０に設けられたＬＥＤランプ４６を点灯することによって、利用者に対して「認証不能」であることを一定時間だけ示し、ステップＳ１２０４の処理に戻り、ステップＳ１２０４以降の処理を行う。
【０２４４】
一方、ステップＳ１２２０の判断処理において、簡易情報が一致する、つまり、サーバー１０８に記憶された利用者情報のうち、認証用コードと一致した登録コードを有する利用者情報における簡易情報が、出力された簡易情報と一致すると判断されると、サーバー１０８において「認証」と判断され、この判断結果を携帯電話網を介してメインコントローラー１２ｃに出力し（ステップＳ１２２２）、ステップＳ８１６の処理に進む。
【０２４５】
そして、ステップＳ８１６の処理では、「認証」との判断結果およびステップＳ８１２の処理での判断結果に基づいて、サーバー１０８で管理している予約情報において即時利用予約開始時点から３時間だけ車両１１０の予約を行うとともに、予約サイトにおける車両１１０の予約を即時利用予約開始時点から３時間だけ不可能な状態とする。
【０２４６】
即ち、サーバー１０８において、車両１１０の利用時間の管理などを行う予約情報において、即時利用予約開始時点から３時間だけ車両１１０を第３の認証処理により認証された利用者が利用するための予約を行い、さらに、予約サイトにおいて、当該予約情報を反映するようにして、車両１１０の予約を即時利用予約開始時点から３時間だけ不可能な状態とする。
【０２４７】
例えば、ステップＳ８１６の処理においては、１６時４６分を即時利用予約開始時点とすると、予約可能な時間単位は、１５分であるため、１６時４６分から１７時までの時間は無視され、１７時から３時間の車両１１０の利用予約がなされることとなる。なお、このとき、無視された時間は、例えば、利用者が無料で利用できる。
【０２４８】
また、ステップＳ８１６の処理においては、メインコントローラー１２ｃの制御により、車両１１０のセキュリティを解除した状態とする。なお、車両１１０のセキュリティを解除した状態とは、具体的には、車両１１０のドアロックを解除するとともに、キーボックス１１６からキーを取り出すことができる状態である。
【０２４９】
そして、ＬＥＤランプ４４を一定時間点灯することにより、利用者に対して車両１１０のドアを開錠したことを示す。
【０２５０】
その後、ステップＳ８１０の処理に進み、即時利用予約装置１６を停止して、第３の予約処理を終了することにより第１の即時利用予約処理を終了する。
【０２５１】
また、ステップＳ８１２の判断処理において、近接センサ１４−３が選択されなかったと判断されると、近接センサ１４−４が選択されたか否かの判断を行う（ステップＳ８１８）。
【０２５２】
なお、ステップＳ８１８の判断処理では、上記したステップＳ６１２の判断処理と同様にして、近接センサ１４−４が選択されたか否かの判断がなされる。
【０２５３】
このステップＳ８１８の判断処理において、近接センサ１４−４が選択されたと判断されると、近接センサ１４−４は選択不可能であるため、メインコントローラー１２ｃの制御により、ＬＥＤランプ２０−３を赤色で点滅させ（ステップＳ８２０）、後述するステップＳ８２２の処理に進む。
【０２５４】
また、ステップＳ８１８の判断処理において、近接センサ１４−４が選択されなかったと判断されると、近接センサ１４−１が選択されたか否かの判断を行う（ステップＳ８２２）。
【０２５５】
なお、ステップＳ８２２の判断処理では、上記したステップＳ６１６の判断処理と同様にして、近接センサ１４−１が選択されたか否かの判断がなされる。
【０２５６】
このステップＳ８２２の判断処理において、近接センサ１４−１が選択されたと判断されると、ステップＳ８１０の処理に進み、メインコントローラー１２ｃの制御により、即時利用予約装置１６を停止して、第３の予約処理を終了することにより第１の即時利用予約処理を終了する。
【０２５７】
また、ステップＳ８２２の判断処理において、近接センサ１４−１が選択されなかったと判断されると、ステップＳ８０２の処理から所定の時間（例えば、５分間）が経過したか否かの判断を行う（ステップＳ８２４）。
【０２５８】
即ち、このステップＳ８２４の判断処理においては、ＬＥＤランプ２０−１、２０−２を緑色、ＬＥＤランプ２０−３を赤色で点灯した時点からカウントされた時間が、所定の時間に達したか否かの判断を行うものである。
【０２５９】
このステップＳ８２４の判断処理において、所定の時間が経過したと判断されると、ステップＳ８１０の処理に進み、即時利用予約装置１６を停止して、第３の予約処理を終了することにより第１の即時利用予約処理を終了する。
【０２６０】
また、ステップＳ８２４の判断処理において、所定の時間が経過してないと判断されると、ステップＳ８０４の判断処理に戻って、ステップＳ８０４以降の処理を行う。
【０２６１】
即ち、この第３の予約処理においては、ステップＳ８０２の処理によりＬＥＤ２０−１、２０−２を緑色、ＬＥＤ２０−３を赤色で点灯した後には、近接センサ１４−１、１４−２、１４−３が利用者により選択されない限り、所定の時間が経過するまでステップＳ８０４〜ステップＳ８２４の処理を繰り返すこととなる。
【０２６２】
一方、ステップＳ５１８の判断処理において、車両１１０の利用可能な時間が１２時間以上であると判断されると、第４の予約処理が開始される（ステップＳ５２２）。
【０２６３】
ここで、図９のフローチャートには、このステップＳ５２２の処理における第４の予約処理の詳細な処理内容が示されており、この第４の予約処理においては、まず、メインコントローラー１２ｃの制御により、ＬＥＤランプ２０−１、２０−２、２０−３を緑色で点灯する（ステップＳ９０２）。
【０２６４】
その後、近接センサ１４−２が選択されたか否かの判断を行う（ステップＳ９０４）。
【０２６５】
なお、ステップＳ９０４の判断処理では、上記したステップＳ６０４の判断処理と同様にして、近接センサ１４−２が選択されたか否かの判断がなされる。
【０２６６】
このステップＳ９０４の判断処理において、近接センサ１４−２が選択されたと判断されると、３０分間だけ車両１１０の即時利用の予約がなされたと判断され、ステップＳ９０６の処理に進み、第４の認証処理を開始する。
【０２６７】
ここで、図１３のフローチャートには、このステップＳ９０６の処理における第４の認証処理の詳細な処理内容が示されており、この第４の認証処理においては、まず、メインコントローラー１２ｃの制御により、カードリーダー４０を起動する（ステップＳ１３０２）。
【０２６８】
次に、利用者によりＩＣカードが読み取り部４２に翳されると、読み取り部４２に翳されたＩＣカードからカード情報として認証用コードを読み取る（ステップＳ １３０４）。
【０２６９】
そして、ＩＣカードから認証用コードを読み取ると、ＬＥＤランプ５４を点灯してＩＣカードから認証用コードを読み取ったことを示す（ステップＳ１３０６）。
【０２７０】
その後、利用者によりＩＣ運転免許証が読み取り部４２に翳されると、読み取り部４２に翳されたＩＣ運転免許証から免許証情報として簡易情報を読み取る（ステップＳ１３０８）。
【０２７１】
ここで、このステップＳ１３０８の処理において読み取る簡易情報としては、上記した第１の認証処理におけるステップＳ１００８の処理で取得する情報と同じ情報を取得することとなる。つまり、このステップＳ１３０８の処理においては、簡易情報のうちの「交付年月日」と「有効期限の末日」とを読み取ることとなる。
【０２７２】
そして、ＩＣ運転免許証から簡易情報を読み取ると、ＬＥＤランプ５６を点灯してＩＣ運転免許証から免許証情報を読み取ったことを示す（ステップＳ１３１０）。
【０２７３】
その後、読み取った認証用コードおよび簡易情報（「交付年月日」および「有効期限の末日」）と、ステップＳ９０４の処理においてなされた判断結果（つまり、車両１１０の３０分間の予約がなされたとの判断結果である。）とをメインコントローラー１２ｃから携帯電話網を介してサーバー１０８に出力する（ステップＳ１３１２）。
【０２７４】
こうして、読み取った認証用コードおよび簡易情報と、ステップＳ９０４の処理においてなされた判断結果とがサーバー１０８に出力されると、サーバー１０８において、出力された認証用コードとサーバー１０８に予め記憶されている登録コードとが一致するか否かの判断を行う（ステップＳ１３１４）。
【０２７５】
即ち、このステップＳ１３１４の判断処理においては、サーバー１０８に記憶されている登録コードに、ステップＳ１３１２の処理で出力された認証用コードと一致する登録コードがあるか否かを判断するものである。
【０２７６】
ステップＳ１３１４の判断処理において、認証用コードと登録コードとが一致しない、つまり、サーバー１０８に記憶されている登録コードに、認証用コードと一致する登録コードがないと判断されると、サーバー１０８において「認証不能」と判断され、この判断結果を携帯電話網を介してメインコントローラー１２ｃに出力する（ステップＳ１３１６）。
【０２７７】
その後、メインコントローラー１２ｃの制御により、カードリーダー４０に設けられたＬＥＤランプ４６によって、利用者に対して「認証不能」であることを一定時間だけ示し（ステップＳ１３１８）、ステップＳ１３０４の処理に戻り、ステップＳ１３０４以降の処理を行う。
【０２７８】
即ち、ステップＳ１３１８の処理では、ＬＥＤランプ４６を点灯することにより、認証不能であることを示すこととなる。
【０２７９】
一方、ステップＳ１３１４の判断処理において、認証用コードと登録コードとが一致する、つまり、サーバー１０８に記憶されている登録コードに、認証用コードと一致する登録コードがあると判断されると、サーバー１０８において、出力された簡易情報とサーバー１０８に予め記憶されている簡易情報とが一致するか否かの判断を行う（ステップＳ１３２０）。
【０２８０】
即ち、このステップＳ１３２０の判断処理においては、サーバー１０８に記憶されている利用者情報のうち、ステップＳ１３１４の判断処理で認証用コードと一致すると判断された登録コードを有する利用者情報における簡易情報（「交付年月日」および「有効期限の末日」）が、ステップＳ１３１２の処理で出力された簡易情報（「交付年月日」および「有効期限の末日」）と一致するか否かを判断するものである。
【０２８１】
ステップＳ１３２０の判断処理において、簡易情報が一致しない、つまり、サーバー１０８に記憶された利用者情報のうち、認証用コードと一致した登録コードを有する利用者情報における簡易情報が、出力された簡易情報と一致しないと判断されると、サーバー１０８において「認証不能」と判断された後、ステップＳ１３１６の処理に進み、「認証不能」との判断結果を携帯電話網を介してメインコントローラー１２ｃに出力する。
【０２８２】
その後、ステップＳ１３１８の処理に進み、メインコントローラー１２ｃの制御により、カードリーダー４０に設けられたＬＥＤランプ４６を点灯することによって、利用者に対して「認証不能」であることを一定時間だけ示し、ステップＳ１３０４の処理に戻り、ステップＳ１３０４以降の処理を行う。
【０２８３】
一方、ステップＳ１３２０の判断処理において、簡易情報が一致する、つまり、サーバー１０８に記憶された利用者情報のうち、認証用コードと一致した登録コードを有する利用者情報における簡易情報が、出力された簡易情報と一致すると判断されると、サーバー１０８において「認証」と判断され、この判断結果を携帯電話網を介してメインコントローラー１２ｃに出力し（ステップＳ１３２２）、ステップＳ９０８の処理に進む。
【０２８４】
そして、ステップＳ９０８の処理では、「認証」との判断結果およびステップＳ９０４の処理での判断結果に基づいて、サーバー１０８で管理している予約情報において即時利用予約開始時点から３０分間だけ車両１１０の予約を行うとともに、予約サイトにおける車両１１０の予約を即時利用予約開始時点から３０分間だけ不可能な状態とする。
【０２８５】
即ち、サーバー１０８において、車両１１０の利用時間の管理などを行う予約情報において、即時利用予約開始時点から３０分間だけ車両１１０を第４の認証処理により認証された利用者が利用するための予約を行い、さらに、予約サイトにおいて、当該予約情報を反映するようにして、車両１１０の予約を即時利用予約開始時点から３０分間だけ不可能な状態とする。
【０２８６】
例えば、ステップＳ９０８の処理においては、１６時４６分を即時利用予約開始時点とすると、予約可能な時間単位は、１５分であるため、１６時４６分から１７時までの時間は無視され、１７時から３０分間の車両１１０の利用予約がなされることとなる。なお、このとき、無視された時間は、例えば、利用者が無料で利用できる。
【０２８７】
また、ステップＳ９０８の処理においては、メインコントローラー１２ｃの制御により、車両１１０のセキュリティを解除した状態とする。なお、車両１１０のセキュリティを解除した状態とは、具体的には、車両１１０のドアロックを解除するとともに、キーボックス１１６からキーを取り出すことができる状態である。
【０２８８】
そして、ＬＥＤランプ４４を一定時間点灯することにより、利用者に対して車両１１０のドアを開錠したことを示す。
【０２８９】
その後、即時利用予約装置１６を停止して（ステップＳ９１０）、第４の予約処理を終了することにより第１の即時利用予約処理を終了する。
【０２９０】
また、ステップＳ９０４の判断処理において、近接センサ１４−２が選択されなかったと判断されると、近接センサ１４−３が選択されたか否かの判断を行う（ステップＳ９１２）。
【０２９１】
なお、ステップＳ９１２の判断処理では、上記したステップＳ６０８の判断処理と同様にして、近接センサ１４−３が選択されたか否かの判断がなされる。
【０２９２】
このステップＳ９１２の判断処理において、近接センサ１４−３が選択されたと判断されると、３時間だけ車両１１０の即時利用の予約がなされたと判断され、ステップＳ９１４の処理に進み、第５の認証処理を開始する。
【０２９３】
ここで、図１４のフローチャートには、このステップＳ９１４の処理における第５の認証処理の詳細な処理内容が示されており、この第５の認証処理においては、まず、メインコントローラー１２ｃの制御により、カードリーダー４０を起動する（ステップＳ１４０２）。
【０２９４】
次に、利用者によりＩＣカードが読み取り部４２に翳されると、読み取り部４２に翳されたＩＣカードからカード情報として認証用コードを読み取る（ステップＳ １４０４）。
【０２９５】
そして、ＩＣカードから認証用コードを読み取ると、ＬＥＤランプ５４を点灯してＩＣカードから認証用コードを読み取ったことを示す（ステップＳ１４０６）。
【０２９６】
その後、利用者によりＩＣ運転免許証が読み取り部４２に翳されると、読み取り部４２に翳されたＩＣ運転免許証から免許証情報として簡易情報を読み取る（ステップＳ１４０８）。
【０２９７】
ここで、このステップＳ１４０８の処理において読み取る簡易情報としては、上記した第１の認証処理におけるステップＳ１００８の処理で取得する情報と同じ情報を取得することとなる。つまり、このステップＳ１４０８の処理においては、簡易情報のうちの「交付年月日」と「有効期限の末日」とを読み取ることとなる。
【０２９８】
そして、ＩＣ運転免許証から簡易情報を読み取ると、ＬＥＤランプ５６を点灯してＩＣ運転免許証から免許証情報を読み取ったことを示す（ステップＳ１４１０）。
【０２９９】
その後、読み取った認証用コードおよび簡易情報（「交付年月日」および「有効期限の末日」）と、ステップＳ９１２の処理においてなされた判断結果（つまり、車両１１０の３０分間の予約がなされたとの判断結果である。）とをメインコントローラー１２ｃから携帯電話網を介してサーバー１０８に出力する（ステップＳ１４１２）。
【０３００】
こうして、読み取った認証用コードおよび簡易情報と、ステップＳ９１２の処理においてなされた判断結果とがサーバー１０８に出力されると、サーバー１０８において、出力された認証用コードとサーバー１０８に予め記憶されている登録コードとが一致するか否かの判断を行う（ステップＳ１４１４）。
【０３０１】
即ち、このステップＳ１４１４の判断処理においては、サーバー１０８に記憶されている登録コードに、ステップＳ１４１２の処理で出力された認証用コードと一致する登録コードがあるか否かを判断するものである。
【０３０２】
ステップＳ１４１４の判断処理において、認証用コードと登録コードとが一致しない、つまり、サーバー１０８に記憶されている登録コードに、認証用コードと一致する登録コードがないと判断されると、サーバー１０８において「認証不能」と判断され、この判断結果を携帯電話網を介してメインコントローラー１２ｃに出力する（ステップＳ１４１６）。
【０３０３】
その後、メインコントローラー１２ｃの制御により、カードリーダー４０に設けられたＬＥＤランプ４６によって、利用者に対して「認証不能」であることを一定時間だけ示し（ステップＳ１４１８）、ステップＳ１４０４の処理に戻り、ステップＳ１４０４以降の処理を行う。
【０３０４】
即ち、ステップＳ１４１８の処理では、ＬＥＤランプ４６を点灯することにより、認証不能であることを示すこととなる。
【０３０５】
一方、ステップＳ１４１４の判断処理において、認証用コードと登録コードとが一致する、つまり、サーバー１０８に記憶されている登録コードに、認証用コードと一致する登録コードがあると判断されると、サーバー１０８において、出力された簡易情報とサーバー１０８に予め記憶されている簡易情報とが一致するか否かの判断を行う（ステップＳ１４２０）。
【０３０６】
即ち、このステップＳ１４２０の判断処理においては、サーバー１０８に記憶されている利用者情報のうち、ステップＳ１４１４の判断処理で認証用コードと一致すると判断された登録コードを有する利用者情報における簡易情報（「交付年月日」および「有効期限の末日」）が、ステップＳ１４１２の処理で出力された簡易情報（「交付年月日」および「有効期限の末日」）と一致するか否かを判断するものである。
【０３０７】
ステップＳ１４２０の判断処理において、簡易情報が一致しない、つまり、サーバー１０８に記憶された利用者情報のうち、認証用コードと一致した登録コードを有する利用者情報における簡易情報が、出力された簡易情報と一致しないと判断されると、サーバー１０８において「認証不能」と判断された後、ステップＳ１４１６の処理に進み、「認証不能」との判断結果を携帯電話網を介してメインコントローラー１２ｃに出力する。
【０３０８】
その後、ステップＳ１４１８の処理に進み、メインコントローラー１２ｃの制御により、カードリーダー４０に設けられたＬＥＤランプ４６を点灯することによって、利用者に対して「認証不能」であることを一定時間だけ示し、ステップＳ１４０４の処理に戻り、ステップＳ１４０４以降の処理を行う。
【０３０９】
一方、ステップＳ１４２０の判断処理において、簡易情報が一致する、つまり、サーバー１０８に記憶された利用者情報のうち、認証用コードと一致した登録コードを有する利用者情報における簡易情報が、出力された簡易情報と一致すると判断されると、サーバー１０８において「認証」と判断され、この判断結果を携帯電話網を介してメインコントローラー１２ｃに出力し（ステップＳ１４２２）、ステップＳ９１６の処理に進む。
【０３１０】
そして、ステップＳ９１６の処理では、「認証」との判断結果およびステップＳ９１２の処理での判断結果に基づいて、サーバー１０８で管理している予約情報において即時利用予約開始時点から３時間だけ車両１１０の予約を行うとともに、予約サイトにおける車両１１０の予約を即時利用予約開始時点から３時間だけ不可能な状態とする。
【０３１１】
即ち、サーバー１０８において、車両１１０の利用時間の管理などを行う予約情報において、即時利用予約開始時点から３時間だけ車両１１０を第５の認証処理により認証された利用者が利用するための予約を行い、さらに、予約サイトにおいて、当該予約情報を反映するようにして、車両１１０の予約を即時利用予約開始時点から３時間だけ不可能な状態とする。
【０３１２】
例えば、ステップＳ９１６の処理においては、１６時４６分を即時利用予約開始時点とすると、予約可能な時間単位は、１５分であるため、１６時４６分から１７時までの時間は無視され、１７時から３時間の車両１１０の利用予約がなされることとなる。なお、このとき、無視された時間は、例えば、利用者が無料で利用できる。
【０３１３】
また、ステップＳ９１６の処理においては、メインコントローラー１２ｃの制御により、車両１１０のセキュリティを解除した状態とする。なお、車両１１０のセキュリティを解除した状態とは、具体的には、車両１１０のドアロックを解除するとともに、キーボックス１１６からキーを取り出すことができる状態である。
【０３１４】
そして、ＬＥＤランプ４４を一定時間点灯することにより、利用者に対して車両１１０のドアを開錠したことを示す。
【０３１５】
その後、ステップＳ９１０の処理に進み、即時利用予約装置１６を停止して、第４の予約処理を終了することにより第１の即時利用予約処理を終了する。
【０３１６】
また、ステップＳ９１２の判断処理において、近接センサ１４−３が選択されなかったと判断されると、近接センサ１４−４が選択されたか否かの判断を行う（ステップＳ９１８）。
【０３１７】
なお、ステップＳ９１８の判断処理では、上記したステップＳ６１２の判断処理と同様にして、近接センサ１４−４が選択されたか否かの判断がなされる。
【０３１８】
このステップＳ９１８の判断処理において、近接センサ１４−４が選択されたと判断されると、１２時間だけ車両１１０の即時利用の予約がなされたと判断され、ステップＳ９２０の処理に進み、第６の認証処理を開始する。
【０３１９】
ここで、第１５のフローチャートには、このステップＳ９２０の処理における第６の認証処理の詳細な処理内容が示されており、この第６の認証処理においては、まず、メインコントローラー１２ｃの制御により、カードリーダー４０を起動する（ステップＳ１５０２）。
【０３２０】
次に、利用者によりＩＣカードが読み取り部４２に翳されると、読み取り部４２に翳されたＩＣカードからカード情報として認証用コードを読み取る（ステップＳ １５０４）。
【０３２１】
そして、ＩＣカードから認証用コードを読み取ると、ＬＥＤランプ５４を点灯してＩＣカードから認証用コードを読み取ったことを示す（ステップＳ１５０６）。
【０３２２】
その後、利用者によりＩＣ運転免許証が読み取り部４２に翳されると、読み取り部４２に翳されたＩＣ運転免許証から免許証情報として簡易情報を読み取る（ステップＳ１５０８）。
【０３２３】
ここで、このステップＳ１５０８の処理において読み取る簡易情報としては、上記した第１の認証処理におけるステップＳ１００８の処理で取得する情報と同じ情報を取得することとなる。つまり、このステップＳ１５０８の処理においては、簡易情報のうちの「交付年月日」と「有効期限の末日」とを読み取ることとなる。
【０３２４】
そして、ＩＣ運転免許証から簡易情報を読み取ると、ＬＥＤランプ５６を点灯してＩＣ運転免許証から免許証情報を読み取ったことを示す（ステップＳ１５１０）。
【０３２５】
その後、読み取った認証用コードおよび簡易情報（「交付年月日」および「有効期限の末日」）と、ステップＳ９１８の処理においてなされた判断結果（つまり、車両１１０の３０分間の予約がなされたとの判断結果である。）とをメインコントローラー１２ｃから携帯電話網を介してサーバー１０８に出力する（ステップＳ１５１２）。
【０３２６】
こうして、読み取った認証用コードおよび簡易情報と、ステップＳ９１８の処理においてなされた判断結果とがサーバー１０８に出力されると、サーバー１０８において、出力された認証用コードとサーバー１０８に予め記憶されている登録コードとが一致するか否かの判断を行う（ステップＳ１５１４）。
【０３２７】
即ち、このステップＳ１５１４の判断処理においては、サーバー１０８に記憶されている登録コードに、ステップＳ１５１２の処理で出力された認証用コードと一致する登録コードがあるか否かを判断するものである。
【０３２８】
ステップＳ１５１４の判断処理において、認証用コードと登録コードとが一致しない、つまり、サーバー１０８に記憶されている登録コードに、認証用コードと一致する登録コードがないと判断されると、サーバー１０８において「認証不能」と判断され、この判断結果を携帯電話網を介してメインコントローラー１２ｃに出力する（ステップＳ１５１６）。
【０３２９】
その後、メインコントローラー１２ｃの制御により、カードリーダー４０に設けられたＬＥＤランプ４６によって、利用者に対して「認証不能」であることを一定時間だけ示し（ステップＳ１５１８）、ステップＳ１５０４の処理に戻り、ステップＳ１５０４以降の処理を行う。
【０３３０】
即ち、ステップＳ１５１８の処理では、ＬＥＤランプ４６を点灯することにより、認証不能であることを示すこととなる。
【０３３１】
一方、ステップＳ１５１４の判断処理において、認証用コードと登録コードとが一致する、つまり、サーバー１０８に記憶されている登録コードに、認証用コードと一致する登録コードがあると判断されると、サーバー１０８において、出力された簡易情報とサーバー１０８に予め記憶されている簡易情報とが一致するか否かの判断を行う（ステップＳ１５２０）。
【０３３２】
即ち、このステップＳ１５２０の判断処理においては、サーバー１０８に記憶されている利用者情報のうち、ステップＳ１５１４の判断処理で認証用コードと一致すると判断された登録コードを有する利用者情報における簡易情報（「交付年月日」および「有効期限の末日」）が、ステップＳ１５１２の処理で出力された簡易情報（「交付年月日」および「有効期限の末日」）と一致するか否かを判断するものである。
【０３３３】
ステップＳ１５２０の判断処理において、簡易情報が一致しない、つまり、サーバー１０８に記憶された利用者情報のうち、認証用コードと一致した登録コードを有する利用者情報における簡易情報が、出力された簡易情報と一致しないと判断されると、サーバー１０８において「認証不能」と判断された後、ステップＳ１５１６の処理に進み、「認証不能」との判断結果を携帯電話網を介してメインコントローラー１２ｃに出力する。
【０３３４】
その後、ステップＳ１５１８の処理に進み、メインコントローラー１２ｃの制御により、カードリーダー４０に設けられたＬＥＤランプ４６を点灯することによって、利用者に対して「認証不能」であることを一定時間だけ示し、ステップＳ１５０４の処理に戻り、ステップＳ１５０４以降の処理を行う。
【０３３５】
一方、ステップＳ１５２０の判断処理において、簡易情報が一致する、つまり、サーバー１０８に記憶された利用者情報のうち、認証用コードと一致した登録コードを有する利用者情報における簡易情報が、出力された簡易情報と一致すると判断されると、サーバー１０８において「認証」と判断され、この判断結果を携帯電話網を介してメインコントローラー１２ｃに出力し（ステップＳ１５２２）、ステップＳ１５２２の処理に進む。
【０３３６】
そして、ステップＳ９２２の処理では、「認証」との判断結果およびステップＳ９１８の処理での判断結果に基づいて、サーバー１０８で管理している予約情報において即時利用予約開始時点から１２時間だけ車両１１０の予約を行うとともに、予約サイトにおける車両１１０の予約を即時利用予約開始時点から１２時間だけ不可能な状態とする。
【０３３７】
即ち、サーバー１０８において、車両１１０の利用時間の管理などを行う予約情報において、即時利用予約開始時点から１２時間だけ車両１１０を第６の認証処理により認証された利用者が利用するための予約を行い、さらに、予約サイトにおいて、当該予約情報を反映するようにして、車両１１０の予約を即時利用予約開始時点から１２時間だけ不可能な状態とする。
【０３３８】
例えば、ステップＳ９２２の処理においては、１６時４６分を即時利用予約開始時点とすると、予約可能な時間単位は、１５分であるため、１６時４６分から１７時までの時間は無視され、１７時から１２時間の車両１１０の利用予約がなされることとなる。なお、このとき、無視された時間は、例えば、利用者が無料で利用できる。
【０３３９】
また、ステップＳ９２２の処理においては、メインコントローラー１２ｃの制御により、車両１１０のセキュリティを解除した状態とする。なお、車両１１０のセキュリティを解除した状態とは、具体的には、車両１１０のドアロックを解除するとともに、キーボックス１１６からキーを取り出すことができる状態である。
【０３４０】
そして、ＬＥＤランプ４４を一定時間点灯することにより、利用者に対して車両１１０のドアを開錠したことを示す。
【０３４１】
その後、ステップＳ９１０の処理に進み、即時利用予約装置１６を停止して、第４の予約処理を終了することにより第１の即時利用予約処理を終了する。
【０３４２】
また、ステップＳ９１８の判断処理において、近接センサ１４−４が選択されなかったと判断されると、近接センサ１４−１が選択されたか否かの判断を行う（ステップＳ９２４）。
【０３４３】
なお、ステップＳ９２４の判断処理では、上記したステップＳ６１６の判断処理と同様にして、近接センサ１４−１が選択されたか否かの判断がなされる。
【０３４４】
このステップＳ９２４の判断処理において、近接センサ１４−１が選択されたと判断されると、ステップＳ９１０の処理に進み、メインコントローラー１２ｃの制御により、即時利用予約装置１６を停止して、第４の予約処理を終了することにより第１の即時利用予約処理を終了する。
【０３４５】
また、ステップＳ９２４の判断処理において、近接センサ１４−１が選択されなかったと判断されると、ステップＳ９０２の処理から所定の時間（例えば、５分間）が経過したか否かの判断を行う（ステップＳ９２６）。
【０３４６】
即ち、このステップＳ９２６の判断処理においては、ＬＥＤランプ２０−１、２０−２、２０−３を緑色で点灯した時点からカウントされた時間が、所定の時間に達したか否かの判断を行うものである。
【０３４７】
このステップＳ９２６の判断処理において、所定の時間が経過したと判断されると、ステップＳ９１０の処理に進み、即時利用予約装置１６を停止して、第４の予約処理を終了することにより第１の即時利用予約処理を終了する。
【０３４８】
また、ステップＳ９２６の判断処理において、所定の時間が経過していないと判断されると、ステップＳ９０４の判断処理に戻って、ステップＳ９０４以降の処理を行う。
【０３４９】
即ち、この第４の予約処理においては、ステップＳ９０２の処理によりＬＥＤ２０−１、２０−２、２０−３を緑色で点灯した後には、近接センサ１４−１、１４−２、１４−３、１４−４が利用者により選択されない限り、所定の時間が経過するまでステップＳ９０４〜ステップＳ９２６の処理を繰り返すこととなる。
【０３５０】
ステップＳ４０４の処理で行った車両１１０の予約が事前予約の場合には、予約した利用開始日時になると、サーバー１０８から予約情報が携帯電話網を介してメインコントローラー１２ｃに出力され、メインコントローラー１２ｃの制御により、カードリーダー４０が起動される。
【０３５１】
そして、利用者は予約した利用開始日時に車両１１０が駐車された駐車場まで行き、車両１１０を利用することとなる。
【０３５２】
また、ステップＳ４０４の処理で行った車両１１０の予約が即時利用予約の場合には、利用者は、即時利用予約後に、直ちに車両１１０を利用することとなる。
【０３５３】
そして、車両１１０の利用を開始する際は、利用者は、起動されたカードリーダー４０にＩＣカードやＩＣ運転免許証を翳すことにより、車両利用前の認証処理を行う（ステップＳ４０６）。
【０３５４】
なお、このステップＳ４０６の処理による車両利用前の認証処理については、ステップＳ４０２の処理でなされた車両１１０への予約が事前予約であった場合になされるものであり、ステップＳ４０４の処理でなされた車両１１０への予約が即時利用予約であった場合には省略される。
【０３５５】
また、ステップＳ４０６の処理による車両利用前の認証処理については、例えば、ＩＣカードのみを用いるようにしてもよいし、ＩＣ運転免許証のみを用いるようにしてもよいし、ＩＣカードおよびＩＣ運転免許証の両方を用いるようにしてもよい。
【０３５６】
ここで、ＩＣカードのみを用いた車両利用前の認証処理およびＩＣ運転免許証のみを用いた車両利用前の認証処理については、従来より公知の技術を用いることができるため、その詳細な説明は省略する。なお、ＩＣカードのみを用いた車両利用前の認証処理では、ＩＣカードからカード情報（認証用コード）を読み取った際に、カード情報を読み取った旨を表示しないようにしてもよいし、ＬＥＤランプ５４を用いてカード情報を読み取った旨を表示してもよい。同様に、ＩＣ運転免許証のみを用いた車両利用前の認証処理では、ＩＣ運転免許証から免許証情報（簡易情報）を読み取った際に、免許証情報を読み取った旨を表示しないようにしてもよいし、ＬＥＤランプ５６を用いて免許証情報を読み取った旨を表示してもよい。
【０３５７】
従って、このステップＳ４０６の処理における車両利用前の認証処理については、ＩＣカードおよびＩＣ運転免許証の両方を用いるようにした場合について説明する。
【０３５８】
ここで、図１６のフローチャートには、このステップＳ４０６の処理における車両利用前の認証処理の詳細な処理内容が示されており、この車両利用前の認証処理においては、まず、利用開始時間（事前予約によりなされた車両１１０の利用を開始する時間である。）の１５分前になると、メインコントローラー１２ｃの制御により、カードリーダー４０を起動する（ステップＳ１６０２）。
【０３５９】
即ち、このステップＳ１６０２の処理では、利用開始時間の１５分前になると、所定の信号がサーバー１０８から携帯電話網を介してメインコントローラー１２ｃに出力される。
【０３６０】
なお、所定の信号とは、例えば、利用開始１５分前を知らせる信号でもよいし、カードリーダー４０の起動を指示する信号でもよく、メインコントローラー１２ｃの制御によりカードリーダー４０を起動できれば、どのような信号でもよい。
【０３６１】
また、こうした所定の信号をサーバー１０８から出力するタイミングとして、利用開始時間の１５分前としたが、こうした時間は一例に過ぎず、利用開始時間の５分前あるいは１０分前など任意の時間としてもよい。
【０３６２】
次に、利用者によりＩＣカードが読み取り部４２に翳されると、読み取り部４２に翳されたＩＣカードからカード情報として認証用コードを読み取る（ステップＳ１６０４）。
【０３６３】
そして、ＩＣカードから認証用コードを読み取ると、ＬＥＤランプ５４を点灯してＩＣカードから認証用コードを読み取ったことを示す（ステップＳ１６０６）。
【０３６４】
その後、利用者によりＩＣ運転免許証が読み取り部４２に翳されると、読み取り部４２に翳されたＩＣ運転免許証から免許証情報として簡易情報を読み取る（ステップＳ１６０８）。
【０３６５】
ここで、このステップＳ１６０８の処理において読み取る簡易情報としては、上記した第１の認証処理におけるステップＳ１００８の処理で取得する情報と同じ情報を取得することとなる。つまり、このステップＳ１６０８の処理においては、簡易情報のうちの「交付年月日」と「有効期限の末日」とを読み取ることとなる。
【０３６６】
そして、ＩＣ運転免許証から簡易情報を読み取ると、ＬＥＤランプ５６を点灯してＩＣ運転免許証から免許証情報を読み取ったことを示す（ステップＳ１６１０）。
【０３６７】
その後、読み取った認証用コードおよび簡易情報（「交付年月日」および「有効期限の末日」）をメインコントローラー１２ｃから携帯電話網を介してサーバー１０８に出力する（ステップＳ１６１２）。
【０３６８】
こうして、読み取った認証用コードおよび簡易情報がサーバー１０８に出力されると、サーバー１０８において、出力された認証用コードとサーバー１０８に予め記憶されている登録コードとが一致するか否かの判断を行う（ステップＳ１６１４）。
【０３６９】
即ち、このステップＳ１６１４の判断処理においては、サーバー１０８に記憶されている登録コードに、ステップＳ１６１２の処理で出力された認証用コードと一致する登録コードがあるか否かを判断するものである。
【０３７０】
ステップＳ１６１４の判断処理において、認証用コードと登録コードとが一致しない、つまり、サーバー１０８に記憶されている登録コードに、認証用コードと一致する登録コードがないと判断されると、サーバー１０８において「認証不能」と判断され、この判断結果を携帯電話網を介してメインコントローラー１２ｃに出力する（ステップＳ１６１６）。
【０３７１】
その後、メインコントローラー１２ｃの制御により、カードリーダー４０に設けられたＬＥＤランプ４６によって、利用者に対して「認証不能」であることを一定時間だけ示し（ステップＳ１６１８）、ステップＳ１６０４の処理に戻り、ステップＳ１６０４以降の処理を行う。
【０３７２】
即ち、ステップＳ１６１８の処理では、ＬＥＤランプ４６を点灯することにより、認証不能であることを示すこととなる。
【０３７３】
一方、ステップＳ１６１４の判断処理において、認証用コードと登録コードとが一致する、つまり、サーバー１０８に記憶されている登録コードに、認証用コードと一致する登録コードがあると判断されると、サーバー１０８において、出力された簡易情報とサーバー１０８に予め記憶されている簡易情報とが一致するか否かの判断を行う（ステップＳ１６２０）。
【０３７４】
即ち、このステップＳ１６２０の判断処理においては、サーバー１０８に記憶されている利用者情報のうち、ステップＳ１６１４の判断処理で認証用コードと一致すると判断された登録コードを有する利用者情報における簡易情報（「交付年月日」および「有効期限の末日」）が、ステップＳ１６１２の処理で出力された簡易情報（「交付年月日」および「有効期限の末日」）と一致するか否かを判断するものである。
【０３７５】
ステップＳ１６２０の判断処理において、簡易情報が一致しない、つまり、サーバー１０８に記憶された利用者情報のうち、認証用コードと一致した登録コードを有する利用者情報における簡易情報が、出力された簡易情報と一致しないと判断されると、サーバー１０８において「認証不能」と判断された後、ステップＳ１６１６の処理に進み、「認証不能」との判断結果を携帯電話網を介してメインコントローラー１２ｃに出力する。
【０３７６】
その後、ステップＳ１６１８の処理に進み、メインコントローラー１２ｃの制御により、カードリーダー４０に設けられたＬＥＤランプ４６を点灯することによって、利用者に対して「認証不能」であることを一定時間だけ示し、ステップＳ１６０４の処理に戻り、ステップＳ１６０４以降の処理を行う。
【０３７７】
一方、ステップＳ１６２０の判断処理において、簡易情報が一致する、つまり、サーバー１０８に記憶された利用者情報のうち、認証用コードと一致した登録コードを有する利用者情報における簡易情報が、出力された簡易情報と一致すると判断されると、サーバー１０８において「認証」と判断され、この判断結果を携帯電話網を介してメインコントローラー１２ｃに出力する（ステップＳ１６２２）。
【０３７８】
その後、「認証」との判断結果に基づいて、メインコントローラー１２ｃの制御により、車両１１０のセキュリティを解除した状態とし（ステップＳ１６２４）、ステップＳ４０８の処理に進む。
【０３７９】
なお、車両１１０のセキュリティを解除した状態とは、具体的には、車両１１０のドアロックを解除するとともに、キーボックス１１６からキーを取り出すことができる状態である。また、このとき、ＬＥＤランプ４４を一定時間点灯することにより、利用者に対して車両１１０のドアを開錠したことを示す。
【０３８０】
ステップＳ４０６の処理による車両利用前の認証処理により認証が完了すると、メインコントローラー１２ｃの制御によりカードリーダー４０の電源を切る。
【０３８１】
そして、利用者は、車両１１０を利用して（ステップＳ４０８）、車両１１０の利用を終了する時間までに、車両１１０を予め決められた駐車場に駐車させる。
【０３８２】
その後、車両１１０を返却する際には、利用者は、車両１１０に対して、キーを利用して車両１１０のエンジンを停止するとともに、当該キーをキーボックス１１６に返却し、車両１１０から降車して車両１１０の全てのドアを閉めるようにする。
【０３８３】
その後、車両１１０を返却するための認証処理である、車両利用後の認証処理を行う（ステップＳ４１０）。
【０３８４】
なお、このステップＳ４１０の処理による車両利用後の認証処理については、ステップＳ４０６の処理による車両利用前の認証処理に対応して、ＩＣカードやＩＣ運転免許証を用いて行われる。
【０３８５】
例えば、車両利用前の認証処理においてＩＣカードのみを用いた場合には、車両利用後の認証処理においてもＩＣカードのみを用い、また、車両利用前の認証処理においてＩＣ運転免許証のみを用いた場合には、車両利用後の認証処理においてもＩＣ運転免許証のみを用い、また、車両利用前の認証処理においてＩＣカードおよびＩＣ運転免許証の両方を用いた場合には、車両利用後の認証処理においてもＩＣカードおよびＩＣ運転免許証の両方を用いるようにする。
【０３８６】
ここで、ＩＣカードのみを用いた車両利用後の認証処理およびＩＣ運転免許証のみを用いた車両利用後の認証処理については、従来より公知の技術を用いることができるため、その詳細な説明は省略することとする。なお、ＩＣカードのみを用いた車両利用後の認証処理では、ＩＣカードからカード情報（認証用コード）を読み取った際に、カード情報を読み取った旨を表示しないようにしてもよいし、ＬＥＤランプ５４を用いてカード情報を読み取った旨を表示してもよい。同様に、ＩＣ運転免許証のみを用いた車両利用後の認証処理では、ＩＣ運転免許証から免許証情報（簡易情報）を読み取った際に、免許証情報を読み取った旨を表示しないようにしてもよいし、ＬＥＤランプ５６を用いて免許証情報を読み取った旨を表示してもよい。
【０３８７】
従って、このステップＳ４１０の処理における車両利用後の認証処理については、ＩＣカードおよびＩＣ運転免許証の両方を用いるようにした場合について説明する。
【０３８８】
ここで、図１７のフローチャートには、このステップＳ４１０の処理による車両利用後の認証処理の詳細な処理内容が示されており、この車両利用後の認証処理においては、まず、監視部１２ｅにおけるイグニッション１１０ｄ、キーボックス１１６ならびにドアスイッチ１１０ｃの監視結果に基づいて、メインコントローラー１２ｃにおいて、車両１１０のエンジンが停止され、キーボックス１１６にキーが返却され、かつ、車両１１０の全てのドアが閉められているか否かの判断を行う（ステップＳ１７０２）。
【０３８９】
ステップ１７０２の判断処理において、「車両１１０のエンジンの停止」、「キーボックス１１６へのキーの返却」、「車両１１０の全てのドアが閉められていること」の３つのうちの１つでも行われていないと判断されると、継続して車両１１０を利用するものと判断して、この車両利用後の認証処理を終了する。
【０３９０】
一方、ステップＳ１７０２の判断処理において、車両１１０のエンジンが停止され、キーボックス１１６にキーが返却され、かつ、車両１１０の全てのドアが閉められていると判断されると、メインコントローラー１２ｃの制御により、カードリーダー４０を起動する（ステップＳ１７０４）。
【０３９１】
次に、利用者によりＩＣカードが読み取り部４２に翳されると、読み取り部４２に翳されたＩＣカードからカード情報として認証用コードを読み取る（ステップＳ１７０６）。
【０３９２】
そして、ＩＣカードから認証用コードを読み取ると、ＬＥＤランプ５４を点灯してＩＣカードから認証用コードを読み取ったことを示す（ステップＳ１７０８）。
【０３９３】
その後、利用者によりＩＣ運転免許証が読み取り部４２に翳されると、読み取り部４２に翳されたＩＣ運転免許証から免許証情報として簡易情報を読み取る（ステップＳ１７１０）。
【０３９４】
ここで、このステップＳ１７１０の処理において読み取る簡易情報としては、上記した第１の認証処理におけるステップＳ１００８の処理で取得する情報と同じ情報を取得することとなる。つまり、このステップＳ１７１０の処理においては、簡易情報のうちの「交付年月日」と「有効期限の末日」とを読み取ることとなる。
【０３９５】
そして、ＩＣ運転免許証から簡易情報を読み取ると、ＬＥＤランプ５６を点灯してＩＣ運転免許証から免許証情報を読み取ったことを示す（ステップＳ１７１２）。
【０３９６】
その後、読み取った認証用コードおよび簡易情報（「交付年月日」および「有効期限の末日」）をメインコントローラー１２ｃから携帯電話網を介してサーバー１０８に出力する（ステップＳ１７１４）。
【０３９７】
こうして、読み取った認証用コードおよび簡易情報がサーバー１０８に出力されると、サーバー１０８において、出力された認証用コードとサーバー１０８に予め記憶されている登録コードとが一致するか否かの判断を行う（ステップＳ１７１６）。
【０３９８】
即ち、このステップＳ１７１６の判断処理においては、サーバー１０８に記憶されている登録コードに、ステップＳ１７１４の処理で出力された認証用コードと一致する登録コードがあるか否かを判断するものである。
【０３９９】
ステップＳ１７１６の判断処理において、認証用コードと登録コードとが一致しない、つまり、サーバー１０８に記憶されている登録コードに、認証用コードと一致する登録コードがないと判断されると、サーバー１０８において「認証不能」と判断され、この判断結果を携帯電話網を介してメインコントローラー１２ｃに出力する（ステップＳ１７１８）。
【０４００】
その後、メインコントローラー１２ｃの制御により、カードリーダー４０に設けられたＬＥＤランプ４６によって、利用者に対して「認証不能」であることを一定時間だけ示し（ステップＳ１７２０）、ステップＳ１７０６の処理に戻り、ステップＳ１７０６以降の処理を行う。
【０４０１】
即ち、ステップＳ１７２０の処理では、ＬＥＤランプ４６を点灯することにより、認証不能であることを示すこととなる。
【０４０２】
一方、ステップＳ１７１６の判断処理において、認証用コードと登録コードとが一致する、つまり、サーバー１０８に記憶されている登録コードに、認証用コードと一致する登録コードがあると判断されると、サーバー１０８において、出力された簡易情報とサーバー１０８に予め記憶されている簡易情報とが一致するか否かの判断を行う（ステップＳ１７２２）。
【０４０３】
即ち、このステップＳ１７２２の判断処理においては、サーバー１０８に記憶されている利用者情報のうち、ステップＳ１７１６の判断処理で認証用コードと一致すると判断された登録コードを有する利用者情報における簡易情報（「交付年月日」および「有効期限の末日」）が、ステップＳ１７１４の処理で出力された簡易情報（「交付年月日」および「有効期限の末日」）と一致するか否かを判断するものである。
【０４０４】
ステップＳ１７２２の判断処理において、簡易情報が一致しない、つまり、サーバー１０８に記憶された利用者情報のうち、認証用コードと一致した登録コードを有する利用者情報における簡易情報が、出力された簡易情報と一致しないと判断されると、サーバー１０８において「認証不能」と判断された後、ステップＳ１７１８の処理に進み、「認証不能」との判断結果を携帯電話網を介してメインコントローラー１２ｃに出力する。
【０４０５】
その後、ステップＳ１７２０の処理に進み、メインコントローラー１２ｃの制御により、カードリーダー４０に設けられたＬＥＤランプ４６を点灯することによって、利用者に対して「認証不能」であることを一定時間だけ示し、ステップＳ１７０６の処理に戻り、ステップＳ１７０６以降の処理を行う。
【０４０６】
一方、ステップＳ１７２２の判断処理において、簡易情報が一致する、つまり、サーバー１０８に記憶された利用者情報のうち、認証用コードと一致した登録コードを有する利用者情報における簡易情報が、出力された簡易情報と一致すると判断されると、サーバー１０８で管理されている予約情報から、Ｓ１７１４の処理で出力された認証用コードと一致した登録コードの利用者の予約状況を確認し（ステップＳ１７２４）、この処理が行われている時点において、当該利用者が利用している車両１１０が存在するか否かの判断を行う（ステップＳ１７２６）。
【０４０７】
即ち、ステップＳ１７２４の処理では、ステップＳ１７１６、Ｓ１７２２の判断処理で特定した利用者情報を有する利用者の予約状況を確認することとなる。
【０４０８】
また、ステップＳ１７２６の判断処理では、ステップＳ１７２４の処理における確認結果に基づいて、この処理が行われている時点において、利用者が利用している車両１１０が存在する、つまり、利用者による車両１１０の利用予約があるか否かの判断を行うこととなる。
【０４０９】
このステップＳ１７２６の判断処理において、利用者が利用している車両１１０が存在しないと判断されると、サーバー１０８において「認証不能」と判断され、この判断結果を携帯電話網を介してメインコントローラー１２ｃに出力する（ステップＳ１７２８）。
【０４１０】
その後、メインコントローラー１２ｃの制御により、ＬＥＤランプ４６を点灯することによって、利用者に対して「認証不能」であることを一定時間示し（ステップＳ１７３０）、この車両利用後の認証処理を終了する。
【０４１１】
なお、ステップＳ１７３０の処理においては、さらに、ＬＥＤランプ５０によって、利用者に対して事業者への連絡を促すようにしてもよい。
【０４１２】
一方、ステップＳ１７２６の判断処理において、利用者が利用している車両１１０が存在すると判断されると、サーバー１０８において「認証」と判断され、この判断結果を携帯電話網を介してメインコントローラー１２ｃに出力する（ステップＳ１７３２）。
【０４１３】
その後、メインコントローラー１２ｃの制御により、車両１１０のセキュリティを起動した状態とし（ステップＳ１７３４）、ステップＳ４１２の処理に進む。
【０４１４】
なお、車両１１０のセキュリティを起動した状態とは、具体的には、車両１１０のドアロックを行うとともに、キーボックス１１６からキーを取り出すことができない状態である。また、このとき、ＬＥＤランプ４４を一定時間点灯することにより、利用者に対して車両１１０のドアを施錠したことを示す。
【０４１５】
そして、ステップＳ４１０の処理による車両利用後の認証処理により認証が完了すると、メインコントローラー１２ｃの制御により、カードリーダー４０の電源を切る。
【０４１６】
その後、サーバー１０８において、車両１１０の利用により生じた車両１１０の利用料金の精算がなされる（ステップＳ４１２）。
【０４１７】
即ち、ステップＳ４１２の処理では、車両利用後の認証処理が完了すると、車両１１０の利用が終了した時点の車両１１０の総走行距離や燃料残量など、利用料金の算出に必要な各種情報を取得し、取得した各情報をメインコントローラー１２ｃから携帯電話網を介してサーバー１０８に出力する。その後、サーバー１０８において、各情報に基づいて、車両１１０の利用により発生した料金の算出が行われる。
【０４１８】
なお、こうして算出した利用料金は、予め決められた利用者への料金請求日などの所定のタイミングで、それぞれの利用者のパーソナルコンピューター１０４や携帯端末１０６に通知する。
【０４１９】
また、こうした各利用者による予約状況や利用料金については、表やグラフなどにまとめられ事業者がパーソナルコンピューター１０２により閲覧可能なようにサーバー１０８における記憶手段（図示せず。）に記憶する。
【０４２０】
以上において説明したように、本発明の第１の実施の形態によるによる車両予約システムを備えたカーシェアリングシステム１０は、即時利用予約装置１６とともにＩＣカードおよびＩＣ運転免許証のＩＣチップに記憶された情報を読み取ることができるカードリーダー４０を備えるようにした。
【０４２１】
そして、車両１１０を直ちに利用したい利用者は、この即時利用予約装置１６を起動することで、即時利用予約装置１６が車両１１０を利用することが可能な時間を複数表示するようにした。
【０４２２】
その後、利用者が、即時利用予約装置１６に表示された時間（車両１１０を利用可能な時間である。）から、任意の時間を選択することで、ＩＣカードおよびＩＣ運転免許証による認証がなされた場合にのみ、即時利用予約の処理を開始した時点から、選択した時間だけ車両１１０を利用するための予約を行うようにした。
【０４２３】
これにより、本発明の第１の実施の形態による車両予約システムを備えたカーシェアリングシステム１０においては、即時利用予約装置１６により車両１１０を直ちに利用可能な予約を行う即時利用予約を行うことができるようになる。
【０４２４】
このため、本発明の第１の実施の形態による車両予約システムを備えたカーシェアリングシステム１０によれば、車両１１０を直ちに利用したい場合には、容易に、かつ、短時間で即時利用予約を行って、車両１１０を利用することができるようになる。
【０４２５】
また、本発明の第１の実施の形態による車両予約システムを備えたカーシェアリングシステム１０は、事業者が発行したＩＣカードだけではなく、運転時に常に携帯が義務づけられているＩＣ運転免許証も利用して認証処理を行うようにした。
【０４２６】
このため、本発明の第１の実施の形態による車両予約システムを備えたカーシェアリングシステム１０においては、ＩＣカードのみ、あるいは、ＩＣ運転免許証のみを利用して認証処理を行う従来の技術と比較して、より高い精度で利用者に対する認証を行うことができるようになる。
【０４２７】
次に、図１９乃至図３４を参照しながら、本発明による車両予約システムの第２の実施の形態について説明する。
【０４２８】
以下の説明においては、上記した本発明による車両予約システムの第１の実施の形態と同様に、本発明の第２の実施の形態よる車両予約システムを、カーシェアリングシステムに用いた場合について説明する。
【０４２９】
図１９には、本発明の第２の実施の形態による車両予約システムを備えたカーシェアリングシステムの概要を示すブロック構成説明図が示されている。
【０４３０】
この図１９に示す本発明の第２の実施の形態による車両予約システムを備えたカーシェアリングシステム５０は、カードリーダー４０に換えて、カードリーダー６０を有するようにした点においてのみ、上記した本発明の第１の実施の形態よる車両予約システムを備えたカーシェアリングシステム１０と異なっている。
【０４３１】
このカードリーダー６０は、メインコントローラー１２ｃによりその起動が制御される。
【０４３２】
また、カードリーダー６０は、車両１１０内に配設されるとともに、車両１１０の外部から利用者がＩＣカードおよびＩＣ運転免許証を翳すことにより、当該ＩＣカードおよびＩＣ運転免許証における情報を読み取ることが可能な位置に配置される。
【０４３３】
カードリーダー６０には、ＩＣカードに内蔵されたＩＣチップ内の情報（カード情報であり、より詳細には、認証用コードである。）を読み取ることが可能なセンサ（図示せず。）と、ＩＣ運転免許証に内蔵されたＩＣチップ内の情報（免許証情報であり、より詳細には、詳細情報および簡易情報である。）を読み取ることが可能なセンサ（図示せず。）とが配設されている。
【０４３４】
これによりカードリーダー６０では、読み取り部６２（後述する。）にＩＣカードまたはＩＣ運転免許証を翳すことにより、内蔵されたＩＣチップ内の情報を読み取ることができる。
【０４３５】
そして、カードリーダー６０は、読み取り部６２（後述する。）にＩＣ運転免許証が翳されると、ＩＣ運転免許証のＩＣチップに記憶された簡易情報および詳細情報を読み取り、読み取った簡易情報および詳細情報をメインコントローラー１２ｃに出力するとともに、読み取り部６２（後述する。）にＩＣカードが翳されると、ＩＣカードのＩＣチップに記憶された認証用コードを読み取り、読み取った認証用コードをメインコントローラー１２ｃに出力する。
【０４３６】
なお、読み取る簡易情報としては、「仕様書バージョン番号」、「免許交付年月日」、「免許証の有効期限の末日」、「カード製造者識別子」および「暗号関数識別子」のうちの少なくともいずれか１つの情報が設定され、設定された１つまたは複数の情報が簡易情報としてカードリーダー６０で読み取られる。また、読み取る詳細情報としては、「氏名」、「生年月日」、「免許証交付年月日」、「免許証の有効期限」、「免許の種類」、「免許証番号」、「本籍」および「顔写真」のうちの少なくともいずれか１つの情報が設定され、設定された１つまたは複数の情報が詳細情報としてカードリーダー６０で読み取られる。
【０４３７】
ここで、カードリーダー６０では、読み取り部６２（後述する。）にＩＣ運転免許証が翳されたときに、所定のデータ領域における詳細情報を取得するには暗証番号が必要となる。
【０４３８】
このときには、カードリーダー６０は、メインコントローラー１２ｃを介して入力された暗証番号をＩＣ運転免許証に内蔵されたＩＣチップに出力する。この暗証番号とは、第１の暗証番号および第２の暗証番号であり、カードリーダー６０で読み取る詳細情報が、「氏名」、「生年月日」、「免許証交付年月日」、「免許証の有効期限」、「免許の種類」、「免許証番号」であれは、第１の暗証番号のみがメインコントローラー１２ｃを介してカードリーダー６０に入力され、カードリーダー６０で読み取る詳細情報に「本籍」、「顔写真」が含まれる場合には、第１の暗証番号および第２の暗証番号がメインコントローラー１２ｃを介してカードリーダー６０に入力されることとなる。
【０４３９】
その後、ＩＣ運転免許証のＩＣチップにおいて、出力された暗証番号を当該ＩＣチップに記憶された暗証番号とを照合する。
【０４４０】
そして、照合の結果が一致した場合にのみ、カードリーダー６０によって、ＩＣチップにおける所定のデータ領域へのアクセスが可能となって、カードリーダー６０において、当該所定のデータ領域における詳細情報を取得することができる。
【０４４１】
さらに、カードリーダー６０には、翳されたＩＣカードおよびＩＣ運転免許証に内蔵されたＩＣチップに記憶された情報を読み取る読み取り部６２と、点灯することにより車両１１０のドアが施錠および開錠したことを示すＬＥＤランプ６４と、点灯することにより認証がなされなかったことを示すＬＥＤランプ６６と、点灯パターンにより電波が届かないエリアに車両１１０が位置することを示すＬＥＤランプ６８と、点灯パターンにより事業者への連絡を促すＬＥＤランプ６０と、点灯パターンにより車両１１０のドアが閉められていないことを示すＬＥＤランプ６２と、点灯することによりＩＣカードのＩＣチップに記憶されたカード情報を読み取ったことを示すＬＥＤランプ７４と、点灯することによりＩＣ運転免許証のＩＣチップに記憶された免許証情報を読み取ったことを示すＬＥＤランプ７６とが設けられている（図１８を参照する。）。なお、こうしたカードリーダー６０に設けられたＬＥＤランプについては、メインコントローラー１２ｃにより、点灯パターンが制御される。
【０４４２】
こうしたカードリーダー６０には、カードリーダー６０の起動を利用者に視認させるためのＬＥＤランプ（図示せず。）が設けるようにしてもよく、カードリーダー６０が起動すると、当該ＬＥＤランプが点灯あるいは点滅するなどして、利用者に対してカードリーダー６０の起動を知らせる。
【０４４３】
次に、図２０を参照しながら、本発明の第２の実施の形態による車両予約システムを備えたカーシェアリングシステム５０における車両の利用手順について説明する。
【０４４４】
まず、カーシェアリング５０を利用するに際して、利用者が事業者に対して会員登録を申請すると、事業者は、利用者の登録処理を行う（ステップＳ２００２）。
【０４４５】
即ち、この登録処理では、事業者が利用者に対して、ＩＣカード、ＩＤおよびパスワードの配布を行うとともに、利用者の免許証情報の登録を行うこととなる。
【０４４６】
具体的には、事業者は、登録を行う利用者に対して、利用者がサーバー１０８で管理された予約サイトにログインする際に必要となるＩＤおよびパスワードを設定して配布する。
【０４４７】
また、事業者は、登録を行う利用者に対して、当該利用者固有の登録コードを作成し、当該登録コードをサーバー１０８内に設けられた記憶手段（図示せず。）に当該利用者の利用者情報として記憶するとともに、当該登録コードを認証用コードとして記憶したＩＣカードを作成し、作成したＩＣカードを利用者に配布する。なお、利用者情報とは、各利用者それぞれ個別に設定された情報である。
【０４４８】
さらに、事業者は、登録を行う利用者のＩＣ運転免許証に内蔵されたＩＣチップから、当該ＩＣチップに記憶された情報を免許証情報として取得し、取得した免許証情報を当該利用者の利用者情報の１つとしてサーバー１０８に記憶する。
【０４４９】
さらにまた、事業者は、ＩＣ運転免許証を作成したときに設定した暗証番号を利用者から取得し、取得した暗証番号を当該利用者の利用者情報の１つとしてサーバー１０８に記憶する。
【０４５０】
ここで、カードリーダー６０においてＩＣ運転免許証から読み取る詳細情報が、「氏名」、「生年月日」、「免許証交付年月日」、「免許証の有効期限」、「免許の種類」、「免許証番号」であれば、この登録処理では第１の暗証番号のみを取得し、取得した第１の暗証番号を利用者情報の１つとして記憶するようにする。また、カードリーダー６０においてＩＣ運転免許証から読み取る詳細情報に「本籍」、「顔写真」が含まれる場合には、この登録処理で第１の暗証番号および第２の暗証番号を取得し、取得した第１の暗証番号および第２の暗証番号を利用者情報の１つとして記憶するようにする。
【０４５１】
なお、以下に説明する本実施の形態においては、カードリーダー６０においてＩＣ運転免許証から読み取る詳細情報を「免許証番号」のみとし、簡易情報を「交付年月日」および「有効期限の末日」とした場合について説明する。従って、以下の説明においては、第１の暗証番号のみが利用者情報として記憶されることとなる。
【０４５２】
この登録処理により、利用者情報として、認証用コードと簡易情報と暗証番号とが記憶されることとなる。
【０４５３】
そして、登録処理を完了した利用者は、事業者が管理する車両１１０を利用しようとする場合には、まず、利用する車両１１０を予約する（ステップＳ２００４）。
【０４５４】
なお、本発明の第２の実施の形態による車両予約システムを備えたカーシェアリングシステム５０においては、車両１１０を携帯端末１０６やパーソナルコンピューター１０４により予約する事前予約処理と、車両１１０を即時利用予約装置１６により予約する即時利用予約処理とを行うことができる。
【０４５５】
即ち、事前予約処理は、パーソナルコンピューター１０４や携帯端末１０６を介して、利用する車両１１０の予約を行うものである。
【０４５６】
なお、こうした事前予約処理は、従来より公知の技術を用いることができるものであるため、その詳細な説明は省略するが、例えば、パーソナルコンピューター１０４または携帯電話１０６を利用してサーバー１０８に管理された予約サイトにアクセスして、登録処理の際に取得したＩＤおよびパスワードを入力して予約サイトにログインし、ログインした予約サイトにおいて車両１１０の状態や車両１１０の予約状況といった情報を閲覧し、利用者の要望にあった車両１１０の予約を行うものである。
【０４５７】
また、即時利用予約処理は、車両１１０に設けられた即時利用予約装置１６を利用して車両１１０の予約を行うものである。
【０４５８】
以下、本発明の第２の実施の形態による車両予約システムを備えたカーシェアリングシステムにおける即時利用予約処理について、図２１を参照しながら、詳細に説明する。
【０４５９】
図２１には、本発明の第２の実施の形態による車両予約システムを備えたカーシェアリングシステムにおける即時利用予約処理たる第２の即時利用予約処理の詳細な処理内容を示すフローチャートが示されている。
【０４６０】
この本発明の第２の実施の形態による車両予約システムを備えたカーシェアリングシステム５０における即時利用予約処理たる第２の即時利用予約処理は、即時利用予約装置１６において、利用者により近接センサ１４−１が選択される（つまり、利用者が車両１１０の外から近接センサ１４−１に指を近づけることである。）と、開始されることとなる。
【０４６１】
第２の即時利用予約処理が開始されると、まず、メインコントローラー１２ｃから車両情報をサーバー１０８に出力する（ステップＳ２１０２）。
【０４６２】
即ち、このステップＳ２１０２の処理では、即時利用予約装置１６が起動した車両１１０を特定することが可能な車両情報を、メインコントローラー１２ｃから携帯電話網を利用してサーバー１０８に出力する。
【０４６３】
次に、サーバー１０８において、メインコントローラー１２ｃより出力された車両情報から特定される車両１１０の予約状況を確認する（ステップＳ２１０４）。
【０４６４】
即ち、ステップＳ２１０４の処理では、メインコントローラー１２ｃから出力された車両情報により管理されている車両１１０の予約サイトにおける予約状況を確認する。
【０４６５】
その後、確認した車両１１０の予約状況に基づいて、現時点から車両１１０を利用することが可能な時間を算出する（ステップＳ２１０６）。
【０４６６】
即ち、ステップＳ２１０６の処理では、確認した車両１１０の予約状況から、車両１１０の予約状況を確認した時点（以下、「車両１１０の予約状況を確認した時点」を、「即時利用予約開始時点」と称する。）から、連続して車両１１０を利用することが可能な時間を算出する。
【０４６７】
具体的には、サーバー１０８において、車両１１０の予約状況から、即時利用予約開始時点から次の予約までの時間を算出する。なお、算出する時間単位については、予約サイトにおける車両１１０の予約可能な時間単位であり、例えば、１５分単位で算出される。
【０４６８】
より具体的には、１６時４６分を即時利用予約開始時点とし、車両１１０の次の予約が１８時３０分からなされているとすると、予約可能な時間単位は１５分なので、１６時４６分から１７時までの時間は無視され、１７時から１５分単位で次の予約までの時間が計算され、次の予約が１８時３０分からなので、即時利用予約開始時点から次の予約までの時間は、１７時から１８時３０分までの１時間３０分と算出される。
【０４６９】
そして、ステップＳ２１０６の処理で算出した車両１１０を利用することが可能な時間を、サーバー１０８から携帯電話網を介してメインコントローラー１２ｃに出力する（ステップＳ２１０８）。
【０４７０】
次に、車両１１０を利用することが可能な時間が出力されたメインコントローラー１２ｃにおいて、出力された車両１１０を利用することが可能な時間が、３０分間以上であるか否かの判断を行う（ステップＳ２１１０）。
【０４７１】
このステップＳ２１１０の判断処理において、車両１１０を利用することが可能な時間が、３０分間以上でないと判断されると、第１の予約処理が開始される（ステップＳ２１１２）。
【０４７２】
ここで、図２２のフローチャートには、このステップＳ２１１２の処理における第１の予約処理の詳細な処理内容が示されており、この第１の予約処理においては、まず、メインコントローラー１２ｃの制御により、ＬＥＤランプ２０−１、２０−２、２０−３を赤色で点灯する（ステップＳ２２０２）。
【０４７３】
その後、近接センサ１４−２が選択されたか否かの判断を行う（ステップＳ２２０４）。
【０４７４】
即ち、ステップＳ２２０４の判断処理においては、監視部１２ｅの監視に基づいてメインコントローラー１２ｃにより、近接センサ１４−２から所定の信号（例えば、静電容量の変化を表す信号）を取得したか否かを判断するものであり、近接センサ１４−２から所定の信号を取得した場合には、近接センサ１４−２が選択されたと判断され、近接センサ１４−２から所定の信号を取得しなかった場合には、近接センサ１４−２が選択されなかったと判断される。
【０４７５】
このステップＳ２２０４の判断処理において、近接センサ１４−２が選択されたと判断されると、近接センサ１４−２は選択不可能であるため、メインコントローラー１２ｃの制御により、ＬＥＤランプ２０−１を赤色で点滅させ（ステップＳ２２０６）、後述するステップＳ２２０８の処理に進む。
【０４７６】
また、ステップＳ２２０４の判断処理において、近接センサ１４−２が選択されなかったと判断されると、近接センサ１４−３が選択されたか否かの判断を行う（ステップＳ２２０８）。
【０４７７】
即ち、ステップＳ２２０８の判断処理においては、監視部１２ｅの監視により、近接センサ１４−３から所定の信号（例えば、静電容量の変化を表す信号）を取得したか否かを判断するものであり、近接センサ１４−３から所定の信号を取得した場合には、近接センサ１４−３が選択されたと判断され、近接センサ１４−３から所定の信号を取得しなかった場合には、近接センサ１４−３が選択されなかったと判断される。
【０４７８】
このステップＳ２２０８の判断処理において、近接センサ１４−３が選択されたと判断されると、近接センサ１４−３は選択不可能であるため、メインコントローラー１２ｃの制御により、ＬＥＤランプ２０−２を赤色で点滅させ（ステップＳ２２１０）、後述するステップＳ２２１２の処理に進む。
【０４７９】
また、ステップＳ２２０８の判断処理において、近接センサ１４−３が選択されなかったと判断されると、近接センサ１４−４が選択されたか否かの判断を行う（ステップＳ２２１２）。
【０４８０】
即ち、ステップＳ２２１２の判断処理においては、監視部１２ｅの監視により、近接センサ１４−４から所定の信号（例えば、静電容量の変化を表す信号）を取得したか否かを判断するものであり、近接センサ１４−４から所定の信号を取得した場合には、近接センサ１４−４が選択されたと判断され、近接センサ１４−４から所定の信号を取得したかった場合には、近接センサ１４−４が選択されなかったと判断される。
【０４８１】
このステップＳ２２１２の判断処理において、近接センサ１４−４が選択されたと判断されると、近接センサ１４−４は選択不可能であるため、メインコントローラー１２ｃの制御により、ＬＥＤランプ２０−３を赤色で点滅させ（ステップＳ２２１４）、後述するステップＳ２２１６の処理に進む。
【０４８２】
また、ステップＳ２２１２の判断処理において、近接センサ１４−４が選択されなかったと判断されると、近接センサ１４−１が選択されたか否かの判断を行う（ステップＳ２２１６）。
【０４８３】
即ち、ステップＳ２２１６の判断処理においては、監視部１２ｅの監視により、近接センサ１４−１から所定の信号（例えば、静電容量の変化を表す信号）を取得したか否かを判断するものであり、近接センサ１４−１から所定の信号を取得した場合には、近接センサ１４−１が選択されたと判断され、近接センサ１４−１から所定の信号を取得しなかった場合には、近接センサ１４−１が選択されなかったと判断される。
【０４８４】
このステップＳ２２１６の判断処理において、近接センサ１４−１が選択されたと判断されると、メインコントローラー１２ｃの制御により、即時利用予約装置１６を停止し（ステップＳ２２２０）、第１の予約処理を終了することにより第１の即時利用予約処理を終了する。
【０４８５】
また、ステップＳ２２１６の判断処理において、近接センサ１４−１が選択されなかったと判断されると、ステップＳ２２０２の処理から所定の時間（例えば、５分間）が経過したか否かの判断を行う（ステップＳ２２１８）。
【０４８６】
即ち、このステップＳ２２１８の判断処理においては、ＬＥＤランプ２０−１、２０−２、２０−３を赤色で点灯した時点からカウントされた時間が、所定の時間に達したか否かの判断を行うものである。
【０４８７】
このステップＳ２２１８の判断処理において、所定の時間が経過したと判断されると、ステップＳ２２２０の処理に進み、即時利用予約装置１６を停止して、第１の予約処理を終了することにより第１の即時利用予約処理を終了する。
【０４８８】
また、ステップＳ２２１８の判断処理において、所定の時間が経過していないと判断されると、ステップＳ２２０４の判断処理に戻って、ステップＳ２２０４以降の処理を行う。
【０４８９】
即ち、この第１の予約処理においては、ステップＳ２２０２の処理によりＬＥＤランプ２０−１、２０−２、２０−３を赤色で点灯した後には、近接センサ１４−１が利用者により選択されない限り、所定の時間が経過するまでステップＳ２２０４〜ステップＳ２２１８の処理を繰り返すこととなる。
【０４９０】
一方、ステップＳ２１１０の判断処理において、車両１１０の利用することが可能な時間が、３０分以上であると判断されると、車両１１０の利用することが可能な時間が、３時間以上であるか否かの判断を行う（ステップＳ２１１４）。
【０４９１】
このステップＳ２１１４の判断処理において、車両１１０を利用することが可能な時間が、３時間以上でないと判断されると、第２の予約処理が開始される（ステップＳ２１１６）。
【０４９２】
ここで、図２３のフローチャートには、このステップＳ２１１６の処理における第２の予約処理の詳細な処理内容が示されており、この第２の予約処理においては、まず、メインコントローラー１２ｃの制御により、ＬＥＤランプ２０−１を緑色で点灯するとともに、ＬＥＤランプ２０−２、２０−３を赤色で点灯する（ステップＳ２３０２）。
【０４９３】
その後、近接センサ１４−２が選択されたか否かの判断を行う（ステップＳ２３０４）。
【０４９４】
なお、ステップＳ２３０４の判断処理では、上記したステップＳ２２０４の判断処理と同様にして、近接センサ１４−２が選択されたか否かの判断がなされる。
【０４９５】
このステップＳ２３０４の判断処理において、近接センサ１４−２が選択されたと判断されると、３０分間だけ車両１１０の即時利用の予約がなされたと判断され、ステップＳ２３０６の処理に進み、第１の認証処理を開始する。
【０４９６】
ここで、図２６のフローチャートには、このステップＳ２３０６の処理における第１の認証処理の詳細な処理内容が示されており、この第１の認証処理においては、まず、メインコントローラー１２ｃの制御により、カードリーダー６０を起動する（ステップＳ２６０２）。
【０４９７】
次に、利用者によりＩＣカードが読み取り部６２に翳されると、読み取り部６２に翳されたＩＣカードからカード情報として認証用コードを読み取り、読み取った認証用コードをサーバー１０８に出力する（ステップＳ２６０４）。
【０４９８】
そして、ＩＣカードから認証用コードを読み取ると、ＬＥＤランプ７４を点灯してＩＣカードから認証用コードを読み取ったことを示す（ステップＳ２６０６）。
【０４９９】
その後、サーバー１０８において、出力された認証用コードとサーバー１０８に予め記憶されている登録コードとが一致するか否かの判断を行う（ステップＳ２６０８）。
【０５００】
即ち、このステップＳ２６０８の判断処理においては、サーバー１０８に記憶されている登録コードに、ステップＳ２６０４の処理で出力された認証用コードと一致する登録コードがあるか否かの判断を行うものである。
【０５０１】
ステップＳ２６０８の判断処理において、認証用コードと登録コードとが一致しない、つまり、サーバー１０８に記憶されている登録コードに、認証用コードと一致する登録コードがないと判断されると、サーバー１０８において、「認証不能」と判断され、この判断結果を携帯電話網を介してメインコントローラー１２ｃに出力する（ステップＳ２６１０）。
【０５０２】
その後、メインコントローラー１２ｃの制御により、カードリーダー６０に設けられたＬＥＤランプ６６によって、利用者に対して「認証不能」であることを一定時間だけ示し（ステップＳ２６１２）、ステップＳ２６０４の処理に戻り、ステップＳ２６０４以降の処理を行う。
【０５０３】
即ち、ステップＳ２６１２の処理では、ＬＥＤランプ６６を点灯することにより、認証不能であることを示すこととなる。
【０５０４】
一方、ステップＳ２６０８の判断処理において、認証用コードと登録コードとが一致する、つまり、サーバー１０８に記憶されている登録コードに、認証用コードと一致する登録コードがあると判断されると、サーバー１０８において、認証用コードと一致する登録コードを有する利用者情報から免許証情報として簡易情報を取得するとともに第１の暗証番号を取得し、取得した簡易情報および第１の暗証番号をメインコントローラー１２ｃに出力する（ステップＳ２６１４）。
【０５０５】
即ち、このステップＳ２６１４の処理では、認証用コードと一致する登録コードを有する利用者情報から、簡易情報の「交付年月日」および「有効期限の末日」と、「第１の暗証番号」とを取得し、取得した「交付年月日」、「有効期限の末日」および「第１の暗証番号」をメインコントローラー１２ｃに出力することとなる。
【０５０６】
その後、利用者によりＩＣ運転免許証が読み取り部６２に翳されると、読み取り部６２に翳されたＩＣ運転免許証から免許証情報として簡易情報を読み取る（ステップＳ２６１６）。
【０５０７】
即ち、このステップＳ２６１６の処理では、簡易情報として「交付年月日」および「有効期限の末日」を取得することとなる。
【０５０８】
そして、ＩＣ運転免許証から簡易情報を読み取ると、ＬＥＤランプ７６を、例えば、点滅してＩＣ運転免許証から免許証情報を読み取り中であることを示す（ステップＳ２６１８）。
【０５０９】
次に、メインコントローラー１２ｃにおいて、ステップＳ２６１４の処理で出力された簡易情報と、ステップＳ２６１６の処理で取得した簡易情報とが一致するか否かの判断を行う（ステップＳ２６２０）。
【０５１０】
即ち、このステップＳ２６２０の判断処理においては、ステップＳ２６１４の処理で出力された簡易情報たる「交付年月日」および「有効期限の末日」と、ステップＳ２６１６の処理で取得した簡易情報たる「交付年月日」および「有効期限の末日」とが一致するか否かの判断を行うものである。
【０５１１】
ステップＳ２６２０の判断処理において、ステップＳ２６１４の処理で出力された簡易情報と、ステップＳ２６１６の処理で取得した簡易情報とが一致しないと判断されると、メインコントローラー１２ｃの制御により、カードリーダー６０に設けられたＬＥＤランプ６６によって、利用者に対して「認証不能」であることを一定時間だけ示し（ステップＳ２６２２）、ステップＳ２６１６の処理に戻り、ステップＳ２６１６以降の処理を行う。
【０５１２】
即ち、ステップＳ２６２２の処理では、ＬＥＤランプ６６を点灯することにより、認証不能であることを示すこととなる。
【０５１３】
一方、ステップＳ２６２０の判断処理において、ステップＳ２６１４の処理で出力された簡易情報と、ステップＳ２６１６の処理で取得した簡易情報とが一致したと判断されると、読み取り部６２に翳されているＩＣ運転免許証から、第１の暗証番号を用いて詳細情報を読み取る（ステップＳ２６２４）。
【０５１４】
即ち、ステップＳ２６２４の処理では、ステップＳ２６１４の処理で出力された第１の暗証番号を用いて、ＩＣ運転免許証から詳細情報たる「免許証番号」を取得することとなる。
【０５１５】
そして、ＩＣ運転免許証から詳細情報を取得することができたか否かの判断を行う（ステップＳ２６２６）。
【０５１６】
即ち、このステップＳ２６２６の判断処理では、カードリーダー６０からメインコントローラー１２ｃに詳細情報（免許証情報）が出力されたか否かの判断を行うこととなり、カードリーダー６０からメインコントローラー１２ｃに詳細情報が出力されると、メインコントローラー１２ｃにおいてＩＣ運転免許証から詳細情報を取得することができたと判断され、カードリーダー６０からメインコントローラー１２ｃに詳細情報が出力されないと、メインコントローラー１２ｃにおいてＩＣ運転免許証から詳細情報を取得することができなかったと判断される。
【０５１７】
ステップＳ２６２６の判断処理において、詳細情報が取得できなかったと判断されると、ステップＳ２６２２の処理に進み、「認証不能」であることを一定時間だけ示し、ステップＳ２６１６の処理に戻って、ステップＳ２６１６以降の処理を行う。
【０５１８】
一方、ステップＳ２６２６の判断処理において、詳細情報が取得できたと判断されると、ＬＥＤランプ７６を点灯してＩＣ運転免許証から免許証情報を読み取ったことを示す（ステップＳ２６２７）。
【０５１９】
そして、取得した詳細情報と、ステップＳ２３０４の処理でなされた判断結果をサーバー１０８に出力する（ステップＳ２６２８）。
【０５２０】
即ち、このステップＳ２６２８の処理では、ステップＳ２６２４の処理で取得した詳細情報たる「免許証番号」と、ステップＳ２３０４の処理でなされた判断結果（つまり、車両１１０の３０分間の予約がなされたとの判断結果である。）とをメインコントローラー１２ｃから携帯電話網を介してサーバー１０８に出力する。
【０５２１】
その後、サーバー１０８において、出力された詳細情報とサーバー１０８に予め記憶されている詳細情報とが一致するか否かの判断を行う（ステップＳ２６３０）。
【０５２２】
即ち、このステップＳ２６３０の判断処理においては、サーバー１０８に記憶されている利用者情報のうち、ステップＳ２６０８の判断処理で認証用コードと一致すると判断された登録コードを有する利用者情報における詳細情報（免許証番号）が、ステップＳ２６２８の処理で出力された詳細情報（免許証番号）と一致するか否かを判断するものである。
【０５２３】
ステップＳ２６３０の判断処理において、詳細情報が一致しない、つまり、ステップＳ２６０８の判断処理で認証用コードと一致すると判断された登録コードを有する利用者情報における詳細情報が、ステップＳ２６２８の処理で出力された詳細情報と一致しないと判断されると、サーバー１０８において「認証不能」と判断され、この判断結果を携帯電話網を介してメインコントローラー１２ｃに出力する（ステップＳ２６３２）。
【０５２４】
そして、メインコントローラー１２ｃの制御により、カードリーダー６０に設けられたＬＥＤランプ６６によって、利用者に対して「認証不能」であることを一定時間だけ示し（ステップＳ２６３４）、ステップＳ２６１６の処理に戻って、ステップＳ２６１６以降の処理を行う。
【０５２５】
即ち、ステップＳ２６３４の処理では、ＬＥＤランプ６６を点灯することにより、認証不能であることを示すこととなる。
【０５２６】
一方、ステップＳ２６３０の判断処理において、詳細情報が一致する、つまり、ステップＳ２６０８の判断処理で認証用コードと一致すると判断された登録コードを有する利用者情報における詳細情報が、ステップＳ２６２８の処理で出力された詳細情報と一致すると判断されると、サーバー１０８において「認証」と判断され、この判断結果を携帯電話網を介してメインコントローラー１２ｃに出力し（ステップＳ２６３６）、ステップＳ２３０８の処理に進む。
【０５２７】
また、ステップＳ２３０８の処理では、「認証」との判断結果およびステップＳ２３０４の処理での判断結果に基づいて、サーバー１０８で管理している予約情報において即時利用予約開始時点から３０分間だけ車両１１０の予約を行うとともに、予約サイトにおける車両１１０の予約を即時利用予約開始時点から３０分間だけ不可能な状態とする。
【０５２８】
即ち、サーバー１０８において、車両１１０の利用時間の管理などを行う予約情報で、即時利用予約開始時点から３０分間だけ車両１１０を第１の認証処理により認証された利用者が利用するための予約を行い、さらに、予約サイトにおいて、当該予約情報を反映するようにして、車両１１０の予約を即時利用予約開始時点から３０分間だけ不可能な状態とする。
【０５２９】
例えば、ステップＳ２３０８の処理においては、１６時４６分を即時利用予約開始時点とすると、予約可能な時間単位は、１５分であるため、１６時４６分から１７時までの時間は無視され、１７時から３０分間の車両１１０の利用予約がなされることとなる。なお、このとき、無視された時間は、例えば、利用者が無料で利用できる。
【０５３０】
また、ステップＳ２３０８の処理においては、メインコントローラー１２ｃの制御により、車両１１０のセキュリティを解除した状態、つまり、車両１１０のドアロックを解除するとともに、キーボックス１１６からキーを取り出すことができる状態とする。
【０５３１】
そして、ＬＥＤランプ６４を一定時間点灯することにより、利用者に対して車両１１０のドアを開錠したことを示す。
【０５３２】
その後、即時利用予約装置１６を停止して（ステップＳ２３１０）、第２の予約処理を終了することにより第２の即時利用予約処理を終了する。
【０５３３】
また、ステップＳ２３０４の判断処理において、近接センサ１４−２が選択されなかったと判断されると、近接センサ１４−３が選択されたか否かの判断を行う（ステップＳ２３１２）。
【０５３４】
なお、ステップＳ２３１２の判断処理では、上記したステップＳ２２０８の判断処理と同様にして、近接センサ１４−３が選択されたか否かの判断がなされる。
【０５３５】
このステップＳ２３１２の判断処理において、近接センサ１４−３が選択されたと判断されると、近接センサ１４−３は選択不可能であるため、メインコントローラー１２ｃの制御により、ＬＥＤランプ２０−２を赤色で点滅させ（ステップＳ２３１４）、後述するステップＳ２３１６の処理に進む。
【０５３６】
また、ステップＳ２３１２の判断処理において、近接センサ１４−３が選択されなかったと判断されると、近接センサ１４−４が選択されたか否かの判断を行う（ステップＳ２３１６）。
【０５３７】
なお、ステップＳ２３１６の判断処理では、上記したステップＳ２２１２の判断処理と同様にして、近接センサ１４−４が選択されたか否かの判断がなされる。
【０５３８】
このステップＳ２３１６の判断処理において、近接センサ１４−４が選択されたと判断されると、近接センサ１４−４は選択不可能であるため、メインコントローラー１２ｃの制御により、ＬＥＤランプ２０−３を赤色で点滅させ（ステップ２３１８）、後述するステップＳ２３２０の処理に進む。
【０５３９】
また、ステップＳ２３１６の判断処理において、近接センサ１４−４が選択されなかったと判断されると、近接センサ１４−１が選択されたか否かの判断を行う（ステップＳ２３２０）。
【０５４０】
なお、ステップＳ２３２０の判断処理では、上記したステップＳ２２１６の判断処理と同様にして、近接センサ１４−１が選択されたか否かの判断がなされる。
【０５４１】
このステップＳ２３２０の判断処理において、近接センサ１４−１が選択されたと判断されると、ステップＳ２３１０の処理に進み、メインコントローラー１２ｃの制御により、即時利用予約装置１６を停止して、第２の即時利用予約処理を終了する。
【０５４２】
また、ステップＳ２３２０の判断処理において、近接センサ１４−１が選択されなかったと判断されると、ステップＳ２３０２の処理から所定の時間（例えば、５分間）が経過したか否かの判断を行う（ステップＳ２３２２）。
【０５４３】
即ち、このステップＳ２３２２の判断処理においては、ＬＥＤランプ２０−１を緑色、ＬＥＤランプ２０−２、２０−３を赤色で点灯した時点からカウントされた時間が、所定の時間に達したか否かの判断を行うものである。
【０５４４】
このステップＳ２３２２の判断処理において、所定の時間が経過したと判断されると、ステップＳ７１０の処理に進み、即時利用予約装置１６を停止して、第２の予約処理を終了することにより第２の即時利用予約処理を終了する。
【０５４５】
また、ステップＳ２３２２の判断処理において、所定の時間が経過していないと判断されると、ステップＳ２３０４の判断処理に戻って、ステップＳ２３０４以降の処理を行う。
【０５４６】
即ち、この第２の予約処理においては、ステップＳ２３０２の処理によりＬＥＤランプ２０−１を緑色、ＬＥＤランプ２０−２、２０−３を赤色で点灯した後には、近接センサ１４−１、１４−２が利用者により選択されない限り、所定の時間が経過するまでステップＳ２３０４〜ステップＳ２３２２の処理を繰り返すこととなる。
【０５４７】
一方、ステップＳ２１１４の判断処理において、車両１１０の利用することが可能な時間が３時間以上であると判断されると、車両１１０の利用することが可能な時間が、１２時間以上であるか否かの判断を行う（ステップＳ２１１８）。
【０５４８】
このステップＳ２１１８の判断処理において、車両１１０を利用することが可能な時間が１２時間以上でないと判断されると、第３の予約処理が開始される（ステップＳ２１２０）。
【０５４９】
ここで、図２４のフローチャートには、このステップ２１２０の処理における第３の予約処理の詳細な処理内容が示されており、この第３の予約処理においては、まず、メインコントローラー１２ｃの制御により、ＬＥＤランプ２０−１、２０−２を緑色で点灯するとともに、ＬＥＤランプ２０−３を赤色で点灯する（ステップＳ２４０２）。
【０５５０】
その後、近接センサ１４−２が選択されたか否かの判断を行う（ステップＳ２４０４）。
【０５５１】
なお、ステップＳ２４０４の判断処理では、上記したステップＳ２２０４の判断処理と同様にして、近接センサ１４−２が選択されたか否かの判断がなされる。
【０５５２】
このステップＳ２４０４の判断処理において、近接センサ１４−２が選択されたと判断されると、３０分間だけ車両１１０の即時利用の予約がなされたと判断され、ステップＳ２４０６の処理に進み、第２の認証処理を開始する。
【０５５３】
ここで、図２７のフローチャートには、このステップＳ２４０６の処理における第２の認証処理の詳細な処理内容が示されており、この第２の認証処理においては、まず、メインコントローラー１２ｃの制御により、カードリーダー６０を起動する（ステップＳ２７０２）。
【０５５４】
次に、利用者によりＩＣカードが読み取り部６２に翳されると、読み取り部６２に翳されたＩＣカードからカード情報として認証用コードを読み取り、読み取った認証用コードをサーバー１０８に出力する（ステップＳ２７０４）。
【０５５５】
そして、ＩＣカードから認証用コードを読み取ると、ＬＥＤランプ７４を点灯してＩＣカードから認証用コードを読み取ったことを示す（ステップＳ２７０６）。
【０５５６】
その後、サーバー１０８において、出力された認証用コードとサーバー１０８に予め記憶されている登録コードとが一致するか否かの判断を行う（ステップＳ２７０８）。
【０５５７】
即ち、このステップＳ２７０８の判断処理においては、サーバー１０８に記憶されている登録コードに、ステップＳ２７０４の処理で出力された認証用コードと一致する登録コードがあるか否かの判断を行うものである。
【０５５８】
ステップＳ２７０８の判断処理において、認証用コードと登録コードとが一致しない、つまり、サーバー１０８に記憶されている登録コードに、認証用コードと一致する登録コードがないと判断されると、サーバー１０８において、「認証不能」と判断され、この判断結果を携帯電話網を介してメインコントローラー１２ｃに出力する（ステップＳ２７１０）。
【０５５９】
その後、メインコントローラー１２ｃの制御により、カードリーダー６０に設けられたＬＥＤランプ６６によって、利用者に対して「認証不能」であることを一定時間だけ示し（ステップＳ２７１２）、ステップＳ２７０４の処理に戻り、ステップＳ２７０４以降の処理を行う。
【０５６０】
即ち、ステップＳ２７１２の処理では、ＬＥＤランプ６６を点灯することにより、認証不能であることを示すこととなる。
【０５６１】
一方、ステップＳ２７０８の判断処理において、認証用コードと登録コードとが一致する、つまり、サーバー１０８に記憶されている登録コードに、認証用コードと一致する登録コードがあると判断されると、サーバー１０８において、認証用コードと一致する登録コードを有する利用者情報から免許証情報として簡易情報を取得するとともに第１の暗証番号を取得し、取得した簡易情報および第１の暗証番号をメインコントローラー１２ｃに出力する（ステップＳ２７１４）。
【０５６２】
即ち、このステップＳ２７１４の処理では、認証用コードと一致する登録コードを有する利用者情報から、簡易情報の「交付年月日」および「有効期限の末日」と、「第１の暗証番号」とを取得し、取得した「交付年月日」、「有効期限の末日」および「第１の暗証番号」をメインコントローラー１２ｃに出力することとなる。
【０５６３】
その後、利用者によりＩＣ運転免許証が読み取り部６２に翳されると、読み取り部６２に翳されたＩＣ運転免許証から免許証情報として簡易情報を読み取る（ステップＳ２７１６）。
【０５６４】
即ち、このステップＳ２７１６の処理では、簡易情報として「交付年月日」および「有効期限の末日」を取得することとなる。
【０５６５】
そして、ＩＣ運転免許証から簡易情報を読み取ると、ＬＥＤランプ７６を、例えば、点滅してＩＣ運転免許証から免許証情報を読み取り中であることを示す（ステップＳ２７１８）。
【０５６６】
次に、メインコントローラー１２ｃにおいて、ステップＳ２７１４の処理で出力された簡易情報と、ステップＳ２７１６の処理で取得した簡易情報とが一致するか否かの判断を行う（ステップＳ２７２０）。
【０５６７】
即ち、このステップＳ２７２０の判断処理においては、ステップＳ２７１４の処理で出力された簡易情報たる「交付年月日」および「有効期限の末日」と、ステップＳ２７１６の処理で取得した簡易情報たる「交付年月日」および「有効期限の末日」とが一致するか否かの判断を行うものである。
【０５６８】
ステップＳ２７２０の判断処理において、ステップＳ２７１４の処理で出力された簡易情報と、ステップＳ２７１６の処理で取得した簡易情報とが一致しないと判断されると、メインコントローラー１２ｃの制御により、カードリーダー６０に設けられたＬＥＤランプ６６によって、利用者に対して「認証不能」であることを一定時間だけ示し（ステップＳ２７２２）、ステップＳ２７１６の処理に戻り、ステップＳ２７１６以降の処理を行う。
【０５６９】
即ち、ステップＳ２７２２の処理では、ＬＥＤランプ６６を点灯することにより、認証不能であることを示すこととなる。
【０５７０】
一方、ステップＳ２７２０の判断処理において、ステップＳ２７１４の処理で出力された簡易情報と、ステップＳ２７１６の処理で取得した簡易情報とが一致したと判断されると、読み取り部６２に翳されているＩＣ運転免許証から、第１の暗証番号を用いて詳細情報を読み取る（ステップＳ２７２４）。
【０５７１】
即ち、ステップＳ２７２４の処理では、ステップＳ２７１４の処理で出力された第１の暗証番号を用いて、ＩＣ運転免許証から詳細情報たる「免許証番号」を取得することとなる。
【０５７２】
そして、ＩＣ運転免許証から詳細情報を取得することができたか否かの判断を行う（ステップＳ２７２６）。なお、こうしたステップＳ２７２６の判断処理では、上記したステップＳ２６２６の判断処理と同様にして、ＩＣ運転免許証から詳細情報を取得できたか否かの判断がなされる。
【０５７３】
ステップＳ２７２６の判断処理において、詳細情報が取得できなかったと判断されると、ステップＳ２７２２の処理に進み、「認証不能」であることを一定時間だけ示し、ステップＳ２７１６の処理に戻って、ステップＳ２７１６以降の処理を行う。
【０５７４】
一方、ステップＳ２７２６の判断処理において、詳細情報が取得できたと判断されると、ＬＥＤランプ７６を点灯してＩＣ運転免許証から免許証情報を読み取ったことを示す（ステップＳ２７２７）。
【０５７５】
そして、取得した詳細情報と、ステップＳ２４０４の処理でなされた判断結果をサーバー１０８に出力する（ステップＳ２７２８）。
【０５７６】
即ち、このステップＳ２７２８の処理では、ステップＳ２７２４の処理で取得した詳細情報たる「免許証番号」と、ステップＳ２４０４の処理でなされた判断結果（つまり、車両１１０の３０分間の予約がなされたとの判断結果である。）とをメインコントローラー１２ｃから携帯電話網を介してサーバー１０８に出力する。
【０５７７】
その後、サーバー１０８において、出力された詳細情報とサーバー１０８に予め記憶されている詳細情報とが一致するか否かの判断を行う（ステップＳ２７３０）。
【０５７８】
即ち、このステップＳ２７３０の判断処理においては、サーバー１０８に記憶されている利用者情報のうち、ステップＳ２７０８の判断処理で認証用コードと一致すると判断された登録コードを有する利用者情報における詳細情報（免許証番号）が、ステップＳ２７２８の処理で出力された詳細情報（免許証番号）と一致するか否かを判断するものである。
【０５７９】
ステップＳ２７３０の判断処理において、詳細情報が一致しない、つまり、ステップＳ２７０８の判断処理で認証用コードと一致すると判断された登録コードを有する利用者情報における詳細情報が、ステップＳ２７２８の処理で出力された詳細情報と一致しないと判断されると、サーバー１０８において「認証不能」と判断され、この判断結果を携帯電話網を介してメインコントローラー１２ｃに出力する（ステップＳ２７３２）。
【０５８０】
そして、メインコントローラー１２ｃの制御により、カードリーダー６０に設けられたＬＥＤランプ６６によって、利用者に対して「認証不能」であることを一定時間だけ示し（ステップＳ２７３４）、ステップＳ２７１６の処理に戻って、ステップＳ２７１６以降の処理を行う。
【０５８１】
即ち、ステップＳ２７３４の処理では、ＬＥＤランプ６６を点灯することにより、認証不能であることを示すこととなる。
【０５８２】
一方、ステップＳ２７３０の判断処理において、詳細情報が一致する、つまり、ステップＳ２７０８の判断処理で認証用コードと一致すると判断された登録コードを有する利用者情報における詳細情報が、ステップＳ２７２８の処理で出力された詳細情報と一致すると判断されると、サーバー１０８において「認証」と判断され、この判断結果を携帯電話網を介してメインコントローラー１２ｃに出力し（ステップＳ２７３６）、ステップＳ２４０８の処理に進む。
【０５８３】
また、ステップＳ２４０８の処理では、「認証」との判断結果およびステップＳ２４０４の処理での判断結果に基づいて、サーバー１０８で管理している予約情報において即時利用予約開始時点から３０分間だけ車両１１０の予約を行うとともに、予約サイトにおける車両１１０の予約を即時利用予約開始時点から３０分間だけ不可能な状態とする。
【０５８４】
即ち、サーバー１０８において、車両１１０の利用時間の管理などを行う予約情報において、即時利用予約開始時点から３０分間だけ車両１１０を第２の認証処理により認証された利用者が利用するための予約を行い、さらに、予約サイトにおいて、当該予約情報を反映するようにして、車両１１０の予約を即時利用予約開始時点から３０分間だけ不可能な状態とする。
【０５８５】
例えば、ステップＳ２４０８の処理においては、１６時４６分を即時利用予約開始時点とすると、予約可能な時間単位は、１５分であるため、１６時４６分から１７時までの時間は無視され、１７時から３０分間の車両１１０の利用予約がなされることとなる。なお、このとき、無視された時間は、例えば、利用者が無料で利用できる。
【０５８６】
また、ステップＳ２４０８の処理においては、メインコントローラー１２ｃの制御により、車両１１０のセキュリティを解除した状態、つまり、車両１１０のドアロックを解除するとともに、キーボックス１１６からキーを取り出すことができる状態とする。
【０５８７】
そして、ＬＥＤランプ６４を一定時間点灯することにより、利用者に対して車両１１０のドアを開錠したことを示す。
【０５８８】
その後、即時利用予約装置１６を停止して（ステップＳ２４１０）、第３の予約処理を終了することにより第２の即時利用予約処理を終了する。
【０５８９】
また、ステップＳ２４０４の判断処理において、近接センサ１４−２が選択されなかったと判断されると、近接センサ１４−３が選択されたか否かの判断を行う（ステップＳ２４１２）。
【０５９０】
なお、ステップＳ２４１２の判断処理では、上記したステップＳ２２０８の判断処理と同様にして、近接センサ１４−３が選択されたか否かの判断がなされる。
【０５９１】
このステップＳ２４１２の判断処理において、近接センサ１４−３が選択されたと判断されると、３時間だけ車両１１０の即時利用の予約がなされたと判断され、ステップＳ２４１４の処理に進み、第３の認証処理を開始する。
【０５９２】
ここで、図２８のフローチャートには、このステップＳ２４１４の処理における第３の認証処理の詳細な処理内容が示されており、この第３の認証処理においては、まず、メインコントローラー１２ｃの制御により、カードリーダー６０を起動する（ステップＳ２８０２）。
【０５９３】
次に、利用者によりＩＣカードが読み取り部６２に翳されると、読み取り部６２に翳されたＩＣカードからカード情報として認証用コードを読み取り、読み取った認証用コードをサーバー１０８に出力する（ステップＳ２８０４）。
【０５９４】
そして、ＩＣカードから認証用コードを読み取ると、ＬＥＤランプ７４を点灯してＩＣカードから認証用コードを読み取ったことを示す（ステップＳ２８０６）。
【０５９５】
その後、サーバー１０８において、出力された認証用コードとサーバー１０８に予め記憶されている登録コードとが一致するか否かの判断を行う（ステップＳ２８０８）。
【０５９６】
即ち、このステップＳ２８０８の判断処理においては、サーバー１０８に記憶されている登録コードに、ステップＳ２８０４の処理で出力された認証用コードと一致する登録コードがあるか否かの判断を行うものである。
【０５９７】
ステップＳ２８０８の判断処理において、認証用コードと登録コードとが一致しない、つまり、サーバー１０８に記憶されている登録コードに、認証用コードと一致する登録コードがないと判断されると、サーバー１０８において、「認証不能」と判断され、この判断結果を携帯電話網を介してメインコントローラー１２ｃに出力する（ステップＳ２８１０）。
【０５９８】
その後、メインコントローラー１２ｃの制御により、カードリーダー６０に設けられたＬＥＤランプ６６によって、利用者に対して「認証不能」であることを一定時間だけ示し（ステップＳ２８１２）、ステップＳ２８０４の処理に戻り、ステップＳ２８０４以降の処理を行う。
【０５９９】
即ち、ステップＳ２８１２の処理では、ＬＥＤランプ６６を点灯することにより、認証不能であることを示すこととなる。
【０６００】
一方、ステップＳ２８０８の判断処理において、認証用コードと登録コードとが一致する、つまり、サーバー１０８に記憶されている登録コードに、認証用コードと一致する登録コードがあると判断されると、サーバー１０８において、認証用コードと一致する登録コードを有する利用者情報から免許証情報として簡易情報を取得するとともに第１の暗証番号を取得し、取得した簡易情報および第１の暗証番号をメインコントローラー１２ｃに出力する（ステップＳ２８１４）。
【０６０１】
即ち、このステップＳ２８１４の処理では、認証用コードと一致する登録コードを有する利用者情報から、簡易情報の「交付年月日」および「有効期限の末日」と、「第１の暗証番号」とを取得し、取得した「交付年月日」、「有効期限の末日」および「第１の暗証番号」をメインコントローラー１２ｃに出力することとなる。
【０６０２】
その後、利用者によりＩＣ運転免許証が読み取り部６２に翳されると、読み取り部６２に翳されたＩＣ運転免許証から免許証情報として簡易情報を読み取る（ステップＳ２８１６）。
【０６０３】
即ち、このステップＳ２８１６の処理では、簡易情報として「交付年月日」および「有効期限の末日」を取得することとなる。
【０６０４】
そして、ＩＣ運転免許証から簡易情報を読み取ると、ＬＥＤランプ７６を、例えば、点滅してＩＣ運転免許証から免許証情報を読み取り中であることを示す（ステップＳ２８１８）。
【０６０５】
次に、メインコントローラー１２ｃにおいて、ステップＳ２８１４の処理で出力された簡易情報と、ステップＳ２８１６の処理で取得した簡易情報とが一致するか否かの判断を行う（ステップＳ２８２０）。
【０６０６】
即ち、このステップＳ２８２０の判断処理においては、ステップＳ２８１４の処理で出力された簡易情報たる「交付年月日」および「有効期限の末日」と、ステップＳ２８１６の処理で取得した簡易情報たる「交付年月日」および「有効期限の末日」とが一致するか否かの判断を行うものである。
【０６０７】
ステップＳ２８２０の判断処理において、ステップＳ２８１４の処理で出力された簡易情報と、ステップＳ２８１６の処理で取得した簡易情報とが一致しないと判断されると、メインコントローラー１２ｃの制御により、カードリーダー６０に設けられたＬＥＤランプ６６によって、利用者に対して「認証不能」であることを一定時間だけ示し（ステップＳ２８２２）、ステップＳ２８１６の処理に戻り、ステップＳ２８１６以降の処理を行う。
【０６０８】
即ち、ステップＳ２８２２の処理では、ＬＥＤランプ６６を点灯することにより、認証不能であることを示すこととなる。
【０６０９】
一方、ステップＳ２８２０の判断処理において、ステップＳ２８１４の処理で出力された簡易情報と、ステップＳ２８１６の処理で取得した簡易情報とが一致したと判断されると、読み取り部６２に翳されているＩＣ運転免許証から、第１の暗証番号を用いて詳細情報を読み取る（ステップＳ２８２４）。
【０６１０】
即ち、ステップＳ２８２４の処理では、ステップＳ２８１４の処理で出力された第１の暗証番号を用いて、ＩＣ運転免許証から詳細情報たる「免許証番号」を取得することとなる。
【０６１１】
そして、ＩＣ運転免許証から詳細情報を取得することができたか否かの判断を行う（ステップＳ２８２６）。なお、こうしたステップＳ２８２６の判断処理では、上記したステップＳ２６２６の判断処理と同様にして、ＩＣ運転免許証から詳細情報を取得できたか否かの判断がなされる。
【０６１２】
ステップＳ２８２６の判断処理において、詳細情報が取得できなかったと判断されると、ステップＳ２８２２の処理に進み、「認証不能」であることを一定時間だけ示し、ステップＳ２８１６の処理に戻って、ステップＳ２８１６以降の処理を行う。
【０６１３】
一方、ステップＳ２８２６の判断処理において、詳細情報が取得できたと判断されると、ＬＥＤランプ７６を点灯してＩＣ運転免許証から免許証情報を読み取ったことを示す（ステップＳ２８２７）。
【０６１４】
そして、取得した詳細情報と、ステップＳ２４１２の処理でなされた判断結果をサーバー１０８に出力する（ステップＳ２８２８）。
【０６１５】
即ち、このステップＳ２８２８の処理では、ステップＳ２８２４の処理で取得した詳細情報たる「免許証番号」と、ステップＳ２４１２の処理でなされた判断結果（つまり、車両１１０の３０分間の予約がなされたとの判断結果である。）とをメインコントローラー１２ｃから携帯電話網を介してサーバー１０８に出力する。
【０６１６】
その後、サーバー１０８において、出力された詳細情報とサーバー１０８に予め記憶されている詳細情報とが一致するか否かの判断を行う（ステップＳ２８３０）。
【０６１７】
即ち、このステップＳ２８３０の判断処理においては、サーバー１０８に記憶されている利用者情報のうち、ステップＳ２８０８の判断処理で認証用コードと一致すると判断された登録コードを有する利用者情報における詳細情報（免許証番号）が、ステップＳ２８２８の処理で出力された詳細情報（免許証番号）と一致するか否かを判断するものである。
【０６１８】
ステップＳ２８３０の判断処理において、詳細情報が一致しない、つまり、ステップＳ２８０８の判断処理で認証用コードと一致すると判断された登録コードを有する利用者情報における詳細情報が、ステップＳ２８２８の処理で出力された詳細情報と一致しないと判断されると、サーバー１０８において「認証不能」と判断され、この判断結果を携帯電話網を介してメインコントローラー１２ｃに出力する（ステップＳ２８３２）。
【０６１９】
そして、メインコントローラー１２ｃの制御により、カードリーダー６０に設けられたＬＥＤランプ６６によって、利用者に対して「認証不能」であることを一定時間だけ示し（ステップＳ２８３４）、ステップＳ２８１６の処理に戻って、ステップＳ２８１６以降の処理を行う。
【０６２０】
即ち、ステップＳ２８３４の処理では、ＬＥＤランプ６６を点灯することにより、認証不能であることを示すこととなる。
【０６２１】
一方、ステップＳ２８３０の判断処理において、詳細情報が一致する、つまり、ステップＳ２８０８の判断処理で認証用コードと一致すると判断された登録コードを有する利用者情報における詳細情報が、ステップＳ２８２８の処理で出力された詳細情報と一致すると判断されると、サーバー１０８において「認証」と判断され、この判断結果を携帯電話網を介してメインコントローラー１２ｃに出力し（ステップＳ２８３６）、ステップＳ２４１６の処理に進む。
【０６２２】
また、ステップＳ２４１６の処理では、「認証」との判断結果およびステップＳ２４１２の処理での判断結果に基づいて、サーバー１０８で管理している予約情報において即時利用予約開始時点から３時間だけ車両１１０の予約を行うとともに、予約サイトにおける車両１１０の予約を即時利用予約開始時点から３時間だけ不可能な状態とする。
【０６２３】
即ち、サーバー１０８において、車両１１０の利用時間の管理などを行う予約情報において、即時利用予約開始時点から３時間だけ車両１１０を第３の認証処理により認証された利用者が利用するための予約を行い、さらに、予約サイトにおいて、当該予約情報を反映するようにして、車両１１０の予約を即時利用予約開始時点から３時間だけ不可能な状態とする。
【０６２４】
例えば、ステップＳ２４１６の処理においては、１６時４６分を即時利用予約開始時点とすると、予約可能な時間単位は、１５分であるため、１６時４６分から１７時までの時間は無視され、１７時から３時間の車両１１０の利用予約がなされることとなる。なお、このとき、無視された時間は、例えば、利用者が無料で利用できる。
【０６２５】
また、ステップＳ２４１６の処理においては、メインコントローラー１２ｃの制御により、車両１１０のセキュリティを解除した状態、つまり、車両１１０のドアロックを解除するとともに、キーボックス１１６からキーを取り出すことができる状態とする。
【０６２６】
そして、ＬＥＤランプ６４を一定時間点灯することにより、利用者に対して車両１１０のドアを開錠したことを示す。
【０６２７】
その後、ステップＳ２４１０の処理に進み、即時利用予約装置１６を停止して、第３の予約処理を終了することにより第２の即時利用予約処理を終了する。
【０６２８】
また、ステップＳ２４１２の判断処理において、近接センサ１４−３が選択されなかったと判断されると、近接センサ１４−４が選択されたか否かの判断を行う（ステップＳ２４１８）。
【０６２９】
なお、ステップＳ２４１８の判断処理では、上記したステップＳ２２１２の判断処理と同様にして、近接センサ１４−４が選択されたか否かの判断がなされる。
【０６３０】
このステップＳ２４１８の判断処理において、近接センサ１４−４が選択されたと判断されると、近接センサ１４−４は選択不可能であるため、メインコントローラー１２ｃの制御により、ＬＥＤランプ２０−３を赤色で点滅させ（ステップＳ２４２０）、後述するステップＳ２４２２の処理に進む。
【０６３１】
また、ステップＳ２４１８の判断処理において、近接センサ１４−４が選択されなかったと判断されると、近接センサ１４−１が選択されたか否かの判断を行う（ステップＳ２４２２）。
【０６３２】
なお、ステップＳ２４２２の判断処理では、上記したステップＳ２２１６の判断処理と同様にして、近接センサ１４−１が選択されたか否かの判断がなされる。
【０６３３】
このステップＳ２４２２の判断処理において、近接センサ１４−１が選択されたと判断されると、ステップＳ２４１０の処理に進み、メインコントローラー１２ｃの制御により、即時利用予約装置１６を停止して、第３の予約処理を終了することにより第３の即時利用予約処理を終了する。
【０６３４】
また、ステップＳ２４２２の判断処理において、近接センサ１４−１が選択されなかったと判断されると、ステップＳ２４０２の処理から所定の時間（例えば、５分間）が経過したか否かの判断を行う（ステップＳ２４２４）。
【０６３５】
即ち、このステップＳ２４２４の判断処理においては、ＬＥＤランプ２０−１、２０−２を緑色、ＬＥＤランプ２０−３を赤色で点灯した時点からカウントされた時間が、所定の時間に達したか否かの判断を行うものである。
【０６３６】
このステップＳ２４２４の判断処理において、所定の時間が経過したと判断されると、ステップＳ２４１０の処理に進み、即時利用予約装置１６を停止して、第３の予約処理を終了することにより第２の即時利用予約処理を終了する。
【０６３７】
また、ステップＳ２４２４の判断処理において、所定の時間が経過してないと判断されると、ステップＳ２４０４の判断処理に戻って、ステップＳ２４０４以降の処理を行う。
【０６３８】
即ち、この第３の予約処理においては、ステップＳ２４０２の処理によりＬＥＤ２０−１、２０−２を緑色、ＬＥＤ２０−３を赤色で点灯した後には、近接センサ１４−１、１４−２、１４−３が利用者により選択されない限り、所定の時間が経過するまでステップＳ２４０４〜ステップＳ２４２４の処理を繰り返すこととなる。
【０６３９】
一方、ステップＳ２１１８の判断処理において、車両１１０の利用可能な時間が１２時間以上であると判断されると、第４の予約処理が開始される（ステップ２１２２）。
【０６４０】
ここで、図２５のフローチャートには、このステップＳ２１２２の処理における第４の予約処理の詳細な処理内容が示されており、この第４の予約処理においては、まず、メインコントローラー１２ｃの制御により、ＬＥＤランプ２０−１、２０−２、２０−３を緑色で点灯する（ステップＳ２５０２）。
【０６４１】
その後、近接センサ１４−２が選択されたか否かの判断を行う（ステップＳ２５０４）。
【０６４２】
なお、ステップＳ２５０４の判断処理では、上記したステップＳ２２０４の判断処理と同様にして、近接センサ１４−２が選択されたか否かの判断がなされる。
【０６４３】
このステップＳ２５０４の判断処理において、近接センサ１４−２が選択されたと判断されると、３０分間だけ車両１１０の即時利用の予約がなされたと判断され、ステップＳ２５０６の処理に進み、第４の認証処理を開始する。
【０６４４】
ここで、図２９のフローチャートには、このステップＳ２５０６の処理における第４の認証処理の詳細な処理内容が示されており、この第４の認証処理においては、まず、メインコントローラー１２ｃの制御により、カードリーダー６０を起動する（ステップＳ２９０２）。
【０６４５】
次に、利用者によりＩＣカードが読み取り部６２に翳されると、読み取り部６２に翳されたＩＣカードからカード情報として認証用コードを読み取り、読み取った認証用コードをサーバー１０８に出力する（ステップＳ２９０４）。
【０６４６】
そして、ＩＣカードから認証用コードを読み取ると、ＬＥＤランプ７４を点灯してＩＣカードから認証用コードを読み取ったことを示す（ステップＳ２９０６）。
【０６４７】
その後、サーバー１０８において、出力された認証用コードとサーバー１０８に予め記憶されている登録コードとが一致するか否かの判断を行う（ステップＳ２９０８）。
【０６４８】
即ち、このステップＳ２９０８の判断処理においては、サーバー１０８に記憶されている登録コードに、ステップＳ２９０４の処理で出力された認証用コードと一致する登録コードがあるか否かの判断を行うものである。
【０６４９】
ステップＳ２９０８の判断処理において、認証用コードと登録コードとが一致しない、つまり、サーバー１０８に記憶されている登録コードに、認証用コードと一致する登録コードがないと判断されると、サーバー１０８において、「認証不能」と判断され、この判断結果を携帯電話網を介してメインコントローラー１２ｃに出力する（ステップＳ２９１０）。
【０６５０】
その後、メインコントローラー１２ｃの制御により、カードリーダー６０に設けられたＬＥＤランプ６６によって、利用者に対して「認証不能」であることを一定時間だけ示し（ステップＳ２９１２）、ステップＳ２９０４の処理に戻り、ステップＳ２９０４以降の処理を行う。
【０６５１】
即ち、ステップＳ２９１２の処理では、ＬＥＤランプ６６を点灯することにより、認証不能であることを示すこととなる。
【０６５２】
一方、ステップＳ２９０８の判断処理において、認証用コードと登録コードとが一致する、つまり、サーバー１０８に記憶されている登録コードに、認証用コードと一致する登録コードがあると判断されると、サーバー１０８において、認証用コードと一致する登録コードを有する利用者情報から免許証情報として簡易情報を取得するとともに第１の暗証番号を取得し、取得した簡易情報および第１の暗証番号をメインコントローラー１２ｃに出力する（ステップＳ２９１４）。
【０６５３】
即ち、このステップＳ２９１４の処理では、認証用コードと一致する登録コードを有する利用者情報から、簡易情報の「交付年月日」および「有効期限の末日」と、「第１の暗証番号」とを取得し、取得した「交付年月日」、「有効期限の末日」および「第１の暗証番号」をメインコントローラー１２ｃに出力することとなる。
【０６５４】
その後、利用者によりＩＣ運転免許証が読み取り部６２に翳されると、読み取り部６２に翳されたＩＣ運転免許証から免許証情報として簡易情報を読み取る（ステップＳ２９１６）。
【０６５５】
即ち、このステップＳ２９１６の処理では、簡易情報として「交付年月日」および「有効期限の末日」を取得することとなる。
【０６５６】
そして、ＩＣ運転免許証から簡易情報を読み取ると、ＬＥＤランプ７６を、例えば、点滅してＩＣ運転免許証から免許証情報を読み取り中であることを示す（ステップＳ２９１８）。
【０６５７】
次に、メインコントローラー１２ｃにおいて、ステップＳ２９１４の処理で出力された簡易情報と、ステップＳ２９１６の処理で取得した簡易情報とが一致するか否かの判断を行う（ステップＳ２９２０）。
【０６５８】
即ち、このステップＳ２９２０の判断処理においては、ステップＳ２９１４の処理で出力された簡易情報たる「交付年月日」および「有効期限の末日」と、ステップＳ２９１６の処理で取得した簡易情報たる「交付年月日」および「有効期限の末日」とが一致するか否かの判断を行うものである。
【０６５９】
ステップＳ２９２０の判断処理において、ステップＳ２９１４の処理で出力された簡易情報と、ステップＳ２９１６の処理で取得した簡易情報とが一致しないと判断されると、メインコントローラー１２ｃの制御により、カードリーダー６０に設けられたＬＥＤランプ６６によって、利用者に対して「認証不能」であることを一定時間だけ示し（ステップＳ２９２２）、ステップＳ２９１６の処理に戻り、ステップＳ２９１６以降の処理を行う。
【０６６０】
即ち、ステップＳ２９２２の処理では、ＬＥＤランプ６６を点灯することにより、認証不能であることを示すこととなる。
【０６６１】
一方、ステップＳ２９２０の判断処理において、ステップＳ２９１４の処理で出力された簡易情報と、ステップＳ２９１６の処理で取得した簡易情報とが一致したと判断されると、読み取り部６２に翳されているＩＣ運転免許証から、第１の暗証番号を用いて詳細情報を読み取る（ステップＳ２９２４）。
【０６６２】
即ち、ステップＳ２９２４の処理では、ステップＳ２９１４の処理で出力された第１の暗証番号を用いて、ＩＣ運転免許証から詳細情報たる「免許証番号」を取得することとなる。
【０６６３】
そして、ＩＣ運転免許証から詳細情報を取得することができたか否かの判断を行う（ステップＳ２９２６）。なお、こうしたステップＳ２９２６の判断処理では、上記したステップＳ２６２６の判断処理と同様にして、ＩＣ運転免許証から詳細情報を取得できたか否かの判断がなされる。
【０６６４】
ステップＳ２９２６の判断処理において、詳細情報が取得できなかったと判断されると、ステップＳ２９２２の処理に進み、「認証不能」であることを一定時間だけ示し、ステップＳ２９１６の処理に戻って、ステップＳ２９１６以降の処理を行う。
【０６６５】
一方、ステップＳ２９２６の判断処理において、詳細情報が取得できたと判断されると、ＬＥＤランプ７６を点灯してＩＣ運転免許証から免許証情報を読み取ったことを示す（ステップＳ２９２７）。
【０６６６】
そして、取得した詳細情報と、ステップＳ２５０４の処理でなされた判断結果をサーバー１０８に出力する（ステップＳ２９２８）。
【０６６７】
即ち、このステップＳ２９２８の処理では、ステップＳ２９２４の処理で取得した詳細情報たる「免許証番号」と、ステップＳ２５０４の処理でなされた判断結果（つまり、車両１１０の３０分間の予約がなされたとの判断結果である。）とをメインコントローラー１２ｃから携帯電話網を介してサーバー１０８に出力する。
【０６６８】
その後、サーバー１０８において、出力された詳細情報とサーバー１０８に予め記憶されている詳細情報とが一致するか否かの判断を行う（ステップＳ２９３０）。
【０６６９】
即ち、このステップＳ２９３０の判断処理においては、サーバー１０８に記憶されている利用者情報のうち、ステップＳ２９０８の判断処理で認証用コードと一致すると判断された登録コードを有する利用者情報における詳細情報（免許証番号）が、ステップＳ２９２８の処理で出力された詳細情報（免許証番号）と一致するか否かを判断するものである。
【０６７０】
ステップＳ２９３０の判断処理において、詳細情報が一致しない、つまり、ステップＳ２９０８の判断処理で認証用コードと一致すると判断された登録コードを有する利用者情報における詳細情報が、ステップＳ２９２８の処理で出力された詳細情報と一致しないと判断されると、サーバー１０８においてと判断され、この判断結果を携帯電話網を介してメインコントローラー１２ｃに出力する（ステップＳ２９３２）。
【０６７１】
そして、メインコントローラー１２ｃの制御により、カードリーダー６０に設けられたＬＥＤランプ６６によって、利用者に対して「認証不能」であることを一定時間だけ示し（ステップＳ２９３４）、ステップＳ２９１６の処理に戻って、ステップＳ２９１６以降の処理を行う。
【０６７２】
即ち、ステップＳ２９３４の処理では、ＬＥＤランプ６６を点灯することにより、認証不能であることを示すこととなる。
【０６７３】
一方、ステップＳ２９３０の判断処理において、詳細情報が一致する、つまり、ステップＳ２９０８の判断処理で認証用コードと一致すると判断された登録コードを有する利用者情報における詳細情報が、ステップＳ２９２８の処理で出力された詳細情報と一致すると判断されると、サーバー１０８において「認証」と判断され、この判断結果を携帯電話網を介してメインコントローラー１２ｃに出力し（ステップＳ２９３６）、ステップＳ２５０８の処理に進む。
【０６７４】
また、ステップＳ２５０８の処理では、「認証」との判断結果およびステップＳ２５０４の処理での判断結果に基づいて、サーバー１０８で管理している予約情報において即時利用予約開始時点から３０分間だけ車両１１０の予約を行うとともに、予約サイトにおける車両１１０の予約を即時利用予約開始時点から３０分間だけ不可能な状態とする。
【０６７５】
即ち、サーバー１０８において、車両１１０の利用時間の管理などを行う予約情報において、即時利用予約開始時点から３０分間だけ車両１１０を第４の認証処理により認証された利用者が利用するための予約を行い、さらに、予約サイトにおいて、当該予約情報を反映するようにして、車両１１０の予約を即時利用予約開始時点から３０分間だけ不可能な状態とする。
【０６７６】
例えば、ステップＳ２５０８の処理においては、１６時４６分を即時利用予約開始時点とすると、予約可能な時間単位は、１５分であるため、１６時４６分から１７時までの時間は無視され、１７時から３０分間の車両１１０の利用予約がなされることとなる。なお、このとき、無視された時間は、例えば、利用者が無料で利用できる。
【０６７７】
また、ステップＳ２５０８の処理においては、メインコントローラー１２ｃの制御により、車両１１０のセキュリティを解除した状態、つまり、車両１１０のドアロックを解除するとともに、キーボックス１１６からキーを取り出すことができる状態とする。
【０６７８】
そして、ＬＥＤランプ６４を一定時間点灯することにより、利用者に対して車両１１０のドアを開錠したことを示す。
【０６７９】
その後、即時利用予約装置１６を停止して（ステップＳ２５１０）、第４の予約処理を終了することにより第２の即時利用予約処理を終了する。
【０６８０】
また、ステップＳ２５０４の判断処理において、近接センサ１４−２が選択されなかったと判断されると、近接センサ１４−３が選択されたか否かの判断を行う（ステップＳ２５１２）。
【０６８１】
なお、ステップＳ２５１２の判断処理では、上記したステップＳ２２０８の判断処理と同様にして、近接センサ１４−３が選択されたか否かの判断がなされる。
【０６８２】
このステップＳ２５１２の判断処理において、近接センサ１４−３が選択されたと判断されると、３時間だけ車両１１０の即時利用の予約がなされたと判断され、ステップＳ２５１４の処理に進み、第５の認証処理を開始する。
【０６８３】
ここで、図３０のフローチャートには、このステップＳ２５１４の処理における第５の認証処理の詳細な処理内容が示されており、この第５の認証処理においては、まず、メインコントローラー１２ｃの制御により、カードリーダー６０を起動する（ステップＳ３００２）。
【０６８４】
次に、利用者によりＩＣカードが読み取り部６２に翳されると、読み取り部６２に翳されたＩＣカードからカード情報として認証用コードを読み取り、読み取った認証用コードをサーバー１０８に出力する（ステップＳ３００４）。
【０６８５】
そして、ＩＣカードから認証用コードを読み取ると、ＬＥＤランプ７４を点灯してＩＣカードから認証用コードを読み取ったことを示す（ステップＳ３００６）。
【０６８６】
その後、サーバー１０８において、出力された認証用コードとサーバー１０８に予め記憶されている登録コードとが一致するか否かの判断を行う（ステップＳ３００８）。
【０６８７】
即ち、このステップＳ３００８の判断処理においては、サーバー１０８に記憶されている登録コードに、ステップＳ３００４の処理で出力された認証用コードと一致する登録コードがあるか否かの判断を行うものである。
【０６８８】
ステップＳ３００８の判断処理において、認証用コードと登録コードとが一致しない、つまり、サーバー１０８に記憶されている登録コードに、認証用コードと一致する登録コードがないと判断されると、サーバー１０８において、「認証不能」と判断され、この判断結果を携帯電話網を介してメインコントローラー１２ｃに出力する（ステップＳ３０１０）。
【０６８９】
その後、メインコントローラー１２ｃの制御により、カードリーダー６０に設けられたＬＥＤランプ６６によって、利用者に対して「認証不能」であることを一定時間だけ示し（ステップＳ３０１２）、ステップＳ３００４の処理に戻り、ステップＳ３００４以降の処理を行う。
【０６９０】
即ち、ステップＳ３０１２の処理では、ＬＥＤランプ６６を点灯することにより、認証不能であることを示すこととなる。
【０６９１】
一方、ステップＳ３００８の判断処理において、認証用コードと登録コードとが一致する、つまり、サーバー１０８に記憶されている登録コードに、認証用コードと一致する登録コードがあると判断されると、サーバー１０８において、認証用コードと一致する登録コードを有する利用者情報から免許証情報として簡易情報を取得するとともに第１の暗証番号を取得し、取得した簡易情報および第１の暗証番号をメインコントローラー１２ｃに出力する（ステップＳ３０１４）。
【０６９２】
即ち、このステップＳ３０１４の処理では、認証用コードと一致する登録コードを有する利用者情報から、簡易情報の「交付年月日」および「有効期限の末日」と、「第１の暗証番号」とを取得し、取得した「交付年月日」、「有効期限の末日」および「第１の暗証番号」をメインコントローラー１２ｃに出力することとなる。
【０６９３】
その後、利用者によりＩＣ運転免許証が読み取り部６２に翳されると、読み取り部６２に翳されたＩＣ運転免許証から免許証情報として簡易情報を読み取る（ステップＳ３０１６）。
【０６９４】
即ち、このステップＳ３０１６の処理では、簡易情報として「交付年月日」および「有効期限の末日」を取得することとなる。
【０６９５】
次に、メインコントローラー１２ｃにおいて、ステップＳ３０１４の処理で出力された簡易情報と、ステップＳ３０１６の処理で取得した簡易情報とが一致するか否かの判断を行う（ステップＳ３０２０）。
【０６９６】
即ち、このステップＳ３０２０の判断処理においては、ステップＳ３０１４の処理で出力された簡易情報たる「交付年月日」および「有効期限の末日」と、ステップＳ３０１６の処理で取得した簡易情報たる「交付年月日」および「有効期限の末日」とが一致するか否かの判断を行うものである。
【０６９７】
ステップＳ３０２０の判断処理において、ステップＳ３０１４の処理で出力された簡易情報と、ステップＳ３０１６の処理で取得した簡易情報とが一致しないと判断されると、メインコントローラー１２ｃの制御により、カードリーダー６０に設けられたＬＥＤランプ６６によって、利用者に対して「認証不能」であることを一定時間だけ示し（ステップＳ３０２２）、ステップＳ３０１６の処理に戻り、ステップＳ３０１６以降の処理を行う。
【０６９８】
即ち、ステップＳ３０２２の処理では、ＬＥＤランプ６６を点灯することにより、認証不能であることを示すこととなる。
【０６９９】
一方、ステップＳ３０２０の判断処理において、ステップＳ３０１４の処理で出力された簡易情報と、ステップＳ３０１６の処理で取得した簡易情報とが一致したと判断されると、読み取り部６２に翳されているＩＣ運転免許証から、第１の暗証番号を用いて詳細情報を読み取る（ステップＳ３０２４）。
【０７００】
即ち、ステップＳ３０２４の処理では、ステップＳ３０１４の処理で出力された第１の暗証番号を用いて、ＩＣ運転免許証から詳細情報たる「免許証番号」を取得することとなる。
【０７０１】
そして、ＩＣ運転免許証から詳細情報を取得することができたか否かの判断を行う（ステップＳ３０２６）。なお、こうしたステップＳ３０２６の判断処理では、上記したステップＳ２６２６の判断処理と同様にして、ＩＣ運転免許証から詳細情報を取得できたか否かの判断がなされる。
【０７０２】
ステップＳ３０２６の判断処理において、詳細情報が取得できなかったと判断されると、ステップＳ３０２２の処理に進み、「認証不能」であることを一定時間だけ示し、ステップＳ３０１６の処理に戻って、ステップＳ３０１６以降の処理を行う。
【０７０３】
一方、ステップＳ３０２６の判断処理において、詳細情報が取得できたと判断されると、ＬＥＤランプ７６を点灯してＩＣ運転免許証から免許証情報を読み取ったことを示す（ステップＳ３０２７）。
【０７０４】
そして、取得した詳細情報と、ステップＳ２５１２の処理でなされた判断結果をサーバー１０８に出力する（ステップＳ３０２８）。
【０７０５】
即ち、このステップＳ３０２８の処理では、ステップＳ３０２４の処理で取得した詳細情報たる「免許証番号」と、ステップＳ２５１２の処理でなされた判断結果（つまり、車両１１０の３０分間の予約がなされたとの判断結果である。）とをメインコントローラー１２ｃから携帯電話網を介してサーバー１０８に出力する。
【０７０６】
その後、サーバー１０８において、出力された詳細情報とサーバー１０８に予め記憶されている詳細情報とが一致するか否かの判断を行う（ステップＳ３０３０）。
【０７０７】
即ち、このステップＳ３０３０の判断処理においては、サーバー１０８に記憶されている利用者情報のうち、ステップＳ３００８の判断処理で認証用コードと一致すると判断された登録コードを有する利用者情報における詳細情報（免許証番号）が、ステップＳ３０２８の処理で出力された詳細情報（免許証番号）と一致するか否かを判断するものである。
【０７０８】
ステップＳ３０３０の判断処理において、詳細情報が一致しない、つまり、ステップＳ３００８の判断処理で認証用コードと一致すると判断された登録コードを有する利用者情報における詳細情報が、ステップＳ３０２８の処理で出力された詳細情報と一致しないと判断されると、サーバー１０８において「認証不能」と判断され、この判断結果を携帯電話網を介してメインコントローラー１２ｃに出力する（ステップＳ３０３２）。
【０７０９】
そして、メインコントローラー１２ｃの制御により、カードリーダー６０に設けられたＬＥＤランプ６６によって、利用者に対して「認証不能」であることを一定時間だけ示し（ステップＳ３０３４）、ステップＳ３０１６の処理に戻って、ステップＳ３０１６以降の処理を行う。
【０７１０】
即ち、ステップＳ３０３４の処理では、ＬＥＤランプ６６を点灯することにより、認証不能であることを示すこととなる。
【０７１１】
一方、ステップＳ３０３０の判断処理において、詳細情報が一致する、つまり、ステップＳ３００８の判断処理で認証用コードと一致すると判断された登録コードを有する利用者情報における詳細情報が、ステップＳ３０２８の処理で出力された詳細情報と一致すると判断されると、サーバー１０８において「認証」と判断され、この判断結果を携帯電話網を介してメインコントローラー１２ｃに出力し（ステップＳ３０３６）、ステップＳ２５１６の処理に進む。
【０７１２】
また、ステップＳ２５１６の処理では、「認証」との判断結果およびステップＳ２５１２の処理での判断結果に基づいて、サーバー１０８で管理している予約情報において即時利用予約開始時点から３時間だけ車両１１０の予約を行うとともに、予約サイトにおける車両１１０の予約を即時利用予約開始時点から３時間だけ不可能な状態とする。
【０７１３】
即ち、サーバー１０８において、車両１１０の利用時間の管理などを行う予約情報において、即時利用予約開始時点から３時間だけ車両１１０を第５の認証処理により認証された利用者が利用するための予約を行い、さらに、予約サイトにおいて、当該予約情報を反映するようにして、車両１１０の予約を即時利用予約開始時点から３時間だけ不可能な状態とする。
【０７１４】
例えば、ステップＳ２５１６の処理においては、１６時４６分を即時利用予約開始時点とすると、予約可能な時間単位は、１５分であるため、１６時４６分から１７時までの時間は無視され、１７時から３時間の車両１１０の利用予約がなされることとなる。なお、このとき、無視された時間は、例えば、利用者が無料で利用できる。
【０７１５】
また、ステップＳ２５１６の処理においては、メインコントローラー１２ｃの制御により、車両１１０のセキュリティを解除した状態、つまり、車両１１０のドアロックを解除するとともに、キーボックス１１６からキーを取り出すことができる状態とする。
【０７１６】
そして、ＬＥＤランプ６４を一定時間点灯することにより、利用者に対して車両１１０のドアを開錠したことを示す。
【０７１７】
その後、ステップＳ２５１０の処理に進み、即時利用予約装置１６を停止して、第４の予約処理を終了することにより第２の即時利用予約処理を終了する。
【０７１８】
また、ステップＳ２５１２の判断処理において、近接センサ１４−３が選択されなかったと判断されると、近接センサ１４−４が選択されたか否かの判断を行う（ステップＳ２５１８）。
【０７１９】
なお、ステップＳ２５１８の判断処理では、上記したステップＳ２２１２の判断処理と同様にして、近接センサ１４−４が選択されたか否かの判断がなされる。
【０７２０】
このステップＳ２５１８の判断処理において、近接センサ１４−４が選択されたと判断されると、１２時間だけ車両１１０の即時利用の予約がなされたと判断され、ステップＳ２５２０の処理に進み、第６の認証処理を開始する。
【０７２１】
ここで、第３１のフローチャートには、このステップＳ２５２０の処理における第６の認証処理の詳細な処理内容が示されており、この第６の認証処理においては、まず、メインコントローラー１２ｃの制御により、カードリーダー６０を起動する（ステップＳ３１０２）。
【０７２２】
次に、利用者によりＩＣカードが読み取り部６２に翳されると、読み取り部６２に翳されたＩＣカードからカード情報として認証用コードを読み取り、読み取った認証用コードをサーバー１０８に出力する（ステップＳ３１０４）。
【０７２３】
そして、ＩＣカードから認証用コードを読み取ると、ＬＥＤランプ７４を点灯してＩＣカードから認証用コードを読み取ったことを示す（ステップＳ３１０６）。
【０７２４】
その後、サーバー１０８において、出力された認証用コードとサーバー１０８に予め記憶されている登録コードとが一致するか否かの判断を行う（ステップＳ３１０８）。
【０７２５】
即ち、このステップＳ３１０８の判断処理においては、サーバー１０８に記憶されている登録コードに、ステップＳ３１０４の処理で出力された認証用コードと一致する登録コードがあるか否かの判断を行うものである。
【０７２６】
ステップＳ３１０８の判断処理において、認証用コードと登録コードとが一致しない、つまり、サーバー１０８に記憶されている登録コードに、認証用コードと一致する登録コードがないと判断されると、サーバー１０８において、「認証不能」と判断され、この判断結果を携帯電話網を介してメインコントローラー１２ｃに出力する（ステップＳ３１１０）。
【０７２７】
その後、メインコントローラー１２ｃの制御により、カードリーダー６０に設けられたＬＥＤランプ６６によって、利用者に対して「認証不能」であることを一定時間だけ示し（ステップＳ３１１２）、ステップＳ３１０４の処理に戻り、ステップＳ３１０４以降の処理を行う。
【０７２８】
即ち、ステップＳ３１１２の処理では、ＬＥＤランプ６６を点灯することにより、認証不能であることを示すこととなる。
【０７２９】
一方、ステップＳ３１０８の判断処理において、認証用コードと登録コードとが一致する、つまり、サーバー１０８に記憶されている登録コードに、認証用コードと一致する登録コードがあると判断されると、サーバー１０８において、認証用コードと一致する登録コードを有する利用者情報から免許証情報として簡易情報を取得するとともに第１の暗証番号を取得し、取得した簡易情報および第１の暗証番号をメインコントローラー１２ｃに出力する（ステップＳ３１１４）。
【０７３０】
即ち、このステップＳ３１１４の処理では、認証用コードと一致する登録コードを有する利用者情報から、簡易情報の「交付年月日」および「有効期限の末日」と、「第１の暗証番号」とを取得し、取得した「交付年月日」、「有効期限の末日」および「第１の暗証番号」をメインコントローラー１２ｃに出力することとなる。
【０７３１】
その後、利用者によりＩＣ運転免許証が読み取り部６２に翳されると、読み取り部６２に翳されたＩＣ運転免許証から免許証情報として簡易情報を読み取る（ステップＳ３１１６）。
【０７３２】
即ち、このステップＳ３１１６の処理では、簡易情報として「交付年月日」および「有効期限の末日」を取得することとなる。
【０７３３】
そして、ＩＣ運転免許証から簡易情報を読み取ると、ＬＥＤランプ７６を、例えば、点滅してＩＣ運転免許証から免許証情報を読み取り中であることを示す（ステップＳ３１１８）。
【０７３４】
次に、メインコントローラー１２ｃにおいて、ステップＳ３１１４の処理で出力された簡易情報と、ステップＳ３１１６の処理で取得した簡易情報とが一致するか否かの判断を行う（ステップＳ３１２０）。
【０７３５】
即ち、このステップＳ３１２０の判断処理においては、ステップＳ３１１４の処理で出力された簡易情報たる「交付年月日」および「有効期限の末日」と、ステップＳ３１１６の処理で取得した簡易情報たる「交付年月日」および「有効期限の末日」とが一致するか否かの判断を行うものである。
【０７３６】
ステップＳ３１２０の判断処理において、ステップＳ３１１４の処理で出力された簡易情報と、ステップＳ３１１６の処理で取得した簡易情報とが一致しないと判断されると、メインコントローラー１２ｃの制御により、カードリーダー６０に設けられたＬＥＤランプ６６によって、利用者に対して「認証不能」であることを一定時間だけ示し（ステップＳ３１２２）、ステップＳ３１１６の処理に戻り、ステップＳ３１１６以降の処理を行う。
【０７３７】
即ち、ステップＳ３１２２の処理では、ＬＥＤランプ６６を点灯することにより、認証不能であることを示すこととなる。
【０７３８】
一方、ステップＳ３１２０の判断処理において、ステップＳ３１１４の処理で出力された簡易情報と、ステップＳ３１１６の処理で取得した簡易情報とが一致したと判断されると、読み取り部６２に翳されているＩＣ運転免許証から、第１の暗証番号を用いて詳細情報を読み取る（ステップＳ３１２４）。
【０７３９】
即ち、ステップＳ３１２４の処理では、ステップＳ３１１４の処理で出力された第１の暗証番号を用いて、ＩＣ運転免許証から詳細情報たる「免許証番号」を取得することとなる。
【０７４０】
そして、ＩＣ運転免許証から詳細情報を取得することができたか否かの判断を行う（ステップＳ３１２６）。なお、こうしたステップＳ３１２６の判断処理では、上記したステップＳ２６２６の判断処理と同様にして、ＩＣ運転免許証から詳細情報を取得できたか否かの判断がなされる。
【０７４１】
ステップＳ３１２６の判断処理において、詳細情報が取得できなかったと判断されると、ステップＳ３１２２の処理に進み、「認証不能」であることを一定時間だけ示し、ステップＳ３１１６の処理に戻って、ステップＳ３１１６以降の処理を行う。
【０７４２】
一方、ステップＳ３１２６の判断処理において、詳細情報が取得できたと判断されると、ＬＥＤランプ７６を点灯してＩＣ運転免許証から免許証情報を読み取ったことを示す（ステップＳ３１２７）。
【０７４３】
そして、取得した詳細情報と、ステップＳ２５１８の処理でなされた判断結果をサーバー１０８に出力する（ステップＳ３１２８）。
【０７４４】
即ち、このステップＳ３１２８の処理では、ステップＳ３１２４の処理で取得した詳細情報たる「免許証番号」と、ステップＳ２５１８の処理でなされた判断結果（つまり、車両１１０の３０分間の予約がなされたとの判断結果である。）とをメインコントローラー１２ｃから携帯電話網を介してサーバー１０８に出力する。
【０７４５】
その後、サーバー１０８において、出力された詳細情報とサーバー１０８に予め記憶されている詳細情報とが一致するか否かの判断を行う（ステップＳ３１３０）。
【０７４６】
即ち、このステップＳ３１３０の判断処理においては、サーバー１０８に記憶されている利用者情報のうち、ステップＳ３１０８の判断処理で認証用コードと一致すると判断された登録コードを有する利用者情報における詳細情報（免許証番号）が、ステップＳ３１２８の処理で出力された詳細情報（免許証番号）と一致するか否かを判断するものである。
【０７４７】
ステップＳ３１３０の判断処理において、詳細情報が一致しない、つまり、ステップＳ３１０８の判断処理で認証用コードと一致すると判断された登録コードを有する利用者情報における詳細情報が、ステップＳ３１２８の処理で出力された詳細情報と一致しないと判断されると、サーバー１０８において「認証不能」と判断され、この判断結果を携帯電話網を介してメインコントローラー１２ｃに出力する（ステップＳ３１３２）。
【０７４８】
そして、メインコントローラー１２ｃの制御により、カードリーダー６０に設けられたＬＥＤランプ６６によって、利用者に対して「認証不能」であることを一定時間だけ示し（ステップＳ３１３４）、ステップＳ３１１６の処理に戻って、ステップＳ３１１６以降の処理を行う。
【０７４９】
即ち、ステップＳ３１３４の処理では、ＬＥＤランプ６６を点灯することにより、認証不能であることを示すこととなる。
【０７５０】
一方、ステップＳ３１３０の判断処理において、詳細情報が一致する、つまり、ステップＳ３１０８の判断処理で認証用コードと一致すると判断された登録コードを有する利用者情報における詳細情報が、ステップＳ３１２８の処理で出力された詳細情報と一致すると判断されると、サーバー１０８において「認証」と判断され、この判断結果を携帯電話網を介してメインコントローラー１２ｃに出力し（ステップＳ３１３６）、ステップＳ２５２２の処理に進む。
【０７５１】
また、ステップＳ２５２２の処理では、「認証」との判断結果およびステップＳ２５１８の処理での判断結果に基づいて、サーバー１０８で管理している予約情報において即時利用予約開始時点から１２時間だけ車両１１０の予約を行うとともに、予約サイトにおける車両１１０の予約を即時利用予約開始時点から１２時間だけ不可能な状態とする。
【０７５２】
即ち、サーバー１０８において、車両１１０の利用時間の管理などを行う予約情報において、即時利用予約開始時点から１２時間だけ車両１１０を第６の認証処理により認証された利用者が利用するための予約を行い、さらに、予約サイトにおいて、当該予約情報を反映するようにして、車両１１０の予約を即時利用予約開始時点から１２時間だけ不可能な状態とする。
【０７５３】
例えば、ステップＳ２５２２の処理においては、１６時４６分を即時利用予約開始時点とすると、予約可能な時間単位は、１５分であるため、１６時４６分から１７時までの時間は無視され、１７時から１２時間の車両１１０の利用予約がなされることとなる。なお、このとき、無視された時間は、例えば、利用者が無料で利用できる。
【０７５４】
また、ステップＳ９２２の処理においては、メインコントローラー１２ｃの制御により、車両１１０のセキュリティを解除した状態、つまり、車両１１０のドアロックを解除するとともに、キーボックス１１６からキーを取り出すことができる状態とする。
【０７５５】
そして、ＬＥＤランプ６４を一定時間点灯することにより、利用者に対して車両１１０のドアを開錠したことを示す。
【０７５６】
その後、ステップＳ２５１０の処理に進み、即時利用予約装置１６を停止して、第４の予約処理を終了することにより第２の即時利用予約処理を終了する。
【０７５７】
また、ステップＳ２５１８の判断処理において、近接センサ１４−４が選択されなかったと判断されると、近接センサ１４−１が選択されたか否かの判断を行う（ステップＳ２５２４）。
【０７５８】
なお、ステップＳ２５２４の判断処理では、上記したステップＳ２２１６の判断処理と同様にして、近接センサ１４−１が選択されたか否かの判断がなされる。
【０７５９】
このステップＳ２５２４の判断処理において、近接センサ１４−１が選択されたと判断されると、ステップＳ２５１０の処理に進み、メインコントローラー１２ｃの制御により、即時利用予約装置１６を停止して、第４の予約処理を終了することにより第２の即時利用予約処理を終了する。
【０７６０】
また、ステップＳ２５２４の判断処理において、近接センサ１４−１が選択されなかったと判断されると、ステップＳ２５０２の処理から所定の時間（例えば、５分間）が経過したか否かの判断を行う（ステップＳ２５２６）。
【０７６１】
即ち、このステップＳ２５２６の判断処理においては、ＬＥＤランプ２０−１、２０−２、２０−３を緑色で点灯した時点からカウントされた時間が、所定の時間に達したか否かの判断を行うものである。
【０７６２】
このステップＳ２５２６の判断処理において、所定の時間が経過したと判断されると、ステップＳ２５１０の処理に進み、即時利用予約装置１６を停止して、第４の予約処理を終了することにより第２の即時利用予約処理を終了する。
【０７６３】
また、ステップＳ２５２６の判断処理において、所定の時間が経過していないと判断されると、ステップＳ２５０４の判断処理に戻って、ステップＳ２５０４以降の処理を行う。
【０７６４】
即ち、この第４の予約処理においては、ステップＳ２５０２の処理によりＬＥＤ２０−１、２０−２、２０−３を緑色で点灯した後には、近接センサ１４−１、１４−２、１４−３、１４−４が利用者により選択されない限り、所定の時間が経過するまでステップＳ２５０４〜ステップＳ２５２６の処理を繰り返すこととなる。
【０７６５】
ステップＳ２００４の処理で行った車両１１０の予約が事前予約の場合には、予約した利用開始日時になると、サーバー１０８から予約情報が携帯電話網を介してメインコントローラー１２ｃに出力され、メインコントローラー１２ｃの制御により、カードリーダー６０が起動される。
【０７６６】
そして、利用者は予約した利用開始日時に車両１１０が駐車された駐車場まで行き、車両１１０を利用することとなる。
【０７６７】
また、ステップＳ２００４の処理で行った車両１１０の予約が即時利用予約の場合には、利用者は、即時利用予約後に、直ちに車両１１０を利用することとなる。
【０７６８】
そして、車両１１０の利用を開始する際は、利用者は、起動されたカードリーダー６０にＩＣカードやＩＣ運転免許証を翳すことにより、車両利用前の認証処理を行う（ステップＳ２００６）。
【０７６９】
なお、このステップＳ２００６の処理による車両利用前の認証処理については、ステップＳ２００４の処理でなされた車両１１０への予約が事前予約であった場合になされるものであり、ステップＳ２００４の処理でなされた車両１１０への予約が即時利用予約であった場合には省略される。
【０７７０】
また、ステップＳ２００６の処理による車両利用前の認証処理については、例えば、ＩＣカードのみを用いるようにしてもよいし、ＩＣ運転免許証のみを用いるようにしてもよいし、ＩＣカードおよびＩＣ運転免許証の両方を用いるようにしてもよい。
【０７７１】
ここで、ＩＣカードのみを用いた車両利用前の認証処理およびＩＣ運転免許証のみを用いた車両利用前の認証処理については、従来より公知の技術を用いることができるため、その詳細な説明は省略する。なお、ＩＣカードのみを用いた車両利用前の認証処理では、ＩＣカードからカード情報（認証用コード）を読み取った際に、カード情報を読み取った旨を表示しないようにしてもよいし、ＬＥＤランプ７４を用いてカード情報を読み取った旨を表示してもよい。同様に、ＩＣ運転免許証のみを用いた車両利用前の認証処理では、ＩＣ運転免許証から免許証情報（簡易情報および詳細情報）を読み取った際に、免許証情報を読み取った旨を表示しないようにしてもよいし、ＬＥＤランプ７６を用いて免許証情報を読み取った旨を表示してもよい。
【０７７２】
従って、このステップＳ２００６の処理における車両利用前の認証処理については、ＩＣカードおよびＩＣ運転免許証の両方を用いるようにした場合について説明する。
【０７７３】
ここで、図３２のフローチャートには、このステップＳ２００６の処理における車両利用前の認証処理の詳細な処理内容が示されており、この車両利用前の認証処理においては、まず、利用開始時間（事前予約によりなされた車両１１０の利用を開始する時間である。）の１５分前になると、メインコントローラー１２ｃの制御により、カードリーダー６０を起動する（ステップＳ３２０２）。
【０７７４】
即ち、このステップＳ３２０２の処理では、利用開始時間の１５分前になると、所定の信号がサーバー１０８から携帯電話網を介してメインコントローラー１２ｃに出力される。
【０７７５】
なお、所定の信号とは、例えば、利用開始１５分前を知らせる信号でもよいし、カードリーダー６０の起動を指示する信号でもよく、メインコントローラー１２ｃの制御によりカードリーダー６０を起動できれば、どのような信号でもよい。
【０７７６】
また、こうした所定の信号をサーバー１０８から出力するタイミングとして、利用開始時間の１５分前としたが、こうした時間は一例に過ぎず、利用開始時間の５分前あるいは１０分前など任意の時間としてもよい。
【０７７７】
次に、利用者によりＩＣカードが読み取り部６２に翳されると、読み取り部６２に翳されたＩＣカードからカード情報として認証用コードを読み取り、読み取った認証用コードをサーバー１０８に出力する（ステップＳ３２０４）。
【０７７８】
そして、ＩＣカードから認証用コードを読み取ると、ＬＥＤランプ７４を点灯してＩＣカードから認証用コードを読み取ったことを示す（ステップＳ３２０６）。
【０７７９】
その後、サーバー１０８において、出力された認証用コードとサーバー１０８に予め記憶されている登録コードとが一致するか否かの判断を行う（ステップＳ３２０８）。
【０７８０】
即ち、このステップＳ３２０８の判断処理においては、サーバー１０８に記憶されている登録コードに、ステップＳ３２０４の処理で出力された認証用コードと一致する登録コードがあるか否かの判断を行うものである。
【０７８１】
ステップＳ３２０８の判断処理において、認証用コードと登録コードとが一致しない、つまり、サーバー１０８に記憶されている登録コードに、認証用コードと一致する登録コードがないと判断されると、サーバー１０８において、「認証不能」と判断され、この判断結果を携帯電話網を介してメインコントローラー１２ｃに出力する（ステップＳ３２１０）。
【０７８２】
その後、メインコントローラー１２ｃの制御により、カードリーダー６０に設けられたＬＥＤランプ６６によって、利用者に対して「認証不能」であることを一定時間だけ示し（ステップＳ３２１２）、ステップＳ３２０４の処理に戻り、ステップＳ３２０４以降の処理を行う。
【０７８３】
即ち、ステップＳ３２１２の処理では、ＬＥＤランプ６６を点灯することにより、認証不能であることを示すこととなる。
【０７８４】
一方、ステップＳ３２０８の判断処理において、認証用コードと登録コードとが一致する、つまり、サーバー１０８に記憶されている登録コードに、認証用コードと一致する登録コードがあると判断されると、サーバー１０８において、認証用コードと一致する登録コードを有する利用者情報から免許証情報として簡易情報を取得するとともに第１の暗証番号を取得し、取得した簡易情報および第１の暗証番号をメインコントローラー１２ｃに出力する（ステップＳ３２１４）。
【０７８５】
即ち、このステップＳ３２１４の処理では、認証用コードと一致する登録コードを有する利用者情報から、簡易情報の「交付年月日」および「有効期限の末日」と、「第１の暗証番号」とを取得し、取得した「交付年月日」、「有効期限の末日」および「第１の暗証番号」をメインコントローラー１２ｃに出力することとなる。
【０７８６】
その後、利用者によりＩＣ運転免許証が読み取り部６２に翳されると、読み取り部６２に翳されたＩＣ運転免許証から免許証情報として簡易情報を読み取る（ステップＳ３２１６）。
【０７８７】
即ち、このステップＳ３２１６の処理では、簡易情報として「交付年月日」および「有効期限の末日」を取得することとなる。
【０７８８】
そして、ＩＣ運転免許証から簡易情報を読み取ると、ＬＥＤランプ７６を、例えば、点滅してＩＣ運転免許証から免許証情報を読み取り中であることを示す（ステップＳ３２１８）。
【０７８９】
次に、メインコントローラー１２ｃにおいて、ステップＳ３２１４の処理で出力された簡易情報と、ステップＳ３２１６の処理で取得した簡易情報とが一致するか否かの判断を行う（ステップＳ３２２０）。
【０７９０】
即ち、このステップＳ３２２０の判断処理においては、ステップＳ３２１４の処理で出力された簡易情報たる「交付年月日」および「有効期限の末日」と、ステップＳ３２１６の処理で取得した簡易情報たる「交付年月日」および「有効期限の末日」とが一致するか否かの判断を行うものである。
【０７９１】
ステップＳ３２２０の判断処理において、ステップＳ３２１４の処理で出力された簡易情報と、ステップＳ３２１６の処理で取得した簡易情報とが一致しないと判断されると、メインコントローラー１２ｃの制御により、カードリーダー６０に設けられたＬＥＤランプ６６によって、利用者に対して「認証不能」であることを一定時間だけ示し（ステップＳ３２２２）、ステップＳ３２１６の処理に戻り、ステップＳ３２１６以降の処理を行う。
【０７９２】
即ち、ステップＳ３２２２の処理では、メインコントローラー１２ｃの制御によって、ＬＥＤランプ６６を点灯することにより、認証不能であることを示すこととなる。
【０７９３】
一方、ステップＳ３２２０の判断処理において、ステップＳ３２１４の処理で出力された簡易情報と、ステップＳ３２１６の処理で取得した簡易情報とが一致したと判断されると、読み取り部６２に翳されているＩＣ運転免許証から、第１の暗証番号を用いて詳細情報を読み取る（ステップＳ３２２４）。
【０７９４】
即ち、ステップＳ３２２４の処理では、ステップＳ３２１４の処理で出力された第１の暗証番号を用いて、ＩＣ運転免許証から詳細情報たる「免許証番号」を取得することとなる。
【０７９５】
そして、ＩＣ運転免許証から詳細情報を取得することができたか否かの判断を行う（ステップＳ３２２６）。
【０７９６】
即ち、このステップＳ３２２６の処理では、カードリーダー６０からメインコントローラー１２ｃに詳細情報（免許証情報）が出力されたか否かの判断を行うこととなり、カードリーダー６０からメインコントローラー１２ｃに詳細情報が出力されると、メインコントローラー１２ｃにおいてＩＣ運転免許証から詳細情報を取得することができたと判断され、カードリーダー６０からメインコントローラー１２ｃに詳細情報が出力されないと、メインコントローラー１２ｃにおいてＩＣ運転免許証から詳細情報を取得することができなかったと判断される。
【０７９７】
ステップＳ３２２６の判断処理において、詳細情報が取得できなかったと判断されると、ステップＳ３２２２の処理に進み、「認証不能」であることを一定時間だけ示し、ステップＳ３２１６の処理に戻って、ステップＳ３２１６以降の処理を行う。
【０７９８】
一方、ステップＳ３２２６の判断処理において、詳細情報が取得できたと判断されると、ＬＥＤランプ７６を点灯してＩＣ運転免許証から免許証情報を読み取ったことを示す（ステップＳ３２２７）。
【０７９９】
そして、取得した詳細情報をサーバー１０８に出力する（ステップＳ３２２８）。
【０８００】
即ち、このステップＳ３２２８の処理では、ステップＳ３２２４の処理で取得した詳細情報たる「免許証番号」をメインコントローラー１２ｃから携帯電話網を介してサーバー１０８に出力する。
【０８０１】
その後、サーバー１０８において、出力された詳細情報とサーバー１０８に予め記憶されている詳細情報とが一致するか否かの判断を行う（ステップＳ３２３０）。
【０８０２】
即ち、このステップＳ３２３０の判断処理においては、サーバー１０８に記憶されている利用者情報のうち、ステップＳ３２０８の判断処理で認証用コードと一致すると判断された登録コードを有する利用者情報における詳細情報（免許証番号）が、ステップＳ３２２８の処理で出力された詳細情報（免許証番号）と一致するか否かを判断するものである。
【０８０３】
ステップＳ３２３０の判断処理において、詳細情報が一致しない、つまり、ステップＳ３２０８の判断処理で認証用コードと一致すると判断された登録コードを有する利用者情報における詳細情報が、ステップＳ３２２８の処理で出力された詳細情報と一致しないと判断されると、サーバー１０８において「認証不能」と判断され、この判断結果を携帯電話網を介してメインコントローラー１２ｃに出力する（ステップＳ３２３２）。
【０８０４】
そして、メインコントローラー１２ｃの制御により、カードリーダー６０に設けられたＬＥＤランプ６６によって、利用者に対して「認証不能」であることを一定時間だけ示し（ステップＳ３２３４）、ステップＳ３２１６の処理に戻って、ステップＳ３２１６以降の処理を行う。
【０８０５】
即ち、ステップＳ３２３４の処理では、メインコントローラー１２ｃの制御によって、ＬＥＤランプ６６を点灯することにより、認証不能であることを示すこととなる。
【０８０６】
一方、ステップＳ３２３０の判断処理において、詳細情報が一致する、つまり、ステップＳ３２０８の判断処理で認証用コードと一致すると判断された登録コードを有する利用者情報における詳細情報が、ステップＳ３２２８の処理で出力された詳細情報と一致すると判断されると、サーバー１０８において「認証」と判断され、この判断結果を携帯電話網を介してメインコントローラー１２ｃに出力し（ステップＳ３２３６）、ステップＳ２００８の処理に進む。
【０８０７】
その後、「認証」との判断結果に基づいて、メインコントローラー１２ｃの制御により、車両１１０のセキュリティを解除した状態とし（ステップＳ３２３８）、ステップＳ２００８の処理に進む。
【０８０８】
なお、車両１１０のセキュリティを解除した状態とは、具体的には、車両１１０のドアロックを解除するとともに、キーボックス１１６からキーを取り出すことができる状態である。また、このとき、ＬＥＤランプ６４を一定時間点灯することにより、利用者に対して車両１１０のドアを開錠したことを示す。
【０８０９】
ステップＳ２００６の処理による車両利用前の認証処理により認証が完了すると、メインコントローラー１２ｃの制御によりカードリーダー６０の電源を切る。
【０８１０】
そして、利用者は、車両１１０を利用して（ステップＳ２００８）、車両１１０の利用を終了する時間までに、車両１１０を予め決められた駐車場に駐車させる。
【０８１１】
その後、車両１１０を返却する際には、利用者は、車両１１０に対して、キーを利用して車両１１０のエンジンを停止するとともに、当該キーをキーボックス１１６に返却し、車両１１０から降車して車両１１０の全てのドアを閉めるようにする。
【０８１２】
その後、車両１１０を返却するための認証処理である、車両利用後の認証処理を行う（ステップＳ２０１０）。
【０８１３】
なお、このステップＳ２０１０の処理による車両利用後の認証処理については、ステップＳ２００６の処理による車両利用前の認証処理に対応して、ＩＣカードやＩＣ運転免許証を用いて行われる。
【０８１４】
例えば、車両利用前の認証処理においてＩＣカードのみを用いた場合には、車両利用後の認証処理においてもＩＣカードのみを用い、また、車両利用前の認証処理においてＩＣ運転免許証のみを用いた場合には、車両利用後の認証処理においてもＩＣ運転免許証のみを用い、また、車両利用前の認証処理においてＩＣカードおよびＩＣ運転免許証の両方を用いた場合には、車両利用後の認証処理においてもＩＣカードおよびＩＣ運転免許証の両方を用いるようにする。
【０８１５】
ここで、ＩＣカードのみを用いた車両利用後の認証処理およびＩＣ運転免許証のみを用いた車両利用後の認証処理については、従来より公知の技術を用いることができるため、その詳細な説明は省略することとする。なお、ＩＣカードのみを用いた車両利用後の認証処理では、ＩＣカードからカード情報（認証用コード）を読み取った際に、カード情報を読み取った旨を表示しないようにしてもよいし、ＬＥＤランプ７４を用いてカード情報を読み取った旨を表示してもよい。同様に、ＩＣ運転免許証のみを用いた車両利用後の認証処理では、ＩＣ運転免許証から免許証情報（簡易情報および詳細情報）を読み取った際に、免許証情報を読み取った旨を表示しないようにしてもよいし、ＬＥＤランプ７６を用いて免許証情報を読み取った旨を表示してもよい。
【０８１６】
従って、このステップＳ２０１０の処理における車両利用後の認証処理については、ＩＣカードおよびＩＣ運転免許証の両方を用いるようにした場合について説明する。
【０８１７】
ここで、図３３のフローチャートには、このステップＳ２０１０の処理による車両利用後の認証処理の詳細な処理内容が示されており、この車両利用後の認証処理においては、まず、監視部１２ｅにおけるイグニッション１１０ｄ、キーボックス１１６ならびにドアスイッチ１１０ｃの監視結果に基づいて、メインコントローラー１２ｃにおいて、車両１１０のエンジンが停止され、キーボックス１１６にキーが返却され、かつ、車両１１０の全てのドアが閉められているか否かの判断を行う（ステップＳ３３０２）。
【０８１８】
ステップＳ３３０２の判断処理において、「車両１１０のエンジンの停止」、「キーボックス１１６へのキーの返却」、「車両１１０の全てのドアが閉められていること」の３つのうちの１つでも行われていないと判断されると、継続して車両１１０を利用するものと判断して、この車両利用後の認証処理を終了する。
【０８１９】
一方、ステップＳ３３０２の判断処理において、車両１１０のエンジンが停止され、キーボックス１１６にキーが返却され、かつ、車両１１０の全てのドアが閉められている戸判断されると、メインコントローラー１２ｃの制御により、カードリーダー６０を起動する（ステップＳ３３０４）。
【０８２０】
次に、利用者によりＩＣカードが読み取り部６２に翳されると、読み取り部６２に翳されたＩＣカードからカード情報として認証用コードを読み取り、読み取った認証用コードをサーバー１０８に出力する（ステップＳ３３０６）。
【０８２１】
そして、ＩＣカードから認証用コードを読み取ると、ＬＥＤランプ７４を点灯してＩＣカードから認証用コードを読み取ったことを示す（ステップＳ３３０８）。
【０８２２】
その後、サーバー１０８において、出力された認証用コードとサーバー１０８に予め記憶されている登録コードとが一致するか否かの判断を行う（ステップＳ３３１０）。
【０８２３】
即ち、このステップＳ３３１０の判断処理においては、サーバー１０８に記憶されている登録コードに、ステップＳ３３０６の処理で出力された認証用コードと一致する登録コードがあるか否かの判断を行うものである。
【０８２４】
ステップＳ３３１０の判断処理において、認証用コードと登録コードとが一致しない、つまり、サーバー１０８に記憶されている登録コードに、認証用コードと一致する登録コードがないと判断されると、サーバー１０８において、「認証不能」と判断され、この判断結果を携帯電話網を介してメインコントローラー１２ｃに出力する（ステップＳ３３１２）。
【０８２５】
その後、メインコントローラー１２ｃの制御により、カードリーダー６０に設けられたＬＥＤランプ６６によって、利用者に対して「認証不能」であることを一定時間だけ示し（ステップＳ３３１４）、ステップＳ３３０６の処理に戻り、ステップＳ３３０６以降の処理を行う。
【０８２６】
即ち、ステップＳ３２１４の処理では、メインコントローラー１２ｃの制御によって、ＬＥＤランプ６６を点灯することにより、認証不能であることを示すこととなる。
【０８２７】
一方、ステップＳ３３１０の判断処理において、認証用コードと登録コードとが一致する、つまり、サーバー１０８に記憶されている登録コードに、認証用コードと一致する登録コードがあると判断されると、サーバー１０８において、認証用コードと一致する登録コードを有する利用者情報から免許証情報として簡易情報を取得するとともに第１の暗証番号を取得し、取得した簡易情報および第１の暗証番号をメインコントローラー１２ｃに出力する（ステップＳ３３１６）。
【０８２８】
即ち、このステップＳ３３１６の処理では、認証用コードと一致する登録コードを有する利用者情報から、簡易情報の「交付年月日」および「有効期限の末日」と、「第１の暗証番号」とを取得し、取得した「交付年月日」、「有効期限の末日」および「第１の暗証番号」をメインコントローラー１２ｃに出力することとなる。
【０８２９】
その後、利用者によりＩＣ運転免許証が読み取り部６２に翳されると、読み取り部６２に翳されたＩＣ運転免許証から免許証情報として簡易情報を読み取る（ステップＳ３３１８）。
【０８３０】
即ち、このステップＳ３３１８の処理では、簡易情報として「交付年月日」および「有効期限の末日」を取得することとなる。
【０８３１】
そして、ＩＣ運転免許証から簡易情報を読み取ると、ＬＥＤランプ７６を、例えば、点滅してＩＣ運転免許証から免許証情報を読み取り中であることを示す（ステップＳ３３２０）。
【０８３２】
次に、メインコントローラー１２ｃにおいて、ステップＳ３３１６の処理で出力された簡易情報と、ステップＳ３３１８の処理で取得した簡易情報とが一致するか否かの判断を行う（ステップＳ３３２２）。
【０８３３】
即ち、このステップＳ３３２２の判断処理においては、ステップＳ３３１６の処理で出力された簡易情報たる「交付年月日」および「有効期限の末日」と、ステップＳ３３１８の処理で取得した簡易情報たる「交付年月日」および「有効期限の末日」とが一致するか否かの判断を行うものである。
【０８３４】
ステップＳ３３２２の判断処理において、ステップＳ３３１６の処理で出力された簡易情報と、ステップＳ３３１８の処理で取得した簡易情報とが一致しないと判断されると、メインコントローラー１２ｃの制御により、カードリーダー６０に設けられたＬＥＤランプ６６によって、利用者に対して「認証不能」であることを一定時間だけ示し（ステップＳ３３２４）、ステップＳ３３１８の処理に戻り、ステップＳ３３１８以降の処理を行う。
【０８３５】
即ち、ステップＳ３３２４の処理では、メインコントローラー１２ｃの制御によって、ＬＥＤランプ６６を点灯することにより、認証不能であることを示すこととなる。
【０８３６】
一方、ステップＳ３３２２の判断処理において、ステップＳ３３１６の処理で出力された簡易情報と、ステップＳ３３１８の処理で取得した簡易情報とが一致したと判断されると、読み取り部６２に翳されているＩＣ運転免許証から、第１の暗証番号を用いて詳細情報を読み取る（ステップＳ３３２６）。
【０８３７】
即ち、ステップＳ３３２６の処理では、ステップＳ３３１６の処理で出力された第１の暗証番号を用いて、ＩＣ運転免許証から詳細情報たる「免許証番号」を取得することとなる。
【０８３８】
そして、ＩＣ運転免許証から詳細情報を取得することができたか否かの判断を行う（ステップＳ３３２８）。
【０８３９】
即ち、このステップＳ３３２８の処理では、カードリーダー６０からメインコントローラー１２ｃに詳細情報（免許証情報）が出力されたか否かの判断を行うこととなり、カードリーダー６０からメインコントローラー１２ｃに詳細情報が出力されると、メインコントローラー１２ｃにおいてＩＣ運転免許証から詳細情報を取得することができたと判断され、カードリーダー６０からメインコントローラー１２ｃに詳細情報が出力されないと、メインコントローラー１２ｃにおいてＩＣ運転免許証から詳細情報を取得することができなかったと判断される。
【０８４０】
ステップＳ３３２８の判断処理において、詳細情報が取得できなかったと判断されると、ステップＳ３３２４の処理に進み、「認証不能」であることを一定時間だけ示し、ステップＳ３３１８の処理に戻って、ステップＳ３３１８以降の処理を行う。
【０８４１】
一方、ステップＳ３３２８の判断処理において、詳細情報が取得できたと判断されると、ＬＥＤランプ７６を点灯してＩＣ運転免許証から免許証情報を読み取ったことを示す（ステップＳ３３２９）。
【０８４２】
そして、取得した詳細情報をサーバー１０８に出力する（ステップＳ３３３０）。
【０８４３】
即ち、このステップＳ３３３０の処理では、ステップＳ３３２８の処理で取得した詳細情報たる「免許証番号」をメインコントローラー１２ｃから携帯電話網を介してサーバー１０８に出力する。
【０８４４】
その後、サーバー１０８において、出力された詳細情報とサーバー１０８に予め記憶されている詳細情報とが一致するか否かの判断を行う（ステップＳ３３３２）。
【０８４５】
即ち、このステップＳ３３３２の判断処理においては、サーバー１０８に記憶されている利用者情報のうち、ステップＳ３３１０の判断処理で認証用コードと一致すると判断された登録コードを有する利用者情報における詳細情報（免許証番号）が、ステップＳ３３３０の処理で出力された詳細情報（免許証番号）と一致するか否かを判断するものである。
【０８４６】
ステップＳ３３３２の判断処理において、詳細情報が一致しない、つまり、ステップＳ３３１０の判断処理で認証用コードと一致すると判断された登録コードを有する利用者情報における詳細情報が、ステップＳ３３３０の処理で出力された詳細情報と一致しないと判断されると、サーバー１０８において「認証不能」と判断され、この判断結果を携帯電話網を介してメインコントローラー１２ｃに出力する（ステップＳ３３３４）。
【０８４７】
そして、メインコントローラー１２ｃの制御により、カードリーダー６０に設けられたＬＥＤランプ６６によって、利用者に対して「認証不能」であることを一定時間だけ示し（ステップＳ３３３６）、ステップＳ３３１８の処理に戻って、ステップＳ３３１８以降の処理を行う。
【０８４８】
即ち、ステップＳ３３３６の処理では、ＬＥＤランプ６６を点灯することにより、認証不能であることを示すこととなる。
【０８４９】
一方、ステップＳ３３３２の判断処理において、詳細情報が一致する、つまり、ステップＳ３３１０の判断処理で認証用コードと一致すると判断された登録コードを有する利用者情報における詳細情報が、ステップＳ３３３０の処理で出力された詳細情報と一致すると判断されると、サーバー１０８で管理されている予約情報から、Ｓ３３１０の判断処理で認証用コードと一致すると判断された登録コードの利用者の予約状況を確認し（ステップＳ３３３８）、この処理が行われている時点において、当該利用者が利用している車両１１０が存在するか否かの判断を行う（ステップＳ３３４０）。
【０８５０】
即ち、ステップＳ３３３８の処理では、ステップＳ３３１０、Ｓ３３２２、Ｓ３３２８の判断処理で特定した利用者情報を有する利用者の予約状況を確認することとなる。
【０８５１】
また、ステップＳ３３４０の判断処理では、ステップＳ３３３８の処理における確認結果に基づいて、この処理が行われている時点において、利用者が利用している車両１１０が存在する、つまり、利用者による車両１１０の利用予約があるか否かの判断を行うこととなる。
【０８５２】
このステップＳ３３４０の判断処理において、利用者が利用している車両１１０が存在しないと判断されると、サーバー１０８において「認証不能」と判断され、この判断結果を携帯電話網を介してメインコントローラー１２ｃに出力する（ステップＳ３３４２）。
【０８５３】
その後、メインコントローラー１２ｃの制御により、ＬＥＤランプ６６を点灯することによって、利用者に対して「認証不能」であることを一定時間示し（ステップＳ３３４４）、この車両利用後の認証処理を終了する。
【０８５４】
なお、ステップＳ３３４４の処理においては、さらに、ＬＥＤランプ７０によって、利用者に対して事業者への連絡を促すようにしてもよい。
【０８５５】
一方、ステップＳ３３４０の判断処理において、利用者が利用している車両１１０が存在すると判断されると、サーバー１０８において「認証」と判断され、この判断結果を携帯電話網を介してメインコントローラー１２ｃに出力する（ステップＳ３３４６）。
【０８５６】
その後、「認証」との判断結果に基づいて、メインコントローラー１２ｃの制御により、車両１１０のセキュリティを起動した状態とし（ステップＳ３３４８）、ステップＳ２０１２の処理に進む。
【０８５７】
なお、車両１１０のセキュリティを起動した状態とは、具体的には、車両１１０のドアロックを行うとともに、キーボックス１１６からキーを取り出すことができない状態である。また、このとき、ＬＥＤランプ６４を一定時間点灯することにより、利用者に対して車両１１０のドアを施錠したことを示す。
【０８５８】
そして、ステップＳ２０１０の処理による車両利用後の認証処理により認証が完了すると、メインコントローラー１２ｃの制御により、カードリーダー６０の電源を切る。
【０８５９】
その後、サーバー１０８において、車両１１０の利用により生じた車両１１０の利用料金の精算がなされる（ステップＳ２０１２）。
【０８６０】
即ち、ステップＳ２０１２の処理では、車両利用後の認証処理が完了すると、車両１１０の利用が終了した時点の車両１１０の総走行距離や燃料残量など、利用料金の算出に必要な各種情報を取得し、取得した各情報をメインコントローラー１２ｃから携帯電話網を介してサーバー１０８に出力する。その後、サーバー１０８において、各情報に基づいて、車両１１０の利用により発生した料金の算出が行われる。
【０８６１】
なお、こうして算出した利用料金は、予め決められた利用者への料金請求日などの所定のタイミングで、それぞれの利用者のパーソナルコンピューター１０４や携帯端末１０６に通知する。
【０８６２】
また、こうした各利用者による予約状況や利用料金については、表やグラフなどにまとめられ事業者がパーソナルコンピューター１０２により閲覧可能なようにサーバー１０８における記憶手段（図示せず。）に記憶する。
【０８６３】
以上において説明したように、本発明の第２の実施の形態による車両予約システムを備えたカーシェアリングシステム５０は、即時利用予約装置１６とともに、ＩＣカードおよびＩＣ運転免許証のＩＣチップに記憶された情報を読み取ることができるカードリーダー６０を備えるようにした。
【０８６４】
そして、車両１１０を直ちに利用したい利用者は、この即時利用予約装置１６を起動し、即時利用予約装置１６に、車両１１０を利用することが可能な時間を複数表示するようにした。
【０８６５】
その後、利用者は、即時利用予約装置１６に表示された時間（車両１１０を利用可能な時間である。）から、任意の時間を選択し、まず、ＩＣカードのＩＣチップに記憶された情報が、サーバー１０８に記憶された情報と一致するか否かの判断を行い、この判断処理において一致すると判断されると、次に、ＩＣ運転免許証に記憶された簡易情報および詳細情報が、サーバー１０８に記憶された簡易情報および詳細情報と一致するか否かの判断を行うようにした。
【０８６６】
そして、この判断処理において一致すると判断された場合にのみ、即時利用予約の処理を開始した時点から、選択した時間だけ車両１１０を利用するための予約を行うようにした。
【０８６７】
これにより、本発明の第２の実施の形態による車両予約システムを備えたカーシェアリングシステム５０においては、即時利用予約装置１６により車両１１０を直ちに利用可能な予約を行う即時利用予約を行うことができるようになる。
【０８６８】
このため、本発明の第２の実施の形態による車両予約システムを備えたカーシェアリングシステム５０によれば、車両１１０を直ちに利用したい場合には、容易に、かつ、短時間で即時李利用予約を行って、車両１１０を利用することができるようになる。
【０８６９】
また、本発明の第２の実施の形態による車両予約システムを備えたカーシェアリングシステム５０は、事業者が発行したＩＣカードだけでなく、運転時に常に携帯が義務づけられているＩＣ運転免許証も利用して認証処理を行うようにした。
【０８７０】
このため、本発明の第２の実施の形態に取る車両予約システムを備えたカーシェアリングシステム５０においては、ＩＣカードのみ、あるいは、ＩＣ運転免許証のみを利用して認証処理を行う従来の技術と比較して、より高い精度で利用者に対する認証を行うことができるようになる。
【０８７１】
さらに、本発明の第２の実施の形態による車両予約システムを備えたカーシェアリングシステム５０は、認証処理において、ＩＣカードのＩＣチップに記憶された認証用コードとともに、ＩＣ運転免許証のＩＣチップに記憶された簡易情報および詳細情報を利用するようにした。
【０８７２】
このため、本発明の第２の実施の形態による車両予約システムを備えたカーシェアリングシステム５０によれば、認証処理において、ＩＣカードのＩＣチップに記憶された認証用コードとともに、ＩＣ運転免許証のＩＣチップに記憶された簡易情報を利用するようにした本発明の第１の実施の形態による車両予約システムを備えたカーシェアリングシステム１０と比較して、より高い精度で利用者に対する認証を行うことができるようになる。
【０８７３】
なお、上記した実施の形態は、以下の（１）乃至（２２）に示すように変形するようにしてもよい。
【０８７４】
（１）上記した実施の形態では、本発明の第１の実施の形態による車両予約システムを備えたカーシェアリングシステム１０および本発明の第２の実施の形態による車両予約システムを備えたカーシェアリングシステム５０において、即時利用予約開始時点を、車両１１０の予約状況を確認した時点としたが、これに限られるものではないことは勿論であり、例えば、近接センサ１４−１が選択され、即時利用予約装置１６が起動した時点を即時利用予約開始時点としてもよい。
【０８７５】
（２）上記した実施の形態では、本発明の第１の実施の形態による車両予約システムを備えたカーシェアリングシステム１０および本発明の第２の実施の形態による車両予約システムを備えたカーシェアリングシステム５０において、即時利用予約装置１６は、車両１１０を利用可能な時間として、３０分間、３時間、１２時間を表示することが可能な構成としたが、これに限られるものではないことは勿論である。
【０８７６】
即ち、即時利用予約装置１６に表示することが可能な時間は、例えば、１時間、６時間、１２時間など、任意の時間間隔で表示するようにしてもよいし、例えば、１時間、２時間、３時間や３０分間、６０分間、９０分間などのように、所定の時間間隔で表示するようにしてもよい。なお、こうした即時利用予約装置１６に表示される時間については、事業者が適宜に設定可能なようにしてもよい。
【０８７７】
（３）上記した実施の形態では、本発明の第１の実施の形態による車両予約システムを備えたカーシェアリングシステム１０および本発明の第２の実施の形態による車両予約システムを備えたカーシェアリングシステム５０において、即時利用予約装置１６は、３０分間、３時間、１２時間の３つの時間で、車両１１０を利用可能な時間を利用者に表示するようにしたが、これに限られるものではないことは勿論であり、車両１１０を利用可能な時間を、１つ、２つあるいは４つ以上の時間で表示するようにしてもよい。
【０８７８】
（４）上記した実施の形態では、本発明の第１の実施の形態による車両予約システムを備えたカーシェアリングシステム１０および本発明の第２の実施の形態による車両予約システムを備えたカーシェアリングシステム５０において、近接センサ１４−１と、近接センサ１４−２、１４−３、１４−４と、ＬＥＤランプ２０−１、２０−２、２０−３とを即時利用予約装置１６として車両１１０内に配設するようにしたが、これに限られるものではないことは勿論である。
【０８７９】
即ち、近接センサ１４−１と、近接センサ１４−２、１４−３、１４−４と、ＬＥＤランプ２０−１、２０−２、２０−３とをそれぞれ別々の構成として、車両１１０内に配設するようにしてもよい。
【０８８０】
（５）上記した実施の形態では、本発明の第１の実施の形態による車両予約システムを備えたカーシェアリングシステム１０および本発明の第２の実施の形態による車両予約システムを備えたカーシェアリングシステム５０において、人の指を、近接センサ１４−１、１４−２、１４−３、１４−４の検知対象としたが、これに限られるものではないことは勿論であり、検知対象としては、近接センサ１４−１、１４−２、１４−３、１４−４で検知することができれば、どのようなものであってもよい。
【０８８１】
（６）上記した実施の形態においては、カーシェアリングシステムにおけるシェアカー（共用車両）に対する予約を行う車両予約システムとして、本発明の第１の実施の形態による車両予約システムおよび本発明の第２の実施の形態による車両予約システムを用いる場合について説明したが、これに限られるものではないことは勿論である。
【０８８２】
即ち、本発明の第１の実施の形態による車両予約システムおよび本発明の第２の実施の形態による車両予約システムはそれぞれ、複数の利用者により共用される車両に対して利用するための予約を行ういずれの形態のシステムにも用いることができるものであって、例えば、会社内において複数の従業員が共用する車両を予約する車両予約システムとして用いるようにしてもよい。なお、この場合には利用料金の精算処理などは行われない。
【０８８３】
（７）上記した実施の形態では、本発明の第１の実施の形態による車両予約システムを備えたカーシェアリングシステム１０および本発明の第２の実施の形態による車両予約システムを備えたカーシェアリングシステム５０において、予約サイトにおける車両１１０を予約可能な時間単位を１５分単位としたが、これに限られるものではないことは勿論であり、予約サイトにおける車両１１０と予約可能な時間単位としては、５分単位としてもよいし１０分単位としてもよく、任意の時間単位としてもよい。
【０８８４】
（８）上記した実施の形態では、本発明の第１の実施の形態による車両予約システムを備えたカーシェアリングシステム１０において、カードリーダー４０および即時利用予約装置１６をそれぞれ別体で車両１１０に設けるようにし、本発明の第２の実施の形態による車両予約システムを備えたカーシェアリングシステム５０において、カードリーダー６０および即時利用予約装置１６をそれぞれ別体で車両１１０に設けるようにしたが、これに限られるものではないことは勿論である。
【０８８５】
即ち、カーシェアリングシステム１０では、別体で設けられたカードリーダー４０および即時利用予約装置１６に換えて、カードリーダー４０と即時利用予約装置１６との機能が一体となった装置を車両１１０に設けるようにしてもよし、カーシェアリングシステム５０では、別体で設けられたカードリーダー６０および即時利用予約装置１６に換えて、カードリーダー６０と即時利用予約装置１６との機能が一体となった装置を車両１１０に設けるようにしてもよい（図３５を参照する。）。
【０８８６】
（９）上記した実施の形態では、本発明の第１の実施の形態による車両予約システムを備えたカーシェアリングシステム１０および本発明の第２の実施の形態による車両予約システムを備えたカーシェアリングシステム５０において、バッテリ電圧検出器１１０ｅが車載器１２の外側に配設されるようにしたが、これに限られるものではないことは勿論であり、バッテリ電圧検出器１１０ｅを車載器１２内に配設するようにしてもよい。
【０８８７】
（１０）上記した実施の形態では、本発明の第１の実施の形態による車両予約システムを備えたカーシェアリングシステム１０および本発明の第２の実施の形態による車両予約システムを備えたカーシェアリングシステム５０において、所定の時間だけ車両１１０を利用可能か否かを表示する表示手段たるＬＥＤランプ２０−１、２０−２、２０−３が緑色と赤色との二色で点灯可能なものとしたが、これに限られるものではないことは勿論である。
【０８８８】
例えば、点灯する際の色は緑色と赤色との二色に限られるものではなく、青色や白色などの他の色で点灯するようにしてもよいし、また、二色以上の色で点灯可能なものを用いてもよいし、また、点灯と点滅とで色を変えるようにするなどしてもよい。
【０８８９】
また、単一のＬＥＤランプで二色の点灯を行うようにするのではなく、単色で点灯するＬＥＤランプをそれぞれ設けるようにしてもよい。具体的には、例えば、実施の形態では１個のＬＥＤランプ２０−１が緑色と赤色との二色で点灯する構成としたが、それに代えて、緑色で点灯するＬＥＤランプと赤色で点灯するＬＥＤランプとの２個のＬＥＤランプを設けるようにしてもよい。
【０８９０】
（１１）上記した実施の形態では、本発明の第１の実施の形態による車両予約システムを備えたカーシェアリングシステム１０および本発明の第２の実施の形態による車両予約システムを備えたカーシェアリングシステム５０において、所定の時間だけ車両１１０を利用可能か否かを表示する表示手段としてＬＥＤランプ２０−１、２０−２、２０−３を用いたが、これに限られるものではないことは勿論である。
【０８９１】
即ち、所定の時間だけ車両１１０を利用可能か否かを表示する表示手段は、車両１１０の利用者が利用可能時間を認識できるものであればよく、例えば、利用可能時間を表示可能な液晶ディスプレイや有機ＥＬディスプレイなどを用いてもよく、こうした液晶ディスプレイや有機ＥＬディスプレイなどを用いた場合には、ＬＥＤランプ２０−１、２０−２、２０−３ならびにそれらの近傍に記載された利用時間を示す文字を設ける必要はない。
【０８９２】
（１２）上記した実施の形態では、本発明の第１の実施の形態による車両予約システムを備えたカーシェアリングシステム１０および本発明の第２の実施の形態による車両予約システムを備えたカーシェアリングシステム５０において、近接センサ１４−１を設けて、近接センサ１４−１を用いて即時利用予約装置１６の起動と停止とを制御するようにしたが、これに限られるものではないことは勿論である。
【０８９３】
例えば、近接センサ１４−１を設けることなく、利用者が一定時間内に近接センサ１４−２、１４−３、１４−４を連続して選択するなどの所定の選択方法により近接センサ１４−２、１４−３、１４−４を選択することにより、即時利用予約装置１６の起動と停止とを制御するようにしてもよい。
【０８９４】
（１３）上記した実施の形態では、本発明の第１の実施の形態による車両予約システムを備えたカーシェアリングシステム１０および本発明の第２の実施の形態による車両予約システムを備えたカーシェアリングシステム５０において、近接センサ１４−２が選択されて第１の認証処理に移行する際、近接センサ１４−２が選択されて第２の認証処理に移行する際、近接センサ１４−３が選択されて第３の認証処理に移行する際、近接センサ１４−２が選択されて第４の認証処理に移行する際、近接センサ１４−３が選択されて第５の認証処理に移行する際ならびに近接センサ１４−４が選択されて第６の認証処理に移行する際に、ＬＥＤ２０−１、２０−２、２０−３を緑色で点灯状態のままとしてが、これに限られるものではないことは勿論である。
【０８９５】
例えば、近接センサ１４−２、１４−３、１４−４が選択されて、第１の認証処理、第２の認証処理、第３の認証処理、第４の認証処理、第５の認証処理または第６の認証処理へ移行する際に、近接センサ１４−２、１４−３、１４−４を緑色で点滅するようにして、近接センサ１４−２、１４−３、１４−４のいずれの近接センサが選択されたかを利用者が容易に視認することができるようにしてもよい。
【０８９６】
（１４）上記した実施の形態においては、本発明の第１の実施の形態による車両予約システムを備えたカーシェアリングシステム１０において、カードリーダー４０にＩＣカードを翳し、ＩＣカードのＩＣチップに記憶された認証用コードを読み取った後に、ＩＣ運転免許証を翳し、ＩＣ運転免許証のＩＣチップに記憶された簡易情報を読み取るようにしたが、これに限られるものではないことは勿論である。
【０８９７】
即ち、カードリーダー４０にＩＣ運転免許証を翳し、ＩＣ運転免許証のＩＣチップに記憶された簡易情報を読み取った後に、ＩＣカードを翳し、ＩＣカードのＩＣチップに記憶された認証用コードを読み取るようにしてもよい。
【０８９８】
（１５）上記した実施の形態では、本発明の第１の実施の形態による車両予約システムを備えたカーシェアリングシステム１０および本発明の第２の実施の形態による車両予約システムを備えたカーシェアリングシステム５０において、利用者が予約した時間だけ予約サイトにおいて車両１１０の予約を不可能な状態としたが、これに限られるものではないことは勿論である。
【０８９９】
即ち、利用者が予約した時間に所定の時間、例えば、１時間を加えた時間だけ予約サイトにおいて車両１１０の予約を不可能な状態としてもよい。具体的には、利用者が予約した時間が１７時から１７時３０分までであるならば、１７時から１８時３０分まで予約サイトにおいて車両１１０の予約を不可能な状態とする。
【０９００】
このようにすると、事故などにより利用者が予約した時間までに車両１１０を返却できない場合に、次の利用者への対応のための時間を確保することができ、トラブルを未然に防止することが可能となる。
【０９０１】
また、上記したように利用者が予約した時間に所定の時間を加えた時間だけ予約サイトにおいて車両１１０の予約を不可能な状態とする場合には、その加えた時間内の所定の時間については、利用者が無料で利用できるものとしてもよい。
【０９０２】
例えば、加えた時間が１時間である場合には、１５分間だけ上記した無料の時間としてもよいし、また、加えた時間が１５分間である場合には、その１５分間の全てを上記した無料の時間としてもよい。
【０９０３】
（１６）上記した実施の形態においては、本発明の第１の実施の形態による車両予約システムを備えたカーシェアリングシステム１０および本発明の第２の実施の形態による車両予約システムを備えたカーシェアリングシステム５０において、記載を簡素化して本発明の理解を容易にするためにその説明を省略したが、第１の認証処理、第２の認証処理、第３の認証処理、第４の認証処理、第５の認証処理あるいは第６の認証処理などの各処理ルーチンにおけるいずれのタイミングにおいても、近接センサ１４−１を選択することにより即時利用予約装置１６などを停止させて各処理ルーチンを終了するようにしてもよいし、また、第１の認証処理、第２の認証処理、第３の認証処理、第４の認証処理、第５の認証処理あるいは第６の認証処理などの各処理ルーチンの処理中において、利用者による何らの操作もなく所定時間経過した場合には、即時利用予約装置１６などを停止させて各処理ルーチンを終了するようにしてもよい。
【０９０４】
（１７）上記した実施の形態では、特に記載しなかったが、本発明の第１の実施の形態による車両予約システムを備えたカーシェアリングシステム１０および本発明の第２の実施の形態による車両予約システムを備えたカーシェアリングシステム５０において、認証不能とされたときに、再度ＩＣカードやＩＣ運転免許証を翳すようにしたが、こうしたＩＣカードやＩＣ運転免許証を翳すことが可能な回数を事前に設定しておき、ＩＣカードやＩＣ運転免許証を翳した回数が設定した回数に達すると、メインコントローラー１２ｃの制御により、ＬＥＤランプ５０、７０を点灯または点滅するなどして、利用者に対し事業者への連絡を促すようにしてもよい。
【０９０５】
（１８）上記した実施の形態では、本発明の第１の実施の形態による車両予約システムを備えたカーシェアリングシステム１０および本発明の第２の実施の形態による車両予約システムを備えたカーシェアリングシステム５０において、検知手段として非接触で検知対象を検知する近接センサ１４を用いたが、これに限られるものではないことは勿論である。
【０９０６】
即ち、非接触で検知対象を検知する検知手段として、近接センサ以外の非接触センサを用いてもよい。
【０９０７】
また、検知手段として、近接センサのように非接触で検知対象を検知する非接触センサに代えて、検知対象が接触したか否かを検知する接触センサを用いるようにしてもよい。
【０９０８】
なお、接触センサを用いる場合には、当該接触センサが車両１１０の外部に露出されていて、利用者が触れることができるようにする。
【０９０９】
（１９）上記した実施の形態においては、本発明の第１の実施の形態による車両予約システムを備えたカーシェアリングシステム１０および本発明の第２の実施の形態による車両予約システムを備えたカーシェアリングシステム５０において、まず、車両１１０の利用可能な時間を算出し、ＬＥＤランプ２０−１、２０−２、２０−３を用いて車両１１０の利用可能な時間を表示し、利用者がＬＥＤランプ２０−１、２０−２、２０−３の表示内容を確認しながら利用時間を選択した後に、ＩＣカードおよびＩＣ運転免許証による認証処理（第１の認証処理、第２の認証処理、第３の認証処理、第４の認証処理、第５の認証処理および第６の認証処理）を行って、車両１１０の予約を行うようにしたが、車両１１０を予約する際の手順はこれに限られるものではないことは勿論である。
【０９１０】
即ち、例えば、まず、ＩＣカードおよびＩＣ運転免許証による認証処理を行うようにして、その後に車両１１０の利用可能な時間を算出し、ＬＥＤランプ２０−１、２０−２、２０−３を用いて車両１１０の利用可能な時間を表示し、利用者がＬＥＤランプ２０−１、２０−２、２０−３の表示内容を参照しながら利用時間を選択すると車両１１０の予約が行われるようにしてもよい。
【０９１１】
このようにすることで、ＩＣカードおよびＩＣ運転免許証を所有する人のみが本車両予約システムを利用することができるようになり、ＩＣカードおよびＩＣ運転免許証を所有していない人のいたずらによる即時利用予約装置１６の起動を防止することができるようになる。
【０９１２】
また、このようにすることで、ＩＣカードやＩＣ運転免許証のＩＣチップに記憶された情報を備えた利用者情報を、車両１１０の利用可能な時間を算出する前に取得することができるため、当該利用者情報に基づいて、車両１１０の利用時間を制限するなどした内容でＬＥＤランプ２０−１、２０−２、２０−３を表示することが可能となり、車両１１０の利用時間を自動的に制限することができるようになる。
【０９１３】
（２０）上記した実施の形態では、本発明の第１の実施の形態による車両予約システムを備えたカーシェアリングシステム１０および本発明の第２の実施の形態による車両予約システムを備えたカーシェアリングシステム５０において、近接センサ１４−２、１４−３、１４−４が選択されたと判断されると、各近接センサに設定された時間だけ、車両１１０を予約するとともに、予約サイトにおける当該車両１１０の予約を利用不可能な状態としたが、これに限られるものではないことは勿論である。
【０９１４】
即ち、近接センサ１４−２、１４−３、１４−４が選択されたと判断されると、各近接センサに設定された時間だけ、予約サイトにおける車両１１０の予約を不可能な状態とする、所謂、仮予約が行われるようにしてもよい。
【０９１５】
つまり、この場合には、予約情報において近接センサに設定された時間だけ利用者が車両１１０を利用するための予約が行われずに、予約サイトにおける車両１１０の予約を不可能な状態とする仮予約が行われる。
【０９１６】
なお、こうした仮予約を行う場合には、即時利用予約時には認証処理は行われず、仮予約した後に起動するカードリーダー４０、６０を利用して車両利用前の認証処理が行われる。そして、車両利用前の認証処理において認証を受けることで、サーバー１０８において、この仮予約に基づいて予約情報において車両１１０を利用するための予約がなされ、利用者による車両１１０の利用が可能となる。
【０９１７】
具体的には、第１の即時利用予約処理の第２の予約処理では、ステップＳ７０４の処理において、近接センサ１４−２が選択されたと判断されると、予約情報において車両１１０を利用するための予約を行わずに、サーバー１０８で管理している予約サイトにおいて、車両１１０の予約を、即時利用予約開始時点から３０分間だけ不可能な状態とする仮予約を行った後に、ステップＳ７１０の処理に進むようにする。
【０９１８】
この場合、１６時４６分を即時利用予約開始時点とすると、予約可能な時間単位は１５分であるため、１６時４６分から１７時までの時間は無視され、１７時から３０分間の車両１１０の利用予約が不可能な状態とされる。
【０９１９】
その後、カードリーダ−４０を起動するようにする。
【０９２０】
また、第２の即時利用予約処理の第２の予約処理では、ステップＳ２３０４の処理において、近接センサ１４−２が選択されたと判断されると、予約情報において車両１１０を利用するための予約を行わずに、サーバー１０８で管理している予約サイトにおいて、車両１１０の予約を、即時利用予約開始時点から３０分間だけ不可能な状態とする仮予約を行った後に、ステップＳ２３１０の処理に進むようにする。
【０９２１】
この場合、１６時４６分を即時利用予約開始時点とすると、予約可能な時間単位は１５分であるため、１６時４６分から１７時までの時間は無視され、１７時から３０分間の車両１１０の利用予約が不可能な状態とされる。
【０９２２】
その後、カードリーダー６０を起動するようにする。
【０９２３】
第１の即時利用予約処理の第３の予約処理では、ステップＳ８０４の処理において、近接センサ１４−２が選択されたと判断されると、予約情報において車両１１０を利用するための予約を行わずに、サーバー１０８で管理している予約サイトにおいて、車両１１０の予約を即時利用予約開始時点から３０分間だけ不可能な状態とする仮予約を行った後に、ステップＳ８１０の処理に進むようにする。
【０９２４】
即ち、１６時４６分を即時利用予約開始時点とすると、予約可能な時間単位は１５分であるため、１６時４６分から１７時までの時間は無視され、１７時から３０分間の車両１１０の利用予約が不可能な状態とされる。
【０９２５】
その後、カードリーダー４０を起動するようにする。
【０９２６】
さらに、ステップＳ８１２の処理において、予約情報において車両１１０を利用するための予約を行わずに、近接センサ１４−３が選択されたと判断されると、サーバー１０８で管理している予約サイトにおいて、車両１１０の予約を即時利用予約開始時点から３時間だけ予約不可能な状態とする仮予約を行った後に、ステップＳ８１０の処理に進むようにする。
【０９２７】
即ち、１６時４６分を即時利用予約開始時点とすると、予約可能な時間単位は１５分であるため、１６時４６分から１７時までの時間は無視され、１７時から３時間の車両１１０の利用予約が不可能な状態とされる。
【０９２８】
その後、カードリーダー４０を起動するようにする。
【０９２９】
また、第２の即時利用予約処理の第３の予約処理では、ステップＳ２４０４の処理において、近接センサ１４−２が選択されたと判断されると、予約情報において車両１１０を利用するための予約を行わずに、サーバー１０８で管理している予約サイトにおいて、車両１１０の予約を即時利用予約開始時点から３０分間だけ不可能な状態とする仮予約を行った後に、ステップＳ２４１０の処理に進むようにする。
【０９３０】
即ち、１６時４６分を即時利用予約開始時点とすると、予約可能な時間単位は１５分であるため、１６時４６分から１７時までの時間は無視され、１７時から３０分間の車両１１０の利用予約が不可能な状態とされる。
【０９３１】
その後、カードリーダー６０を起動するようにする。
【０９３２】
さらに、ステップＳ２４１２の処理において、予約情報において車両１１０を利用するための予約を行わずに、近接センサ１４−３が選択されたと判断されると、サーバー１０８で管理している予約サイトにおいて、車両１１０の予約を即時利用予約開始時点から３時間だけ予約不可能な状態とする仮予約を行った後に、ステップＳ２４１０の処理に進むようにする。
【０９３３】
即ち、１６時４６分を即時利用予約開始時点とすると、予約可能な時間単位は１５分であるため、１６時４６分から１７時までの時間は無視され、１７時から３時間の車両１１０の利用予約が不可能な状態とされる。
【０９３４】
その後、カードリーダー６０を起動するようにする。
【０９３５】
また、第１の即時利用予約処理の第４の予約処理では、ステップＳ９０４の処理において、近接センサ１４−２が選択されたと判断されると、予約情報において車両１１０を利用するための予約を行わずに、サーバー１０８で管理している予約サイトにおいて、車両１１０の予約を即時利用予約開始時点から３０分間だけ不可能な状態とする仮予約を行った後に、ステップＳ９１０の処理に進むようにする。
【０９３６】
即ち、１６時４６分を即時利用予約開始時点とすると、予約可能な時間単位は１５分であるため、１６時４６分から１７時までの時間は無視され、１７時から３０分間の車両１１０の利用予約が不可能な状態とされる。
【０９３７】
その後、カードリーダー４０を起動するようにする。
【０９３８】
また、ステップＳ９１２の処理において、近接センサ１４−３が選択されたと判断されると、予約情報において車両１１０を利用するための予約を行わずに、サーバー１０８で管理している予約サイトにおいて、車両１１０の予約を即時利用予約開始時点から３時間だけ不可能な状態とする仮予約を行った後に、ステップＳ９１０の処理に進むようにする。
【０９３９】
即ち、１６時４６分を即時利用予約開始時点とすると、予約可能な時間単位は１５分であるため、１６時４６分から１７時までの時間は無視され、１７時から３時間の車両１１０の利用予約が不可能な状態とされる。
【０９４０】
その後、カードリーダー４０を起動するようにする。
【０９４１】
さらに、ステップＳ９１８の処理において、近接センサ１４−４が選択されたと判断されると、予約情報において車両１１０を利用するための予約を行わずに、サーバー１０８で管理している予約サイトにおいて、車両１１０の予約を即時利用予約開始時点から１２時間だけ不可能な状態とする仮予約を行った後に、ステップＳ９１０の処理に進むようにする。
【０９４２】
即ち１６時４６分を即時利用予約開始時点とすると、予約可能な時間単位は１５分であるため、１６時４６分から１７時までの時間は無視され、１７時から１２時間の車両１１０の利用予約が不可能な状態とされる。
【０９４３】
その後、カードリーダー４０を起動するようにする。
【０９４４】
さらに、第２の即時利用予約処理の第４の予約処理では、ステップＳ２５０４の処理において、近接センサ１４−２が選択されたと判断されると、予約情報において車両１１０を利用するための予約を行わずに、サーバー１０８で管理している予約サイトにおいて、車両１１０の予約を即時利用予約開始時点から３０分間だけ不可能な状態とする仮予約を行った後に、ステップＳ２５１０の処理に進むようにする。
【０９４５】
即ち、１６時４６分を即時利用予約開始時点とすると、予約可能な時間単位は１５分であるため、１６時４６分から１７時までの時間は無視され、１７時から３０分間の車両１１０の利用予約が不可能な状態とされる。
【０９４６】
その後、カードリーダー６０を起動するようにする。
【０９４７】
また、ステップＳ２５１２の処理において、近接センサ１４−３が選択されたと判断されると、予約情報において車両１１０を利用するための予約を行わずに、サーバー１０８で管理している予約サイトにおいて、車両１１０の予約を即時利用予約開始時点から３時間だけ不可能な状態とする仮予約を行った後に、ステップＳ２５１０の処理に進むようにする。
【０９４８】
即ち、１６時４６分を即時利用予約開始時点とすると、予約可能な時間単位は１５分であるため、１６時４６分から１７時までの時間は無視され、１７時から３時間の車両１１０の利用予約が不可能な状態とされる。
【０９４９】
その後、カードリーダー６０を起動するようにする。
【０９５０】
さらに、ステップＳ２５１８の処理において、近接センサ１４−４が選択されたと判断されると、予約情報において車両１１０を利用するための予約を行わずに、サーバー１０８で管理している予約サイトにおいて、車両１１０の予約を即時利用予約開始時点から１２時間だけ不可能な状態とする仮予約を行った後に、ステップＳ２５９１０の処理に進むようにする。
【０９５１】
即ち１６時４６分を即時利用予約開始時点とすると、予約可能な時間単位は１５分であるため、１６時４６分から１７時までの時間は無視され、１７時から１２時間の車両１１０の利用予約が不可能な状態とされる。
【０９５２】
その後、カードリーダー６０を起動するようにする。
【０９５３】
そして、ステップＳ４０２、ステップＳ２００２の処理において仮予約を行った後にはそれぞれ、ステップＳ４０４、ステップＳ２００４の処理に進み、利用者は、起動されたカードリーダー４０、６０にＩＣカードおよびＩＣ運転免許証を翳すことにより、車両利用前の認証処理を行うこととなる。
【０９５４】
そして、この車両利用前の認証処理において認証を受けると、サーバー１０８において、この仮予約に基づいて車両１１０が予約される。
【０９５５】
なお、車両利用前の認証処理において認証を受けることができない場合には、この仮予約は解消され、サーバー１０８で管理される予約サイトにおいて、他の利用者による予約が可能な状態となる。
【０９５６】
（２１）上記した実施の形態においては、特に記載しなかったが、カードリーダー４０、６０において、利用者に対してＩＣカードあるいはＩＣ運転免許証を促すような機能を設けるようにしてもよい。
【０９５７】
具体的には、例えば、ＩＣカードを翳すように促す場合には、ＬＥＤランプ５４、７４を点滅するようにし、ＩＣ運転免許証を翳すように促す場合には、ＬＥＤランプ５６、７６を点滅するようにする。なお、このとき、カーシェアリングシステム５０では、ＬＥＤランプ５６、７６の点滅するパターンは、ＩＣ運転免許証から免許証情報を読み取り中であることを示す際にＬＥＤランプ５６、７５を点滅させるパターンとは異なる点滅パターンとする。
【０９５８】
（２２）上記した実施の形態ならびに上記した（１）乃至（２１）に示す変形例は、適宜に組み合わせるようにしてもよい。
【産業上の利用可能性】
【０９５９】
本発明は、複数の利用者により共用される車両を予約する車両予約システムとして用いて好適である。
【符号の説明】
【０９６０】
１０、５０、１００        カーシェアリングシステム
１２        車載器
１２ｃ        メインコントローラー
１４、１４−１、１４−２、１４−３、１４−４        近接センサ
１６        即時利用予約装置
１８        ＧＰＳ衛星
２０−１、２０−２、２０−３        ＬＥＤランプ
４０、６０、１１４        カードリーダー
１０２、１０４        パーソナルコンピューター
１０６        携帯端末
１０８        サーバー
１１０        車両
１１２        車載器
１１６        キーボックス
【図１】
0006584788.tif 000002
【図２】
0006584788.tif 000003
【図３】
0006584788.tif 000004
【図４】
0006584788.tif 000005
【図５】
0006584788.tif 000006
【図６】
0006584788.tif 000007
【図７】
0006584788.tif 000008
【図８】
0006584788.tif 000009
【図９】
0006584788.tif 000010
【図１０】
0006584788.tif 000011
【図１１】
0006584788.tif 000012
【図１２】
0006584788.tif 000013
【図１３】
0006584788.tif 000014
【図１４】
0006584788.tif 000015
【図１５】
0006584788.tif 000016
【図１６】
0006584788.tif 000017
【図１７】
0006584788.tif 000018
【図１８】
0006584788.tif 000019
【図１９】
0006584788.tif 000020
【図２０】
0006584788.tif 000021
【図２１】
0006584788.tif 000022
【図２２】
0006584788.tif 000023
【図２３】
0006584788.tif 000024
【図２４】
0006584788.tif 000025
【図２５】
0006584788.tif 000026
【図２６】
0006584788.tif 000027
【図２７】
0006584788.tif 000028
【図２８】
0006584788.tif 000029
【図２９】
0006584788.tif 000030
【図３０】
0006584788.tif 000031
【図３１】
0006584788.tif 000032
【図３２】
0006584788.tif 000033
【図３３】
0006584788.tif 000034
【図３４】
0006584788.tif 000035
【図３５】
0006584788.tif 000036